(57)【要約】【課題】  振分手段を用いて好適に遊技球の振り分けを行うことが可能な遊技機を提供すること。【解決手段】  回転部６１０における複数の入球部（入球部６１２，６１３）は、振分部６４０が第１の振分状態である場合には、当該複数の入球部のうち入球部６１２が所定の方向に開口して振分用通路６２１に連通し、振分部６４０が第２の振分状態である場合には、当該複数の入球部のうち入球部６１３が所定の方向に開口して振分用通路６２１に連通するよう設けられているので、遊技者は、回転部６１０の見た目によって振分部６４０による遊技球の振り分け先を予測できる。よって、遊技者は、所定の方向に開口する入球部がどの入球部であるかに応じて期待の度合いを変動させながら発射操作を行うことができるので、振分部６４０によって遊技球を振り分ける遊技の単調化を抑制できる。【選択図】  図１４
2018102720.tif 000002
【特許請求の範囲】
【請求項１】
所定の振分用進入部から進入した遊技球の振り分け先を変更する振分手段であって、複数の前記振り分け先のうち所定の第１の振り分け先に遊技球を振り分ける第１の振分状態にて前記所定の振分用進入部から遊技球が進入した場合に、前記複数の振り分け先のうち所定の第２の振り分け先に遊技球を振り分ける第２の振分状態に移行するよう動作する振分手段と、
前記所定の振分用進入部を含む少なくとも１以上の進入部から遊技球を進入可能とする、第１の入口と第２の入口とを含む複数の入口を有し、前記振分手段と共に動作する可動部であって、動作した場合に前記複数の入口の位置が機械的に移動することで前記複数の入口の少なくともいずれかから遊技球を進入可能とする可動部と、を備え、
前記振分手段が前記第１の振分状態である場合に前記可動部が前記第１の振分状態に対応した第１の入口配置状態とされ、
当該第１の入口配置状態において前記所定の振分用進入部から前記第１の入口に遊技球が進入した場合に、前記振分手段が前記第２の振分状態に移行し、前記可動部が、前記振分手段と共に動作して前記第２の振分状態に対応した第２の入口配置状態に移行することを特徴とする遊技機。
【請求項２】
前記遊技機は、パチンコ機であることを特徴とする請求項１に記載の遊技機。
【発明の詳細な説明】
【技術分野】
【０００１】
本発明は、弾球遊技機に代表される遊技機に関する。
【背景技術】
【０００２】
遊技機の代表例としてパチンコ機がある。従来の典型的なパチンコ機において、遊技領域に設けられた始動口に入球した場合に、その入球に応じて抽選を行い、当該抽選において大当りに当選した場合に、特別遊技状態となって多数の遊技球が入賞口へ入球可能となる構成が知られている。近年では、複数の振り分け先のいずれかに遊技球を振り分ける振分手段を設け、所定の入口から進入した遊技球を当該振分手段の振分状態に応じて複数の始動口（例えば、２つの始動口）のいずれかに振り分ける遊技機が知られている（例えば、特許文献１）。
【先行技術文献】
【特許文献】
【０００３】
【特許文献１】特開２０１６−２２１４７号公報
【発明の概要】
【発明が解決しようとする課題】
【０００４】
しかしながら、上記従来の遊技機のように、振分手段を用いて遊技球の振り分けを行う遊技機については未だ改良の余地があった。
【０００５】
そこで、本発明に係る遊技機では、振分手段を用いて好適に遊技球の振り分けを行うことが可能な遊技機を提供することを目的としている。
【課題を解決するための手段】
【０００６】
本発明に係る遊技機は、上記の課題を解決するために、
所定の振分用進入部から進入した遊技球の振り分け先を変更する振分手段であって、複数の前記振り分け先のうち所定の第１の振り分け先に遊技球を振り分ける第１の振分状態にて前記所定の振分用進入部から遊技球が進入した場合に、前記複数の振り分け先のうち所定の第２の振り分け先に遊技球を振り分ける第２の振分状態に移行するよう動作する振分手段と、
前記所定の振分用進入部を含む少なくとも１以上の進入部から遊技球を進入可能とする、第１の入口と第２の入口とを含む複数の入口を有し、前記振分手段と共に動作する可動部であって、動作した場合に前記複数の入口の位置が機械的に移動することで前記複数の入口の少なくともいずれかから遊技球を進入可能とする可動部と、を備え、
前記振分手段が前記第１の振分状態である場合に前記可動部が前記第１の振分状態に対応した第１の入口配置状態とされ、
当該第１の入口配置状態において前記所定の振分用進入部から前記第１の入口に遊技球が進入した場合に、前記振分手段が前記第２の振分状態に移行し、前記可動部が、前記振分手段と共に動作して前記第２の振分状態に対応した第２の入口配置状態に移行することを特徴としている。
【発明の効果】
【０００７】
本発明に係る遊技機であれば、振分手段を用いて好適に遊技球の振り分けを行うことが可能な遊技機を提供することができる。
【図面の簡単な説明】
【０００８】
【図１】遊技機の一例としてのパチンコ機の正面側斜視図
【図２】パチンコ機を開放状態で示す斜視図
【図３】パチンコ機を他の開放状態で示す斜視図
【図４】パチンコ機を更に他の開放状態で示す斜視図
【図５】パチンコ機の正面図
【図６】パチンコ機の前ブロックを取り外した状態を示す正面図
【図７】遊技盤の正面図
【図８】パチンコ機の背面側斜視図
【図９】パチンコ機の背面図
【図１０】パチンコ機の電気的な構成を示すブロック図
【図１１】主制御メイン処理の一例を示すフローチャート
【図１２】主制御割込み処理の一例を示すフローチャート
【図１３】（ａ）は、前側から見た振分装置の分解斜視図であり、（ｂ）は、後側から見た振分装置の分解斜視図である。
【図１４】（ａ）は、回転部が第１位置にある振分装置の正面図であり、（ｂ）は、回転部が第２位置にある振分装置の正面図であり、（ｃ）は、回転部が第１位置にある状態で入球部から遊技球が進入した場合における遊技球の流下経路を説明するための背面図であり、（ｄ）は、回転部が第１位置にある状態で入球部から遊技球が進入した場合における遊技球の流下経路を説明するための背面図である。
【図１５】（ａ）は、前側から見た第２実施形態の振分装置の分解斜視図であり、（ｂ）は、後側から見た第２実施形態の振分装置の分解斜視図である。
【図１６】（ａ）は、回転部が第１位置にある振分装置の正面図であり、（ｂ）は、回転部が第２位置にある振分装置の正面図であり、（ｃ）は、回転部が第１位置にある状態で入球部から遊技球が進入した場合における遊技球の流下経路を説明するための振分装置の背面図であり、（ｄ）は、回転部が第１位置にある状態で入球部から遊技球が進入した場合における遊技球の流下経路を説明するための振分装置の背面図である。
【図１７】（ａ）は、前側から見た第３実施形態の振分装置の分解斜視図であり、（ｂ）は、後側から見た第３実施形態の振分装置の分解斜視図である。
【図１８】（ａ）は、回転部が第１位置にある振分装置の正面図であり、（ｂ）は、回転部が第２位置にある振分装置の正面図であり、（ｃ）は、回転部が第１位置にある状態で入球部に遊技球が進入した場合における遊技球の流下経路を説明するための振分装置の背面図である。
【図１９】中央構造体に対する左右の遊技領域が実質的に対称に構成される遊技盤の一例としての遊技盤の正面図
【発明を実施するための形態】
【０００９】
本発明に係る遊技機の実施形態について、遊技機の一種である弾球遊技機の一例としてのパチンコ機１００を説明し、その後に変形例や他の種類の遊技機を説明する。まず、パチンコ機１００の実施形態について、構造的な構成、電気的な構成、各種の制御処理を順に説明する。
【００１０】
＜構造的な構成＞
まず、図１から図９を主に参照して、パチンコ機１００の構造部分の構成について説明する。図１〜図４は、パチンコ機１００の各種状態を示す斜視図であり、図１はパチンコ機１００の閉鎖状態を示し、図２は外枠１０１に対して前ブロック１０２及び中間ブロック１０３が一体的に開放されている状態を示し、図３は中間ブロック１０３に対して前ブロック１０２が開放されている状態を示し、図４は中間ブロック１０３に対して後ブロック１０４が開放されている状態を示している。また、図５は、パチンコ機１００の正面図であり、図６は、図５の状態からパチンコ機１００の前ブロック１０２を取り外した状態を示している。なお、各図において各種の配線は省略されており、また、図３及び図６において遊技盤４００の構成の一部は省略されている。
【００１１】
パチンコ機１００は、例えば、図１〜図４に示すように、外枠１０１と、前ブロック１０２と、中間ブロック１０３と、後ブロック１０４とを備え、これら各部位を所定の操作により相対的に変位可能に構成されている。
【００１２】
外枠１０１は、パチンコ機１００の本体部分を支持する本体支持手段としての機能を有している。外枠１０１は、例えば、図２に示すように、天板部１１１、底板部１１２、左側板部１１３及び右側板部１１４が組み付けられた略四辺形状の枠体であり、パチンコ機１００を設置する遊技場に設けられた遊技機設置設備（島設備）に嵌め込まれると共に固定具（図示せず）によって強固に固定される。なお、パチンコ機１００において外枠１０１は必須の構成ではなく、外枠１０１又は外枠１０１と同一の内形形状を有し、外枠１０１を除いたパチンコ機１００の構成に相当する本体部分を支持する支持機構や、その本体部分を施錠する施錠機構の一部が島設備に備え付けられた構成としても良い。
【００１３】
外枠１０１における左右方向の一方側（左側板部１１３側）には、中間ブロック支持機構１２１，１２２が設けられている。この中間ブロック支持機構１２１，１２２によって外枠１０１と中間ブロック１０３とが接続（連結）され、パチンコ機１００の本体部分が、パチンコ機１００の正面視における左右方向の一端側（左側）を回動基端側とし、他端側（右側）を回動先端側として前方へ回動可能に構成されている。
【００１４】
中間ブロック支持機構１２１，１２２は、例えば、図１に示すように、外枠１０１の上端部と下端部とに離間して設けられている。中間ブロック支持機構１２１，１２２の各々は、例えば、外枠１０１に設けられる軸支持部によって、中間ブロック１０３に設けられる軸部が下側より支持され、軸支持部に設けられる軸孔に軸部が差し込まれた状態とされることにより、回動可能に構成されている。なお、中間ブロック１０３を含むパチンコ機１００の本体部分を回動可能とする構成は、上記構成に限らず、中間ブロック１０３側に軸孔を設け、外枠１０１側に軸部を形成するなど、他の構成としても良い。
【００１５】
中間ブロック支持機構１２１，１２２には、所定の取り外し操作によって外枠１０１と中間ブロック１０３との接続状態を解除する機能が設けられ、中間ブロック１０３を含むパチンコ機１００の本体部分が外枠１０１に対して取り外し可能に取り付けられている。例えば、外枠１０１に対して中間ブロック１０３を一定量以上開放し、且つ、上方側へ一定量移動させるという所定の取り外し操作をすることにより、外枠１０１に対する中間ブロック１０３の接続状態が解除される。これにより、外枠１０１に対してパチンコ機１００の本体部分が取り外し可能とされている。
【００１６】
中間ブロック１０３に対して前側には、前ブロック１０２が重なるようにして配置され、正面視左側に設けられる前ブロック支持機構１３１，１３２によって中間ブロック１０３と前ブロック１０２とが接続されている。前ブロック支持機構１３１，１３２は、中間ブロック支持機構１２１，１２２と同様の構成とされ、中間ブロック１０３に対して前ブロック１０２を前方へ回動可能に支持し、且つ、所定の取り外し操作により取り外し可能に構成されている。
【００１７】
中間ブロック１０３に対して後側には、後ブロック１０４が重なるようにして配置され、正面視左側に設けられる後ブロック支持機構１３６，１３７（図８参照）によって中間ブロック１０３と後ブロック１０４とが接続されている。後ブロック支持機構１３６，１３７には、中間ブロック支持機構１２１，１２２及び前ブロック支持機構１３１，１３２と同様の構成とされ、中間ブロック１０３に対して後ブロック１０４を後方へ回動可能に支持し、且つ、所定の取り外し操作により取り外し可能に支持する構成とされている。
【００１８】
また、パチンコ機１００には、外枠１０１に対する中間ブロック１０３の開閉を規制する中間ブロック施錠機構と、中間ブロック１０３に対する前ブロック１０２の開閉を規制する前ブロック施錠機構と、中間ブロック施錠機構及び前ブロック施錠機構の解錠や施錠を行うために操作される錠操作機構とが設けられている。また、図３に示すように、中間ブロック１０３には、前ブロック１０２の開口を通してパチンコ機１００の前面側に露出する錠操作機構としてのキーシリンダ１４１が設けられている。
【００１９】
キーシリンダ１４１に対する所定の操作として、操作キー（図示せず）による右回転操作をした場合には、中間ブロック１０３に設けられた中間ブロック施錠機構の可動部１４３が作動する。これにより、中間ブロック施錠機構の一部として外枠１０１に設けられた被係合部１４２と可動部１４３との係合が解除されて、中間ブロック１０３は外枠１０１に対して開閉許容状態となる。
【００２０】
一方、キーシリンダ１４１に対する所定の操作キーによる左回転操作に応じて、中間ブロック１０３に設けられた前ブロック施錠機構の可動部１４４が作動する。これにより、前ブロック施錠機構の一部として前ブロック１０２に設けられた被係合部１４５と可動部１４４との係合が解除されて、前ブロック１０２は中間ブロック１０３に対して開閉許容状態となる。
【００２１】
また、パチンコ機１００には、中間ブロック１０３に対する後ブロック１０４の開閉を規制する後ブロック開閉規制機構が設けられている。この後ブロック開閉規制機構により、中間ブロック１０３に対して後ブロック１０４は、開閉が禁止された状態（開閉禁止状態）と開閉が許容された状態（開閉許容状態）とを所定の操作によって切り替え可能とされている。
【００２２】
後ブロック開閉規制機構は、例えば、図４に示すように、中間ブロック１０３に設けられる２つの開閉規制部１５０Ａ，１５０Ｂと、後ブロック１０４に設けられる１つの開閉規制部１５０Ｃとによって構成されている。これら３つの開閉規制部１５０Ａ〜１５０Ｃには、回転操作が可能な回動片１５１Ａ〜１５１Ｃが設けられている。回動片１５１Ａ〜１５１Ｃは、回転操作により、後ブロック１０４の閉鎖状態において前後に重なるように配置される開口部分との係合状態が変化し、これにより、開閉禁止状態に対応した開閉禁止姿勢と、開閉許容状態に対応した開閉許容姿勢とを切り替え操作可能とされている。全ての回動片１５１Ａ〜１５１Ｃを開閉許容姿勢にすると各回動片１５１Ａ〜１５１Ｃが開口を通過可能となって、後ブロック１０４が中間ブロック１０３に対して開閉許容状態となる。なお、開閉禁止姿勢及び開閉許容姿勢としては、開閉禁止状態と開閉許容状態が回動片１５１Ａ〜１５１Ｃの位置及び向きの少なくともいずれかの変化により切り替えられれば良く、一定位置で回転のみする構成としても良いし、一定方向に移動する構成としても良いし、移動と回転との組合せにより動作する構成としても良い。以下、各装置における構成部材が複数の姿勢の間を移行する場合における姿勢の変化についても同様とする。
【００２３】
３つの回動片１５１Ａ〜１５１Ｃのうち、それらの一部に相当する２つの回動片１５１Ａ，１５１Ｂは、図２に示すように、後ブロック１０４の開閉禁止状態において後ブロック１０４に形成された開口を通してパチンコ機１００の背面側に露出し、残り部分に相当する１つの回動片１５１Ｃは、図６に示すように、中間ブロック１０３の前側に露出している。このため、パチンコ機１００の背面側、又は中間ブロック１０３の前面側といった一方側からの操作だけでは、全ての回動片１５１Ａ〜１５１Ｃを開閉許容姿勢に切り替えることはできず、これにより、防犯性が高められている。
【００２４】
また、パチンコ機１００には、中間ブロック１０３から前ブロック１０２への遊技球の移動を規制する遊技球移動規制機構が設けられている。遊技球移動規制機構は、例えば、図３及び図６に示すように、中間ブロック１０３に設けられた流下規制片１６１と、前ブロック１０２に設けられた規制変更部１６２との組合せにより構成され、前ブロック１０２が位置する前方側へ流下規制片１６１がコイルバネ（図示せず）により付勢される構成とされている。
【００２５】
中間ブロック１０３に対して前ブロック１０２が閉鎖された状態（前ブロック１０２の閉鎖状態）においては、流下規制片１６１は、遊技球の流下を許容する移動許容状態とされ、具体的には、規制変更部１６２により中間ブロック１０３の後方側へ押圧されて押し込まれる。流下規制片１６１は、移動許容状態において中間ブロック１０３から前ブロック１０２に遊技球を誘導するための誘導通路（図示せず）に対して後側にずれて配置される。これにより、前ブロック１０２の閉鎖状態においては、中間ブロック１０３から前ブロック１０２への遊技球の移動が許容される。
【００２６】
一方、中間ブロック１０３に対して前ブロック１０２が開放された状態（前ブロック１０２の開放状態）においては、規制変更部１６２による流下規制片１６１の押圧が解除され、前ブロック１０２の閉鎖状態に比べて流下規制片１６１が前ブロック１０２側へ突出する移動禁止状態とされる。流下規制片１６１は、移動禁止状態において誘導通路内に突出し、下流側への遊技球の流下を阻止する。これにより、中間ブロック１０３から前ブロック１０２への遊技球の移動が禁止される。
【００２７】
また、パチンコ機１００には、図２に示すように、例えば中間ブロック１０３の後側であって回動先端側（背面視左側）における下端部に、外枠１０１に対して中間ブロック１０３が閉鎖されているか否かを検出する開閉検出スイッチ１０８が設けられ、また、図３に示すように、例えば中間ブロック１０３の前側であって回動先端側（正面視右側）における下端部に、中間ブロック１０３に対して前ブロック１０２が閉鎖されているか否かを検出する開閉検出スイッチ１０９が設けられている。
【００２８】
次に、前ブロック１０２、中間ブロック１０３及び後ブロック１０４の各構成について順に説明する。
【００２９】
前ブロック１０２は、図１及び図３に示すように、パチンコ機１００の前面の略全体を形成し、前後方向に厚みを有する略長方形状の部材であり、パチンコ機１００の前側表面部分を装飾する前面装飾手段としての機能を有している。前ブロック１０２は、合成樹脂製の基枠２０１を主体に構成され、基枠２０１の前後に複数の機能部品を取り付けて構成されている。基枠２０１の前面側には、パチンコ機１００の前面を形成する前面装飾体２１０が、前ブロック１０２の正面視中央部分を含んで形成される開口２１０Ａの外縁に沿って開口２１０Ａを囲った状態にして取り付けられている。前ブロック１０２を構成する基枠２０１と前面装飾体２１０とを組み合わせた状態においては、前面装飾体２１０が取り付けられた外周部を除いた広範囲にわたって開口２１０Ａが前後方向に貫通形成される。この開口２１０Ａを通じて、前ブロック１０２の後側に位置する遊技盤４００を含む中間ブロック１０３が遊技者から視認可能に構成されている。
【００３０】
また、前ブロック１０２には、図１及び図３に示すように、開口２１０Ａを塞ぐように基枠２０１の背面側に設けられた中央パネル２２０と、遊技球を貯留する主貯留機構２３０と、遊技球を貯留する補助貯留機構２４０と、主貯留機構２３０に貯留されている遊技球を発射するために遊技者によって操作される発射操作装置２５０とを備えている。
【００３１】
また、前ブロック１０２には、図１及び図５に示すように、前面装飾体２１０の一部として、開口２１０Ａの周縁を囲う開口周縁部２１１と、開口２１０Ａに対して下側において前方に突出する上側突出部２１７と、上側突出部２１７に対して下側に位置して前方に突出する下側突出部２１８と、下側突出部２１８の右側であって上側突出部２１７及び下側突出部２１８より奥側に位置する概ね平坦な領域で構成されて発射操作装置２５０が配置される平坦部２１９とが形成されている。上側突出部２１７には、主貯留機構２３０が配置され、下側突出部２１８には、補助貯留機構２４０が配置される。
【００３２】
中央パネル２２０は、基枠２０１と前面装飾体２１０とを組み合わせた状態において前後方向に貫通形成される開口２１０Ａを塞ぎつつ後方側を視認可能とするカバー体としての機能を有している。中央パネル２２０は、例えば、図１及び図３に示すように、基枠２０１の後方側から取着されるパネル枠２２１（図３参照）と、パネル枠２２１の前側に嵌め込まれた光透過性の前方板２２２（図１参照）と、パネル枠２２１の後側に前方板２２２と所定の間隙を隔てて略平行に嵌め込まれた光透過性の後方板２２３（図３参照）とを備えている。
【００３３】
主貯留機構２３０は、遊技進行に応じて獲得した遊技球や、遊技場から貸し出された遊技球を貯留する機能を有している。主貯留機構２３０は、例えば、図１に示すように、貯留部２３１と、球抜き機構（図示せず）と、その球抜き機構を作動させる球抜き操作部材２３２とを備えている。貯留部２３１には、パチンコ機１００の内部から貯留部２３１へ遊技球を流入させる流入口２３１Ａと、貯留部２３１からパチンコ機１００の内部へ遊技球を流出させる流出口（図示せず）と、流出口より上流側に形成される放出口（図示せず）とが設けられている。この放出口の開放により貯留部２３１から遊技球がパチンコ機１００の内部に取り込まれることなく遊技者側に放出される。球抜き機構は、遊技球の放出先を、流出口と放出口との間で切り換える機能を有している。
【００３４】
遊技進行に応じて獲得した遊技球や、後述する貸出操作装置２９２に対する貸出操作に応じて貸し出された遊技球は、主に流入口２３１Ａを通して貯留部２３１に流入する。また、貯留部２３１は、上方側に開口形成されており、この開口部分を通じて、遊技者が所有する遊技球が手操作により投入されたり、遊技場において貸し出される遊技球が供給されたりする。
【００３５】
貯留部２３１に流入した遊技球は一列に整列させられながら流出口及び放出口の形成されている側（図１の右上側）へ順次に案内される。球抜き操作部材２３２に対する球抜き操作（例えば、押下操作）が行われていない場合には遊技球は流出口を通して後述する発射装置３３０（図３参照）に誘導される。一方、球抜き操作部材２３２に対する球抜き操作が行われている場合には、遊技球は放出口を通して補助貯留機構２４０（図１参照）に誘導される。
【００３６】
補助貯留機構２４０は、図１及び図５に示すように、遊技球の流入口２４１Ａ，２４１Ｃ（図５参照）及び放出口２４１Ｂ（図１参照）を有する貯留部２４１と、放出口２４１Ｂを開閉させる球抜き機構２４３と、その球抜き機構２４３を作動させる球抜き操作部材２４２とを備えている。遊技進行に応じて獲得した遊技球等は主に主貯留機構２３０に流入するが貯留部２３１が満杯であれば流入口２４１Ａを通して貯留部２４１に流入する。また、球抜き操作部材２３２に対する球抜き操作に応じても、遊技球は流入口２４１Ｃを通して貯留部２３１から貯留部２４１に流入する。
【００３７】
貯留部２４１の底面は放出口２４１Ｂに向けて下降傾斜している。球抜き操作部材２４２に対する球抜き操作（例えば、押圧操作）によって放出口２４１Ｂを開放すると、貯留部２４１に貯留されている全ての遊技球を順次にパチンコ機１００の外部に放出できる。なお、球抜き操作部材２４２に対する球抜き操作によって放出口２４１Ｂが完全に開放された場合には、球抜き操作部材２４２に対する復帰操作（例えば、再度の押圧操作）がなされるまで、その開放状態に維持される。流入口２４１Ａの奥方には貯留部２４１に過剰に遊技球が貯留されているか否かを検出する球溢れスイッチ２４９（図１０参照）が設けられている。
【００３８】
発射操作装置２５０は、図１及び図５に示すように、前面装飾体２１０の平坦部２１９から前方に突出する台座２５１と、台座２５１の周囲に設けられた回動自在な発射ハンドル２５２と、発射ハンドル２５２の回転操作量を検出する可変抵抗器２５３（図１０参照）と、発射ハンドル２５２に遊技者が接触していることを検出する接触センサ２５４（図１０参照）と、発射ハンドル２５２の回転操作に伴う遊技球の射出を遊技者の操作によって無効化する発射停止スイッチ２５５（図５参照）とを含んでいる。遊技者によって発射ハンドル２５２が回転操作されると、その回転操作量に対応する強度で発射装置３３０（図３参照）から遊技球が遊技盤４００（図３参照）に向けて射出される。なお、接触センサ２５４によって発射ハンドル２５２と遊技者との接触が検出されていない場合や、発射停止スイッチ２５５の操作によって発射操作が無効化されている場合には、発射ハンドル２５２が回転操作されていても発射装置３３０から遊技球は射出されない。
【００３９】
また、前ブロック１０２における前面装飾体２１０の奥方には、枠発光装置２７１〜２７５（図１０参照）が設けられている。枠発光装置２７１〜２７５は、前面装飾体２１０の開口周縁部２１１に対して奥側に重なるようにして配置され、基枠２０１に取り付けられている。開口周縁部２１１は、図５に示すように、上側中央縁部２１１Ａと、上側中央縁部２１１Ａに対して左右両側に位置する左上側縁部２１１Ｂ及び右上側縁部２１１Ｃと、左上側縁部２１１Ｂに対して下側に位置する左側縁部２１１Ｄと、右上側縁部２１１Ｃに対して下側に位置する右側縁部２１１Ｅとを発光部として有し、それぞれの発光部に対応して枠発光装置２７１〜２７５が設置されている。
【００４０】
枠発光装置２７１〜２７５は、上側中央縁部２１１Ａに対応する上中央枠発光装置２７１と、左上側縁部２１１Ｂに対応する左上枠発光装置２７２と、右上側縁部２１１Ｃに対応する右上枠発光装置２７３と、左側縁部２１１Ｄに対応する左側枠発光装置２７４と、右側縁部２１１Ｅに対応する右側枠発光装置２７５（図１０参照）とにより構成されている。枠発光装置２７１〜２７５の各々は、１又は複数の発光手段としての発光ダイオード（ＬＥＤ）と、ＬＥＤを制御するための抵抗等の電子部品と、これら電子部品を一体化して電気的に接続するプリント基板とを有している。
【００４１】
また、前ブロック１０２には、図５に示すように、例えばその開口周縁部２１１の上部に、左上音響出力口２１１Ｆと、右上音響出力口２１１Ｇとが設けられ、また、それら左上音響出力口２１１Ｆ及び右上音響出力口２１１Ｇのそれぞれに対応して左上音響装置２８１及び右上音響装置２８２（図３及び図１０参照）が設けられている。左上音響装置２８１及び右上音響装置２８２は、前面装飾体２１０の開口周縁部２１１の奥方（後方）に位置するようにして基枠２０１に取り付けられている。
【００４２】
また、前ブロック１０２には、図１に示すように、例えば上側突出部２１７の上面右側部分に、遊技球貸出装置２９０が設けられている。遊技球貸出装置２９０は、パチンコ機１００に並んで配置されるカードユニット（図示せず）に投入された紙幣やカード等の残額に応じた数値を表示する度数表示装置２９１と、遊技球の貸し出しを受ける際に遊技者によって操作される貸出操作装置２９２と、カードユニットに投入された紙幣やカード等を返却させる際に遊技者によって操作される返却操作装置２９３とを含んでいる。カードユニットに紙幣やカード等を投入して、それらの金額に対応する数値が度数表示装置２９１に表示されている有効状態において、貸出操作装置２９２に対して貸出操作が行われると、貸出操作に応じて所定の個数の遊技球が後ブロック１０４の払出装置５４０（図８参照）から貸し出され、遊技球の貸し出しに伴って度数表示装置２９１の表示が更新される。一方、有効状態において返却操作装置２９３に対して返却操作が行われると、返却操作に応じて残額に対応する紙幣の等価物や残額を記録したカードがカードユニットから返却される。
【００４３】
また、前ブロック１０２には、図１に示すように、遊技者によって発射操作とは別の入力操作が可能な入力操作装置２６０が設けられている。入力操作装置２６０は、例えば、押込操作が可能な押圧操作装置２６１と、回転操作が可能な回転操作装置２６２と、上下左右の方向操作が可能な選択操作装置２６３とを備えている。これら操作装置２６１〜２６３により、パチンコ機１００において実行される演出を選択する演出選択操作や、パチンコ機１００の演出を実行する各装置の音量や光量を設定する装置設定操作、或いは、遊技者に関する情報を入力して前回以前の遊技に応じたパチンコ機１００の演出を実行可能とする演出設定操作等が実行可能とされ、これら操作を必要に応じて遊技者や遊技場の管理者が実行可能とされている。なお、入力操作装置２６０において遊技者が接触する入力操作部（例えば、回転操作装置２６２における円環状の回転操作部）は、モータやソレノイド等の入力操作部駆動手段によって回転、上下動、又は、振動等の動作がパチンコ機１００の制御（例えば、副制御基板９４０（図１０参照）の制御）により実行可能に構成されることが好ましく、入力操作の前後、又は、入力操作中のいずれか又は複数のタイミングで入力部分を動作させることにより、入力操作を積極的に促すなど入力操作を伴う演出を多様にすることができる。
【００４４】
次に、中間ブロック１０３について説明する。中間ブロック１０３は、前ブロック１０２と略同一サイズの略長方形状をした部材であり、前ブロック１０２と後ブロック１０４とが取り付けられることにより、パチンコ機１００の本体部分を一体化した状態にする機能を有している。中間ブロック１０３は、基枠３０１に対して遊技盤４００を含む複数の機能部品を取り付けて構成されている。
【００４５】
中間ブロック１０３は、図３及び図４に示すように、開口を有する基枠３０１と、基枠３０１の開口を覆いつつ前面側より取着される遊技盤４００（図３参照）と、基枠３０１に対して遊技盤４００を回動自在及び着脱自在に支持する遊技盤支持機構と、基枠３０１に対して遊技盤４００の位置を固定する遊技盤固定機構と、遊技盤４００に遊技球を射出する発射装置３３０（図３参照）と、遊技盤４００の背面側に装着されて遊技進行を統括的に制御する主制御装置３７０（図４参照）と、主制御装置３７０からの命令に基づいて遊技演出や状態報知を制御する副制御装置３９０（図４参照）とを備えている。
【００４６】
基枠３０１には、図３に示すように、後述する払出装置５４０（図８参照）から放出された遊技球を前ブロック１０２に誘導する誘導通路が内部に形成される誘導通路部３０１Ａと、複数の配線（図示せず）や信号中継装置３１１が位置する開孔３０１Ｂとが設けられている。開孔３０１Ｂは、遊技盤４００より下側において前後方向に貫通する形状をなし、開孔３０１Ｂに挿通される複数の配線は、前ブロック１０２に設けられる種々の装置（例えば、枠発光装置２７１〜２７５、左上音響装置２８１及び右上音響装置２８２）と、中間ブロック１０３の背面側や後ブロック１０４に設けられる装置（例えば、主制御装置３７０や副制御装置３９０）とを電気的に接続するための配線を含み、信号中継装置３１１は、その配線の一部を中継する中継基板としての機能を有している。
【００４７】
遊技盤４００は、図３に示すように、排出口４０１Ａ等の遊技球が前後に通過可能な貫通孔を有する平板状の基体４０１と、基体４０１の左下から右上に亘り滑らかに湾曲する外レール４０２と、基体４０１の右下から左上に亘り滑らかに湾曲する内レール４０３と、内レール４０３の左上側の先端に取着された戻り球防止機構４０４と、外レール４０２の右上側の先端に取着される反跳防止部材４０５とを備えている。外レール４０２は、後述する発射装置３３０から発射された遊技球を遊技領域内へ誘導するものである。戻り球防止機構４０４は、外レール４０２及び内レール４０３が平行に対向する間部分で形成される発射通路４０１Ｂから遊技領域内へ一旦放出された遊技球が発射通路４０１Ｂに戻ることを防止する。反跳防止部材４０５は、遊技盤４００の上部中央を越えて右側に向かった遊技球が再び上部中央を経由して左側に戻るような遊技球の大幅な反跳を防止する衝撃吸収性を有し、例えば、制振ゴム等の材料により形成されている。
【００４８】
前ブロック１０２の背面側下部には、図３に示すように、戻り球通路部１６３が形成されている。発射装置３３０から発射通路４０１Ｂの方向へ遊技球を誘導する誘導部材３３５と外レール４０２との間には間隙があり、発射装置３３０から発射されたが戻り球防止機構４０４を超えるに至らず発射通路４０１Ｂを逆戻りする遊技球は、この間隙の下方に配置される戻り球通路部１６３を介して流入口２４１Ａ（図５参照）から補助貯留機構２４０（図５参照）に返却される。
【００４９】
戻り球防止機構４０４を超えて進行した遊技球は、遊技領域に到達し、遊技領域内を自重により落下しながら移動（流下）する。遊技領域は、略円形状の外周形状をなし、遊技球の直径より僅かに大きな前後幅を有する領域を大部分とする形状に区画されている。遊技領域は、概ね、外レール４０２及び内レール４０３とで外周部分が区画され、前側が中央パネル２２０の後方板２２３によって略平面状に区画され、後側が遊技盤４００の基体４０１によって略平面状に区画されている。なお、遊技領域に設けられる各種の構造物については後述する。
【００５０】
発射装置３３０は、図３に示すように、主貯留機構２３０に貯留されている遊技球を順次に発射位置に送り出す球送り機構３３１と、球送り機構３３１を駆動する球送りソレノイド３３２（図１０参照）と、発射位置に配置された遊技球を射出する発射機構３３３と、発射機構３３３を駆動する発射ソレノイド３３４（図１０参照）と、発射機構３３３から発射された遊技球を遊技盤４００の発射通路４０１Ｂに誘導する誘導部材３３５とを備えている。発射装置３３０は、上述のように発射操作装置２５０に対する発射操作に応じて作動し、発射操作装置２５０に対する発射操作に応じて発射ソレノイド３３４の駆動制御が変化して発射力が調整される。
【００５１】
主制御装置３７０は、図４に示すように、主制御基板９２０（図１０参照）と、主制御基板９２０を収容する２つ割り構造の基板ケース３７１とを備えている。主制御基板９２０は、痕跡を残さずには開封できないように封止された透光性を有する基板ケース３７１の内部に収容されている。
【００５２】
また、主制御装置３７０は、遊技盤４００の背面側に回動自在に取り付けられている。具体的には、遊技盤４００の基体４０１に対して背面側に取り付け部３７２が回動可能に連結固定され、その取り付け部３７２に主制御装置３７０が取り付けられている。これにより、主制御装置３７０の背面側（表面側）だけでなく、取り付け部３７２を回動操作することで主制御装置３７０の前面側（裏面側）も、遊技盤４００に主制御装置３７０を取り付けたままで容易に確認可能とされている。取り付け部３７２に対して主制御装置３７０は、痕跡を残さずには取り外しできないように連結しても良く、主制御装置３７０の取り外し状況を管理し易くしても良い。
【００５３】
副制御装置３９０は、副制御基板９４０（図１０参照）と、副制御基板９４０を収容する２つ割り構造の基板ケース３９１とを備えている。副制御基板９４０は、例えば、主制御基板９２０と同様に痕跡を残さずには開封できないように封止された透光性を有する基板ケース３９１の内部に収容された状態にして遊技盤４００の背面側に取り付けられている。
【００５４】
ここで、遊技盤４００において、遊技領域に配置される各種の構造物について、図７を主に参照して説明する。図７は、遊技盤４００の正面図である。
【００５５】
遊技盤４００は、図７に示すように、基体４０１と、遊技球の流下方向や流下速度に変化を与える釘４１１や風車４１２等の流下変化部材と、基体４０１の概ね中央に配置された中央構造体４２０と、中央構造体４２０に対して下側に配置された２つの始動装置（具体的には、第１特別図柄に係る始動装置である右側中始動入賞装置４３１Ａ及び第２特別図柄に係る始動装置である左側中始動入賞装置４３１Ｂ）と、中央構造体４２０に対して右下側に配置された第２特別図柄に係る始動装置（具体的には、右始動入賞装置４３２）と、右始動入賞装置４３２の下方に配置された大入賞装置４３３，４３４（具体的には、下大入賞装置４３３及び上大入賞装置４３４）と、右始動入賞装置４３２の上側（上流側）に配置された普通図柄に係る始動装置４３６と、遊技盤４００の右上側であって上下の大入賞装置４３３，４３４に対して上方（上流側）に配置された役連作動装置４３５と、左側中始動入賞装置４３１Ｂの左側に配置された一般入賞装置４３９Ａと、右側中始動入賞装置４３１Ａの右側に配置された一般入賞装置４３９Ｂとを備えている。
【００５６】
また、遊技盤４００には、中央構造体４２０に対し下側であり、かつ、左右の中始動入賞装置４３１Ａ，４３１Ｂに対する上側には、遊技球を右側中始動入賞装置４３１Ａ又は左側中始動入賞装置４３１Ｂに振り分ける振分装置６００が配置されている。振分装置６００は、２つの入球部６１２，６１３を備えており、遊技領域を流下する遊技球は、これらの入球部６１２，６１３から振分装置６００内に進入することができる。
【００５７】
詳細は後述するが、入球部６１２，６１３は、軸６６０を中心とする回転移動が可能に構成される。かかる構成により、入球部６１２，６１３は、一方側（軸６６０を中心として時計回り方向側）の入球部６１２の入口部分が上方を向き、他方側（軸６６０を中心として反時計回り方向側）の入球部６１３の入口部分が左斜め上方を向く配置（すなわち、図７および図１４（ａ）に示す配置）、または、入球部６１２の入口部分が右斜め上方を向き、入球部６１３の入口部分が上方を向く配置（すなわち、図７および図１４（ｂ）に示す配置）を取り得る。
【００５８】
また、遊技盤４００には、上記した右側中始動入賞装置４３１Ａ等に対応して遊技球の通過を検出する検出手段としてのスイッチが複数設けられており（図１０参照）、各スイッチに対応した所定領域への遊技球の進入が検出可能とされている。例えば、右側中始動入賞装置４３１Ａに進入した遊技球を検出する中始動入賞スイッチ（右側中始動入賞スイッチ４４１Ａ）、左側中始動入賞装置４３１Ｂに進入した遊技球を検出する中始動入賞スイッチ（左側中始動入賞スイッチ４４１Ｂ）、右始動入賞装置４３２に進入した遊技球を検出する右始動入賞スイッチ４４２、下大入賞装置４３３に進入した遊技球を検出する下大入賞スイッチ４４３、上大入賞装置４３４に進入した遊技球を検出する上大入賞スイッチ４４４、役連作動装置４３５に進入した遊技球を検出する役連作動スイッチ４４５、始動装置４３６に進入した遊技球を検出する始動スイッチ４４６、下大入賞装置４３３の内部に形成された非特定通路（図示せず）に進入した遊技球を検出する非特定通路スイッチ４４７、下大入賞装置４３３の内部に形成された特定通路（図示せず）に進入した遊技球を検出する特定通路スイッチ４４８、一般入賞装置４３９Ａ，４３９Ｂに進入した遊技球を各々検出する一般入賞スイッチ４４９Ａ，４４９Ｂ等が遊技盤４００に設置されている。
【００５９】
また、遊技盤４００には、不正防止のために各種センサが設けられており（図１０参照）、パチンコ機１００に発生した異常を検出可能とされている。例えば、磁気センサ４９１、振動センサ４９２、電波センサ４９３等が遊技盤４００に設置されている。
【００６０】
中央構造体４２０及び始動装置４３６の遊技球の入口部分は入球口を構成し、各入球口に進入した遊技球は遊技領域に放出される。中央構造体４２０における左側に形成された入球口４２１に遊技球が進入した場合、当該遊技球は、中央構造体４２０に形成された球通路（図示せず）を通って中央構造体４２０における下側に形成されたステージ４２２に案内される。ステージ４２２に案内された遊技球は、当該ステージ４２２上を左右方向に往復しながら転動した後、ステージ４２２の前方に向けて遊技球を排出可能に形成された複数（例えば、３つ）の出口部のいずれかから前方に転落して落下する。これら複数の出口部の１つは、振分装置６００の中央上方に位置するように設けられ、ステージ４２２上を転動した遊技球が振分装置６００内に進入し易く構成されている。
【００６１】
各入賞装置、具体的には、右側中始動入賞装置４３１Ａ、左側中始動入賞装置４３１Ｂ、右始動入賞装置４３２、下大入賞装置４３３、上大入賞装置４３４及び一般入賞装置４３９Ａ，４３９Ｂの遊技球の入口部分は入賞口を構成し、各入賞口に進入した遊技球は基体４０１に形成された貫通孔を通して基体４０１の背面側に形成された回収排出通路（図示せず）に案内される。また、各入賞装置に進入しなかった遊技球は、遊技領域の最下流側部分に設けられる排出口４０１Ａを通して回収排出通路へ案内される。回収排出通路に案内された遊技球は、パチンコ機１００から遊技場に設けられた遊技球循環装置（図示せず）に排出される。いずれかの入賞装置に遊技球が進入した場合には、入賞装置の種類に応じた所定の個数の遊技球が払出装置５４０（図８及び図９参照）から払い出される。なお、各入賞装置は、他の入賞装置と別々に構成されても良いし、２以上の入賞装置（例えば、右側中始動入賞装置４３１Ａ及び左側中始動入賞装置４３１Ｂ）が一体化された装置によって入賞装置が構成されても良く、また、右側中始動入賞装置４３１Ａ等の始動装置については必ずしも遊技球が進入した場合に所定の個数の遊技球が払い出される入賞口とする必要はなく、遊技球が払い出されることなく遊技領域に再び放出される入球口としても良い。
【００６２】
第１特別図柄に係る右側中始動入賞装置４３１Ａ、第２特別図柄に係る左側中始動入賞装置４３１Ｂ、並びに、一般入賞装置４３９Ａ及び一般入賞装置４３９Ｂの各々は、それらへの遊技球の進入確率を変化させず、進入した遊技球を基体４０１の背面側へ誘導する。また、第２特別図柄に係る右始動入賞装置４３２は、その内部への遊技球の進入確率を変化させる機構を有している。なお、遊技球の進入確率を変化させる機構は、第２特別図柄に係る始動装置のみに設ける必要はなく、それに代えて、又は、それに加えて、第１特別図柄に係る始動装置、一般入賞装置４３９Ａ，４３９Ｂのいずれか又は複数に設けても良い。また、遊技球の進入確率を変化させる機構は、電気的に駆動されるソレノイド等の駆動手段により構成しても良いし、所定領域へ入球した遊技球の自重により動作する機構に代表される機械的に動作する機構により構成しても良い。
【００６３】
第２特別図柄に係る右始動入賞装置４３２は、進入許容姿勢と進入禁止姿勢との間の移行によって、その内部への遊技球の進入確率を変化させる右進入規制機構４５２と、右進入規制機構４５２を駆動する右進入規制ソレノイド４６２（図１０参照）とを備えている。右進入規制機構４５２は、右進入規制ソレノイド４６２によって駆動される２つの可動片を備えており、右進入規制機構４５２が進入禁止姿勢である場合には、２つの可動片が進入口（入賞口）を狭窄する（又は閉鎖する）配置をとることによって遊技球は右始動入賞装置４３２に進入できないが、右進入規制機構４５２が進入許容姿勢である場合には、２つの可動片がそれらの先端部の間隔が拡大するような配置をとることによって遊技球は右始動入賞装置４３２に進入できるようになる。右進入規制機構４５２は、普通図柄に係る始動装置４３６へ進入した遊技球が始動スイッチ４４６で検出されることに基づく抽選（以下において「普通図柄抽選」とも称す）で当選した場合に、右進入規制ソレノイド４６２による駆動に応じて所定の回数及び所定の時間だけ進入許容姿勢に移行する。
【００６４】
下大入賞装置４３３には、図７に示すように、進入許容姿勢と進入禁止姿勢との間の移行によって、その内部への遊技球の進入を規制する下進入規制機構４５３と、下進入規制機構４５３の姿勢を変化させる下進入規制ソレノイド４６３（図１０参照）と、非誘導姿勢と誘導姿勢との間の移行によって、下大入賞装置４３３に進入した遊技球を非特定通路又は特定通路に振り分ける振分機構（図示せず）と、振分機構の姿勢を変化させて遊技球の誘導先を切り換える切換ソレノイド４６５（図１０参照）とが設けられている。下大入賞装置４３３の下進入規制機構４５３が進入禁止姿勢である場合には、下進入規制機構４５３が進入口（入賞口）を閉鎖することによって遊技球は下大入賞装置４３３に進入できないが、下進入規制機構４５３が進入許容姿勢である場合には、下進入規制機構４５３が進入口を開放することによって遊技球は下大入賞装置４３３に進入できるようになる。また、下大入賞装置４３３に進入した遊技球は、振分機構が前方に突出する非誘導姿勢である場合には非特定通路に案内され、振分機構が後方に没入する誘導姿勢である場合には特定通路に誘導される。特定通路、非特定通路及び振分機構は、遊技状態の移行を多様にするために設けられ、特定通路へ遊技球が進入した場合には、遊技者に特典として有利な遊技状態が付与される。
【００６５】
上大入賞装置４３４には、図７に示すように、進入許容姿勢と進入禁止姿勢との間の移行によって、その内部への遊技球の進入を規制する上進入規制機構４５４と、上進入規制機構４５４の姿勢を変化させる上進入規制ソレノイド４６４（図１０参照）とが設けられている。上進入規制機構４５４が進入禁止姿勢である場合には、上進入規制機構４５４が進入口（入賞口）を閉鎖することによって遊技球は上大入賞装置４３４に進入できないが、上進入規制機構４５４が進入許容姿勢である場合には、上進入規制機構４５４が進入口を開放することによって遊技球は上大入賞装置４３４に進入できるようになる。
【００６６】
なお、右進入規制機構４５２等の内部への遊技球の進入確率を変化させる機構としての進入許容姿勢及び進入禁止姿勢としては、各機構を構成して各装置の入賞口（又は入球口）に遊技球が進入可能な特別状態と、遊技球が進入不能な通常状態とを切り替える動作部材の姿勢変化に対応し、各姿勢に応じて動作部材の位置及び向きの少なくともいずれかが異なるものであれば良い。また、右進入規制機構４５２等の遊技球の進入確率を変化させる機構として、遊技球が進入不能な状態を通常状態とする必要は必ずしもなく、通常状態においても遊技球の進入を許容し、特別状態においては通常状態より遊技球が進入し易い状態に動作部材の姿勢が変化する構成としても良い。
【００６７】
下大入賞装置４３３及び上大入賞装置４３４には、大当りの抽選に当選した場合に遊技球が進入可能となる。具体的には、第１特別図柄に係る右側中始動入賞装置４３１Ａへ進入した遊技球が右側中始動入賞スイッチ４４１Ａで検出されることに基づく抽選（以下において「第１特別図柄抽選」とも称す）に当選した場合、又は、第２特別図柄に係る左側中始動入賞装置４３１Ｂ若しくは右始動入賞装置４３２へ進入した遊技球が左側中始動入賞スイッチ４４１Ｂ若しくは右始動入賞スイッチ４４２で検出されることに基づく抽選（以下において「第２特別図柄抽選」とも称す）に当選した場合には、下進入規制ソレノイド４６３又は上進入規制ソレノイド４６４の少なくとも一方が作動する。この作動によって所定の回数に亘り所定の時間だけ下進入規制機構４５３又は上進入規制機構４５４の少なくとも一方が進入許容姿勢をとる。また、振分機構は、下進入規制機構４５３の進入許容姿勢への移行から所定の時間後に切換ソレノイド４６５の作動に応じて誘導姿勢に移行し、更に誘導姿勢への移行から所定の時間後に切換ソレノイド４６５の停止に応じて非誘導姿勢に戻る。
【００６８】
役連作動装置４３５は、下大入賞装置４３３及び上大入賞装置４３４が作動を開始するために必要な条件を設定するための装置である。大当りの抽選に当選した後には、役連作動装置４３５の遊技球の通過を条件として、下大入賞装置４３３又は上大入賞装置４３４のいずれかが作動を開始する。このため、遊技者は、大当りに当選した場合、自らの意図するタイミングで特別遊技状態を開始させることができる。なお、必ずしも役連作動装置４３５の遊技球の通過を条件として、下大入賞装置４３３又は上大入賞装置４３４のいずれかが作動を開始する構成とする必要はなく、それに代えて、又は、それに加えて、予め定めた時間の経過により下大入賞装置４３３又は上大入賞装置４３４のいずれかが作動を開始する構成としても良い。
【００６９】
また、遊技盤４００には、図７に示すように、図柄の変動表示や抽選結果を表示する表示装置４７１〜４７３と、遊技の保留回数を表示する表示装置４７６〜４７８とが一体化された複数の発光部を有する表示器が、遊技盤４００の一部に相当する左下部分に設けられている。複数の発光部は、各装置に対応する発光領域に予め区画され、各装置の状態が発光状態によって表示される。
【００７０】
具体的には、遊技盤４００には、第１特別図柄抽選に伴って、第１特別図柄を変動表示したり、第１特別図柄を抽選結果に応じた停止図柄で確定表示したりする第１特別図柄に係る特別図柄表示装置４７１と、第２特別図柄抽選に伴って、第２特別図柄を変動表示したり、第２特別図柄を抽選結果に応じた停止図柄で確定表示したりする第２特別図柄に係る特別図柄表示装置４７２と、第１特別図柄に係る単位遊技の保留回数を表示する特別図柄保留表示装置４７６と、第２特別図柄に係る単位遊技の保留回数を表示する特別図柄保留表示装置４７７とが設けられている。第１特別図柄に係る単位遊技の権利及び第２特別図柄に係る単位遊技の権利はそれぞれ最大４回まで保留される。ここで、単位遊技とは、１回の始動入賞に基づいて実行される１回分の遊技であり、１回の始動入賞に基づいて実行される抽選の当否判定と、その当否判定に基づいた抽選結果を表示するまでの変動表示の開始から終了までを含む一連の遊技をいう。
【００７１】
第１特別図柄に係る単位遊技の権利が最大回数まで保留されている場合には、右側中始動入賞装置４３１Ａに進入した遊技球が右側中始動入賞スイッチ４４１Ａ（図１０参照）によって検出されたとしても第１特別図柄に係る単位遊技の権利は追加されない。同様に、第２特別図柄に係る単位遊技の権利が最大回数まで保留されている場合に、左側中始動入賞装置４３１Ｂ又は右始動入賞装置４３２に進入した遊技球が左側中始動入賞スイッチ４４１Ｂ（図１０参照）又は右始動入賞スイッチ４４２（図１０参照）によって検出されたとしても第２特別図柄に係る単位遊技の権利は追加されない。
【００７２】
第１特別図柄に係る特別図柄表示装置４７１及び第２特別図柄に係る特別図柄表示装置４７２の各々は、複数の発光部で構成されており、主制御基板９２０（図１０参照）によって制御される。第１特別図柄の表示及び第２特別図柄の表示の各々は、複数の発光部の発光パターン（発光色を含む発光状態（消灯、点灯、点滅）の組合せ）によって表現される。第１特別図柄に係る特別図柄保留表示装置４７６及び第２特別図柄に係る特別図柄保留表示装置４７７は、２個の単色の発光部の発光状態（消灯、点灯、点滅）の組合せによって保留回数を表示する。
【００７３】
また、遊技盤４００には、普通図柄抽選に伴って、普通図柄を変動表示したり、普通図柄を抽選結果に応じた停止図柄で確定表示したりする普通図柄表示装置４７３と、普通図柄に係る単位遊技の権利の保留回数を表示する普通図柄保留表示装置４７８とが設けられている。普通図柄に係る単位遊技の権利は最大４回まで保留される。普通図柄に係る単位遊技の権利が最大回数まで保留されている場合には、始動装置４３６に進入した遊技球が始動スイッチ４４６によって検出されたとしても普通図柄に係る単位遊技の権利は追加されない。
【００７４】
普通図柄表示装置４７３は、複数の発光部で構成されており、主制御基板９２０（図１０参照）によって制御される。普通図柄は、複数の発光部の発光パターンによって表現される。また、普通図柄保留表示装置４７８は、２個の単色の発光部の発光状態（消灯、点灯、点滅）の組合せによって保留回数を表示する。
【００７５】
また、遊技盤４００には、中央構造体４２０の後方に重なるようにして、第１特別図柄及び第２特別図柄に係る単位遊技において、装飾図柄を変動表示したり、装飾図柄を確定表示したりする装飾図柄表示装置４７９が設けられている。装飾図柄の変動表示及び確定表示は、副制御基板９４０により制御され、主制御基板９２０による第１特別図柄や第２特別図柄の変動表示及び確定表示と同期している。装飾図柄の変動表示においては、第１特別図柄や第２特別図柄の変動表示よりも複雑かつ多様な演出が実行される。なお、第１特別図柄や第２特別図柄の変動表示及び確定表示と装飾図柄の変動表示及び確定表示とは、必ずしも完全に一致するタイミングで変動開始したり、確定表示として停止表示をしたりする必要はなく、各タイミングに僅かな時間差を設けつつ略同じタイミングで変動を開始し、略同じタイミングで確定表示が行われる設定としても良い。
【００７６】
また、遊技盤４００は、各種の構造物の裏側に設けられた盤面発光装置４９０（図１０参照）を備えており、盤面発光装置４９０は、副制御基板９４０による制御に基づいて遊技進行に伴う各種の発光演出や発光による状態報知を実行する。
【００７７】
ここで、各種の遊技状態及び遊技状態間の移行について説明する。通常時の遊技状態（以下において「通常遊技状態」とも略記する）は、第１特別図柄、第２特別図柄及び普通図柄の変動表示時間が長い状態（以下において「非時短状態」とも称す）に対応する。
【００７８】
第１特別図柄抽選又は第２特別図柄抽選において大当りに当選した場合には、その当選に基づいて移行する特別遊技状態中に遊技球が特定通路（下大入賞装置４３３の内部通路）へ進入するか否かに対応して、特別遊技状態後に移行する遊技状態が異なる。特別遊技状態中に遊技球が特定通路へ進入しなかった場合には、第１特別図柄抽選、第２特別図柄及び普通図柄の変動表示時間が非時短状態よりも短い状態（以下において「時短状態」とも称す）であって、かつ、第１特別図柄抽選及び第２特別図柄抽選における大当りの当選確率が通常遊技状態と同一の状態（以下において「低確率状態」とも称す）である遊技状態（以下において「時短遊技状態」とも称す）へ移行する。一方、特別遊技状態中に遊技球が特定通路へ進入した場合には、時短状態であって、かつ、第１特別図柄抽選及び第２特別図柄抽選における大当りの当選確率が通常遊技状態より高い状態（以下において「高確率状態」とも称す）である遊技状態（以下において「確変遊技状態」とも称す）へ移行する。
【００７９】
時短遊技状態は、第１特別図柄及び第２特別図柄に係る単位遊技の総数が所定の回数（例えば、５０回）となるまで維持されるが、その後は通常遊技状態に戻る。また、確変遊技状態は、第１特別図柄及び第２特別図柄に係る単位遊技の総数が所定の回数（例えば、１００回）となるまで維持されるが、その後は通常遊技状態に戻る。
【００８０】
なお、遊技状態及び遊技状態間の移行について、必ずしも上述した構成とする必要はなく、例えば、高確率状態が次回の大当りの当選まで継続する構成としても良いし、他の内容によって上記遊技状態の少なくとも１つを構成しても良いし、上述した各遊技状態とは別の遊技状態を更に含む構成としても良いし、上述した条件とは異なる条件によって遊技状態間が移行する構成としても良い。
【００８１】
次に、遊技盤４００の主要な装置の動作について概ね時系列に沿って説明する。主制御基板９２０においては、特別図柄（第１特別図柄及び第２特別図柄で共通）に係る当選乱数、大当り図柄乱数、停止パターン乱数、各種の変動パターン乱数が生成されており、各種の遊技状態において第１特別図柄に係る右側中始動入賞装置４３１Ａに進入した遊技球が右側中始動入賞スイッチ４４１Ｂ（図１０参照）によって検出された場合に第１特別図柄の始動入賞となる。第１特別図柄の始動入賞時に、第１特別図柄に係る単位遊技の権利が最大回数まで保留されていない場合には、特別図柄に係る当選乱数、大当り図柄乱数及び停止パターン乱数が取得されて、主制御基板９２０のＲＡＭの所定の領域に格納される。
【００８２】
第１特別図柄の始動入賞に基づいて取得された乱数による単位遊技は、特別遊技状態中でなく、第１特別図柄又は第２特別図柄に係る単位遊技中でもなく、第１特別図柄及び第２特別図柄に係る単位遊技の権利が保留されていない場合には、それらの乱数の格納の直後に開始される。また、特別遊技状態中でない場合であっても、第１特別図柄又は第２特別図柄に係る単位遊技中や第１特別図柄又は第２特別図柄に係る単位遊技の権利が保留されている場合には、今回の入賞より前に保留されていた全ての特別図柄（第１特別図柄及び第２特別図柄）に係る単位遊技の終了後に、今回の始動入賞に基づく単位遊技が開始される。特別遊技状態中に第１特別図柄の始動入賞に基づいて各乱数が取得された場合には、その乱数による単位遊技は、特別遊技状態後において今回の始動入賞より前に保留されていた全ての特別図柄に係る単位遊技の後に開始される。
【００８３】
また、第１特別図柄の始動入賞に基づいて取得された乱数による単位遊技は、当該始動入賞より前に始動入賞が発生した第１特別図柄及び第２特別図柄に係る単位遊技の終了後に開始される。すなわち、始動入賞の順に第１特別図柄と第２特別図柄に係る単位遊技が実行される。
【００８４】
なお、必ずしも始動入賞の順に第１特別図柄と第２特別図柄に係る単位遊技が実行される構成とする必要はなく、いずれか一方の特別図柄が他の特別図柄に優先して実行される構成としても良く、例えば、第２特別図柄の始動入賞に基づく単位遊技が第１特別図柄に係る単位遊技に優先して実行される構成であっても良い。すなわち、第１特別図柄又は第２特別図柄に係る単位遊技中に、第１特別図柄の始動入賞となり、その後に第２特別図柄の始動入賞となった場合には、後から始動入賞となった第２特別図柄の始動入賞に基づく単位遊技が優先して実行される構成であっても良い。また、２つの特別図柄が択一的でなく同時に変動可能な構成であっても良い。
【００８５】
第１特別図柄の始動入賞に基づく第１特別図柄抽選において大当りに当選している場合には、更に、取得された大当り図柄乱数に基づいて第１特別図柄抽選の大当り当選に対応する停止図柄（大当り図柄）の種類が決定される。この停止図柄の種類と大当りの種類とが対応し、例えば、下進入規制機構４５３又は上進入規制機構４５４が進入許容姿勢をとる回数に相当するラウンド数（例えば、６ラウンドと１６ラウンド）や、特別遊技状態後に移行する遊技状態（確変遊技状態へ移行させるか否か）といった遊技状態の種類に対応して大当りの種類が複数種類設定され、その種類毎に大当り図柄が設定されている。第１特別図柄抽選において大当りに当選しなかった場合には、大当り図柄とは別のハズレ図柄が停止図柄として設定される。
【００８６】
第１特別図柄抽選の後に、現在の遊技状態、抽選結果、停止パターン乱数の値、各種の変動パターン乱数の値、第１特別図柄に係る単位遊技の権利の保留回数に基づいて、第１特別図柄の変動表示時間が決定されると共に、装飾図柄の変動パターンが選択される。その後、第１特別図柄に係る特別図柄表示装置４７１における第１特別図柄の変動表示及び装飾図柄表示装置４７９における装飾図柄の変動表示（変動演出）が開始され、第１特別図柄にあっては変動表示時間に亘って一定のパターンによる変動表示が継続され、装飾図柄にあっては変動表示時間に亘って変動パターンに従った変動表示が継続される。その後、変動表示時間の経過に伴って、第１特別図柄に係る停止図柄が確定表示され、また、装飾図柄として第１特別図柄の停止図柄に対応する図柄が確定表示される。第１特別図柄及び装飾図柄の確定表示は少なくとも所定の一定時間に亘って継続される。
【００８７】
第１特別図柄に係る停止図柄が大当り図柄である場合には、第１特別図柄の確定表示後に、遊技状態は特別遊技状態に移行する。特別遊技状態においては、下大入賞装置４３３の下進入規制機構４５３及び上大入賞装置４３４の上進入規制機構４５４が、大当りの種類に応じた所定の順序で所定の回数だけ進入許容姿勢となる。下進入規制機構４５３及び上進入規制機構４５４における各回の進入許容姿勢中において、所定の個数（例えば、８個）の遊技球が大入賞スイッチ４４３，４４４によって検出された場合、又は、所定の最大進入許容時間（例えば、２９．５秒）が経過した場合には、下進入規制機構４５３又は上進入規制機構４５４は進入禁止姿勢に移行する。その後、所定の進入禁止時間の経過後に、再度、下進入規制機構４５３又は上進入規制機構４５４のいずれかが進入許容姿勢に復帰する。この進入規制動作が大当りの種類に対応した所定の順序で所定の回数だけ繰り返される。
【００８８】
下進入規制機構４５３及び上進入規制機構４５４は、特別遊技状態中においていずれか一方のみが進入許容姿勢をとる構成とされ、特別遊技状態の開始から所定の待機時間が経過した後（オープニング期間後）に初回の進入許容姿勢に一方が移行する。また、最終回の進入禁止姿勢への復帰から所定の進入禁止時間が経過し、更にその後に所定の待機時間が経過した後（エンディング期間後）に特別遊技状態は終了する。特別遊技状態の終了後には、上述のように、時短遊技状態又は確変遊技状態に移行する。
【００８９】
各種の遊技状態において、第２特別図柄に係る始動装置である左側中始動入賞装置４３１Ｂ又は右始動入賞装置４３２に進入した遊技球が左側中始動入賞スイッチ４４１Ｂ（図１０参照）又は右始動入賞スイッチ４４２（図１０参照）によって検出された場合に第２特別図柄の始動入賞となる。第２特別図柄の始動入賞に基づく単位遊技の制御は、上述した第１特別図柄に係る制御と同様に実行される。すなわち、第２特別図柄の始動入賞時に第２特別図柄に係る単位遊技の権利が最大回数まで保留されていなければ、特別図柄に係る各乱数が取得されて、この始動入賞に基づく単位遊技が実行される。また、第２特別図柄抽選に応じた停止図柄の決定、装飾図柄の変動パターンの選択、変動表示の実行、及び、遊技状態の移行制御等についても、第１特別図柄に係る制御と同様に実行される。
【００９０】
ここで、第１特別図柄抽選と、第２特別図柄抽選とは、大当りの当選確率の設定と、ラウンド数と特別遊技状態後に移行する遊技状態とを組み合わせた大当りの種類の設定とが一致するものとして制御してもよいし、異なるものとして制御してもよく、以下、大当りの当選確率は両者で一致し、第２特別図柄抽選の方が第１特別図柄抽選より大当りの種類が遊技者に有利な場合を例示して説明する。
【００９１】
各種の遊技状態において、始動装置４３６に進入した遊技球が始動スイッチ４４６によって検出された場合、普通図柄に係る単位遊技の権利が最大回数まで保留されていなければ、普通図柄に係る当選乱数が取得されて、主制御基板９２０のＲＡＭの所定の領域に格納される。このとき、普通図柄に係る単位遊技中でなければ、その格納の直後に、その取得された普通図柄に係る単位遊技が開始される。一方、普通図柄に係る単位遊技中であれば、既得の普通図柄に係る単位遊技の権利に基づく単位遊技の終了後に、その取得された普通図柄に係る単位遊技が開始される。
【００９２】
普通図柄に係る単位遊技においては、当選乱数の値に基づいて当選したか否かが判定され、当選した場合には、停止図柄として所定の当り図柄が設定される。一方、普通図柄抽選において当選しなかった場合には、停止図柄として所定のハズレ図柄が設定される。普通図柄抽選後に、普通図柄表示装置４７３において普通図柄の変動表示が開始され、非時短状態にあっては所定の変動表示時間に亘って一定のパターンによる変動表示が継続され、時短状態にあっては非時短状態よりも短い所定の変動表示時間に亘って一定のパターンによる変動表示が継続される。遊技状態に応じた所定の時間の経過に伴って、普通図柄に係る停止図柄が一定時間に亘って確定表示される。
【００９３】
普通図柄に係る停止図柄が当り図柄である場合には、普通図柄の確定表示後に、右始動入賞装置４３２の右進入規制機構４５２が少なくとも１回は進入許容姿勢に移行する。具体的には、非時短状態（通常遊技状態及び特別遊技状態）において当選した場合には、右始動入賞装置４３２が所定の最大進入許容時間（例えば、略０．１秒）に亘って進入許容状態へ移行し、時短状態（時短遊技状態及び確変遊技状態）における当選の場合には、右始動入賞装置４３２が非時短状態の場合より長い所定の最大進入許容時間（例えば、略４．８秒）に亘って間欠的に（例えば、３回に分けて）進入許容姿勢に移行する。但し、所定の個数（例えば、１０個）の遊技球が右始動入賞スイッチ４４２によって検出された場合には、右進入規制機構４５２は最大進入許容時間の経過を待たずに進入禁止姿勢に移行し、また、進入許容姿勢への移行回数が所定の回数に到達していなくても、今回の普通図柄に係る単位遊技における右始動入賞装置４３２の動作が終了する。
【００９４】
次に、本実施形態のパチンコ機１００の遊技性について説明する。
【００９５】
右始動入賞装置４３２への始動入賞に基づく第２特別図柄抽選（以下、この抽選を「右側特別図柄抽選」と称することがある）を受けるためには、まず、普通図柄抽選において当選しなければならず、更に、その当選に基づく右始動入賞装置４３２の進入許容状態において遊技球が右始動入賞装置４３２へ進入しなければならない。通常遊技状態における普通図柄に係る当りの当選確率は時短遊技状態における当選確率と同一であるが、通常遊技状態における当りの当選に基づく右始動入賞装置４３２の進入許容状態の滞在時間（例えば、略０．１秒）が時短状態における滞在時間（例えば、略４．８秒）に比べて極めて短く設定されているために、通常遊技状態において、右側特別図柄抽選を受けられる単位時間当りの機会は、左右の中始動入賞装置４３１Ａ，４３１Ｂへの始動入賞装置に基づく第１特別図柄抽選及び第２特別図柄抽選（以下、これらの抽選を「中央側特別図柄抽選」と称することがある）を受けられる単位時間当りの機会よりも大幅に小さくしている。逆に、時短遊技状態や確変遊技状態等の時短状態においては、右側特別図柄抽選を受けられる単位時間当りの機会は、中央側特別図柄抽選を受けられる単位時間当りの機会よりも大幅に大きくしている。
【００９６】
したがって、遊技者は、中央側特別図柄抽選において大当りに当選し、その後の特別遊技状態において遊技球を特定通路へ進入させることによる確変遊技状態への移行を目指して遊技する。一方、時短遊技状態及び確変遊技状態においては、各遊技状態が終了する前に右側特別図柄抽選において大当りに当選することを目指して遊技する。
【００９７】
具体的には、遊技盤４００には、遊技球が流下する遊技領域の中央部に中央構造体４２０が設けられ、主に中央構造体４２０の左側から遊技球を流下させる遊技手法（左打ち遊技手法）と、主に中央構造体４２０の右側から遊技球を流下させる遊技手法（右打ち遊技手法）とが選択的に行える構成となっている。遊技者は、通常遊技状態においては、基本的に左打ち遊技手法によって遊技を行い、時短遊技状態及び確変遊技状態においては、右打ち遊技手法によって遊技を行う。また、下大入賞装置４３３及び上大入賞装置４３４が中央構造体４２０に対して右側に配置されているので、特別遊技状態においても右打ち遊技手法によって遊技を行う。
【００９８】
ここで、振分装置６００に対しては、２つの入球部６１２，６１３を通じて振分装置６００内に遊技球が進入可能な進入部として、３つの進入部Ａ１〜Ａ３が設けられている。具体的には、振分装置６００の上側には、振分装置６００に対して上側から振分装置６００内に進入可能な進入部（図７の矢印Ａ１の経路で振分装置６００内に進入可能な遊技球の入口部であり、以下、上側進入部Ａ１ともいう）が複数の釘４１１によって形成されている。また、振分装置６００の左側には、振分装置６００に対して左側から振分装置６００内に遊技球が進入可能な進入部（図７の矢印Ａ２を付した経路で振分装置６００内に進入可能な遊技球の入口部であり、以下、左側進入部Ａ２ともいう）が２本の釘４１１によって形成され、振分装置６００の右側には、振分装置６００に対して右側から振分装置６００内に遊技球が進入可能な進入部（図７の矢印Ａ３を付した経路で振分装置６００内に進入可能な遊技球の入口部であり、以下、右側進入部Ａ３ともいう）が２本の釘４１１によって形成されている。なお、上側進入部Ａ１、左側進入部Ａ２及び右側進入部Ａ３は、釘４１１によって各入口部分が構成されている場合を例示しているが、これに限らず、樹脂製の成形部品によって各入口部分が構成されてもよく、また、必ずしも振分装置６００とは別に入口部分が形成される必要はなく、振分装置６００の一部によって入口部分が構成されてもよい。
【００９９】
振分装置６００は、上述したように、入球部６１３の入口部分が左方を向いて矢印Ａ２の経路に沿って左側進入部Ａ２から遊技球を進入可能としつつ、入球部６１２の入口部分が上方を向いて矢印Ａ１の経路に沿って上側進入部Ａ１から遊技球を進入可能とする状態（例えば、図７および図１４（ａ）に示す状態であり、以下、「第１の振分状態」ともいう）を取り得る。また、振分装置６００は、入球部６１２の入口部分が右方を向いて矢印Ａ３の経路に沿って右側進入部Ａ３から遊技球を進入可能としつつ、入球部６１３の入口部分が上方を向いて矢印Ａ１の経路に沿って上側進入部Ａ１から矢印Ａ３の経路に沿って遊技球を進入可能とする状態（例えば、図１４（ｂ）に示す状態であり、以下、「第２の振分状態」ともいう）を取り得る。
【０１００】
これにより、入球部６１２の入口部分が上方を向き、入球部６１３の入口部分が左方を向く第１の振分状態では、例えば、振分装置６００に対する上側から下方へと（すなわち、図７における実線の矢印Ａ１方向に）流下する遊技球は、入球部６１２から振分装置６００に進入することができる。また、例えば、振分装置６００に対する左側から右方へと移動しながら（すなわち、図７における実線の矢印Ａ２方向に）流下する遊技球は、入球部６１３から振分装置６００に進入することができる。
【０１０１】
具体的には、入球部６１２の入口部分が上方を向き、入球部６１３の入口部分が左方を向く第１の振分状態においては、入口部分が上方を向く入球部６１２に進入可能な遊技球は、主として、ステージ４２２（図７参照）上を転動して入球部６１２の真上に形成された出口から転落し、または、ステージ４２２を経由しないで入球部６１２の左斜め上側から流下することで上側進入部Ａ１に到達した遊技球である。また、入口部分が左方を向く入球部６１３に進入可能な遊技球は、主として、中央構造体４２０の左側から下側を通って左側進入部Ａ２に到達した遊技球や、上側進入部Ａ１の入口部分で左側に逸れて流下することで左側進入部Ａ２に到達した遊技球である。一方、上側進入部Ａ１の入口部分で右側に逸れて流下したり、右打ち遊技手法によって遊技が行われることで遊技領域内を流下したりした遊技球は、右側進入部Ａ３の側へ案内され、振分装置６００に進入することができない。よって、入球部６１２の入口部分が上方を向き、入球部６１３の入口部分が左方を向く第１の状態においては、遊技者は、左打ち遊技手法によって遊技を行うことで、遊技球を入球部６１２または入球部６１３のいずれかに効率良く進入させることができる。
【０１０２】
一方、入球部６１２の入口部分が右方を向き、入球部６１３の入口部分が上方を向く第２の振分状態では、例えば、振分装置６００に対する右側から左方へと移動しながら（すなわち、図７における二点鎖線の矢印Ａ３方向に）流下して右側進入部Ａ３に到達した遊技球は、入球部６１２から振分装置６００に進入することができる。また、例えば、振分装置６００に対する上側から下方へと（すなわち、図７における実線の矢印Ａ１方向に）流下して上側進入部Ａ１に到達した遊技球は、入球部６１３から振分装置６００に進入することができる。
【０１０３】
具体的には、入球部６１２の入口部分が右方を向き、入球部６１３の入口部分が上方を向く第２の振分状態においては、入口部分が上方を向く入球部６１３に進入可能な遊技球は、入球部６１２の入口部分が上方を向く場合と同様、主として、ステージ４２２上を転動して入球部６１３の真上に形成された出口から転落し、または、ステージ４２２を経由しないで入球部６１２の左斜め上側から流下することで上側進入部Ａ１に到達した遊技球である。また、入口部分が右方を向く入球部６１２に進入可能な遊技球は、主として、中央構造体４２０の右側から下側を通って右側進入部Ａ３に到達した遊技球や、上側進入部Ａ１の入口部分で右側に逸れて流下することで右側進入部Ａ３に到達した遊技球である。一方、左打ち遊技手法によって遊技が行われる場合には、振分装置６００の左側を多数の遊技球が流下することとなって、左側進入部Ａ２の側へ多くの遊技球が案内されることとなるものの、左側進入部Ａ２からは振分装置６００に進入することができない。
【０１０４】
よって、入球部６１２の入口部分が右方を向き、入球部６１３の入口部分が上方を向く第２の振分状態においては、遊技者は、左打ち遊技手法によって遊技を行うことで、第１の振分状態における入球部６１２と略同一の確率で、入球部６１３に遊技球を進入させることができ、また、第１の振分状態における入球部６１３より低い確率で右側進入部Ａ３から入球部６１２に遊技球を進入させることができる。また、第２の振分状態においては、右打ち遊技手法によって遊技を行った場合には、左打ち遊技手法によって遊技を行った場合と比較して、高い確率で右側進入部Ａ３へ遊技球を到達させることができ、高い確率で入球部６１２に遊技球を進入させることができる。
【０１０５】
次に、後ブロック１０４について説明する。図８及び図９は、それぞれ、パチンコ機１００を示す背面側斜視図及び背面図である。なお、図８においては、理解の容易のために、外枠１０１を省略して示している。
【０１０６】
後ブロック１０４は、図８及び図９に示すように、基体５０１に他の部材や装置が取着されて構成されている。この基体５０１と中間ブロック１０３とが後ブロック支持機構１３６，１３７によって接続されることにより、後ブロック１０４が中間ブロック１０３に対して開閉可能に支持されている。
【０１０７】
後ブロック１０４は、遊技球を貯留する球貯留部としての遊技球タンク５１０と、遊技球タンク５１０の下流側に連続して遊技球を（例えば、１列に）整流させると共に１段に整列させる球整列部としてのタンクレール５２０と、タンクレール５２０の下流側においてタンクレール５２０から流入した遊技球を誘導する球誘導部としてのケースレール５３０と、ケースレール５３０の下流側において遊技球の払い出しや遊技球の貸し出しを実行する払出装置５４０と、払出装置５４０の下流側において払出装置５４０から流出した遊技球を基体５０１に形成された誘導通路（図示せず）に誘導する球誘導部としての誘導部材５５０と、払出装置５４０による遊技球の払い出しや遊技球の貸し出しを制御する払出制御装置５６０と、外部電力を各種の装置等で必要とする所定の電圧の電力に変換して出力する電力供給手段としての機能と発射操作装置２５０に対する発射操作に基づく遊技球の射出を主制御基板９２０と協同して制御する発射制御手段としての機能とを有する電源・発射制御装置５７０と、払出制御装置５６０及び遊技球貸出装置２９０（図１参照）とパチンコ機１００の側方に配置されるカードユニット（図示せず）との間の信号を中継する中継装置９５０とを備えている。
【０１０８】
基体５０１は、樹脂（例えば、ＡＢＳ樹脂）により一体成型されており、前側部分に対応するベース部５０２と、ベース部５０２よりも後方に位置した保護カバー部５０３とを含んでいる。ベース部５０２は、その上側部分が後ブロック１０４の外形に沿って略枠状に形成されると共に、下側部分が前後方向に厚みを有する略平坦状に形成されており、他の装置が取り付けられる被取付部としての機能を有している。
【０１０９】
保護カバー部５０３は、前後方向に厚みを有する略板状に形成されている。また、保護カバー部５０３は、中間ブロック１０３の背面全域を覆う形状でなく、主制御装置３７０の一部といった頻繁に検査や確認が必要な中間ブロック１０３の背面における一部をパチンコ機１００の背面に露出するための窓部を形成する大きさに設定されている。保護カバー部５０３の背面には、主制御装置３７０及び副制御装置３９０における発熱の放熱性を向上させる機能を有する多数の通気孔５０３Ａが形成されている。
【０１１０】
遊技球タンク５１０は、上方に開口した横長の箱型容器であり、その長手方向の一端側に、島設備の球循環装置（図示せず）から供給される遊技球が逐次補給される。遊技球タンク５１０における遊技球の供給される側と異なる長手方向の一端側には開口（図示せず）が形成されている。遊技球タンク５１０の底面は長手方向に緩やかに傾斜し、遊技球タンク５１０に供給された遊技球は開口側に自重によって移動する。また、遊技球タンク５１０の底面は、長手方向に比して、長手方向と直交する方向（前後方向）にも傾斜し、開口が設けられる側（例えば、前側）に優位に遊技球を誘導する。また、遊技球タンク５１０の底面には、その上に重なるようにして金属製の帯電防止板（図示せず）が取着され、帯電防止板が接地電位に接続されて遊技球タンク５１０内及びその下流側の遊技球の静電気が除去される。
【０１１１】
タンクレール５２０は、遊技球タンク５１０の開口が形成される側に取り付けられ、遊技球タンク５１０の開口を通して遊技球が流入する。タンクレール５２０は、遊技球が１列に並んで通過する幅を有する略樋状の遊技球の通路を形成する通路形成部材５２１と、通路形成部材５２１により形成される通路の上面として次第に高さが低くなる天面部を有してその通路を流下する遊技球を上下に重なった高さから次第に１段の高さに整流する整流部材５２２とを備えている。タンクレール５２０により形成される通路は、下流側に向けて緩やかに傾斜しており、遊技球タンク５１０とは反対側へ遊技球を誘導する。
【０１１２】
ケースレール５３０は、タンクレール５２０の下側に連続するように縦長に形成されており、タンクレール５２０からの遊技球が流入する。ケースレール５３０には、遊技球が勢いよく流れないように左右に湾曲しつつ下方に連続している。また、ケースレール５３０における球通路の途中部分には、球切れを検出するための球切れ検出部５３９が設けられている。球切れ検出部５３９には、貯留球スイッチ５９１（図１０参照）が内蔵され、貯留球スイッチ５９１によって、ケースレール５３０又はその上流側で球詰り等が発生してケースレール５３０内に遊技球が正常に補給されていない球切れ状態を検出する。
【０１１３】
払出装置５４０は、遊技球を送り出す送出機構と、送出機構を駆動する駆動手段としての払出モータ５４２（図１０参照）と、払出計数スイッチ５９２（図１０参照）とを備えている。払出制御装置５６０による制御に基づく払出モータ５４２の作動に応じて、球通路に貯留されている遊技球が下流側へ放出される。放出された遊技球の球通路の通過は、払出計数スイッチ５９２に検出され、これにより、払出制御装置５６０（払出制御基板９３０）が遊技球の払い出し数を計数する。
【０１１４】
払出制御装置５６０及び電源・発射制御装置５７０は、図８及び図９に示すように、後ブロック１０４の背面側下部に位置するように基体５０１のベース部５０２における下部背面に重なるようにして取り付けられている。これら払出制御装置５６０及び電源・発射制御装置５７０を含む後ブロック１０４は、機種変更等において遊技盤４００を別の遊技盤に交換した場合にも、継続利用可能とされている。
【０１１５】
払出制御装置５６０は、払出制御基板９３０（図１０参照）と、払出制御基板９３０を収容する基板ケースとを備え、払出制御基板９３０は、主制御基板９２０と同様に、開封の痕跡を残さずに開封できないように封止された基板ケースの内部に収容されている。
【０１１６】
電源・発射制御装置５７０は、電源・発射制御基板９００（図１０参照）と、電源・発射制御基板９００を収容する基板ケースとを備え、電源・発射制御基板９００は、主制御基板９２０と同様に、封止された基板ケースの内部に収容されている。
【０１１７】
＜電気的な構成＞
次に、パチンコ機１００の電気的構成について説明する。図１０は、パチンコ機１００の電気的構成を示すブロック図である。パチンコ機１００は、図１０に示すように、電源・発射制御基板９００、電源監視基板９１０、主制御基板９２０、払出制御基板９３０、副制御基板９４０等の制御回路装置を備えている。なお、図１０において、各種の信号を中継するだけの中継回路装置については省略している。以下に、これらの主要な制御回路装置を個別に詳細に説明する。
【０１１８】
電源・発射制御基板９００は、パチンコ機１００の各部に電源供給路（図中の破線）を介して所定の電圧の電力を供給する電源部９０１と、発射操作装置２５０の操作に応じて発射装置３３０の駆動を制御する発射制御部９０２と、初期化スイッチ９０７からの初期化信号や球溢れスイッチ２４９からの球溢れ信号を中継する信号中継部９０３とを備えている。
【０１１９】
電源部９０１は、外部より供給される外部電力（例えば、交流２４ボルト）を取り込んで内部電力（例えば、直流２４ボルト）に変換すると共に、その内部電力から各種の電力を生成する。電源部９０１により生成される電力は、各種のソレノイドや各種のモータ等の機器を駆動するための駆動用電圧（例えば、直流１２ボルト）の電力、各種のスイッチを駆動したり制御処理を実行したりするための制御用電圧（例えば、直流５ボルト）の電力、主制御基板９２０のＲＡＭの内容を保持させるためのバックアップ用電圧の電力等を含んでいる。
【０１２０】
電源部９０１は、内部電力から生成した各種の電力を、電源監視基板９１０、主制御基板９２０、払出制御基板９３０、副制御基板９４０等に供給する。具体的には、電源監視基板９１０に対しては、内部電力、駆動用電圧、制御用電圧及びバックアップ電圧の電力が供給される。主制御基板９２０に対しては、駆動用電圧、制御用電圧及びバックアップ電圧の電力が供給され、これら電力は、電源監視基板９１０の電源監視部９１１を介して供給される。払出制御基板９３０に対しては、駆動用電圧及び制御用電圧の電力が供給される。副制御基板９４０に対しては、駆動用電圧及び制御用電圧の電力が供給される。発射制御部９０２及び信号中継部９０３に対しては、駆動用電圧及び制御用電圧の電力が供給される。
【０１２１】
電源部９０１には、電源スイッチ９０９が接続されており、電源スイッチ９０９がオフ状態である場合には外部電力の取り込みが停止される。なお、電源スイッチ９０９をオフ状態にしたり、電源スイッチ９０９を介して電源部９０１に接続される電源プラグ（図示せず）を外部電力の供給コンセント（図示せず）から抜脱したりすることによってパチンコ機１００の内部への電力の供給が停止している状態や、外部電力自体の供給が停止している状態を「停電状態」と総称する。
【０１２２】
電源部９０１は、停電状態への移行後においても所定の期間にわたり制御用電圧の電力を正常に出力するように構成されている。これによって、主制御基板９２０は、現在の制御状態に復帰できるように状態を保存して制御を終了させることができる。
【０１２３】
発射制御部９０２は、主制御基板９２０と協同して、発射装置３３０の球送りソレノイド３３２及び発射ソレノイド３３４の駆動を制御する。なお、球送りソレノイド３３２及び発射ソレノイド３３４は、所定条件が整っている場合に作動が許可される。具体的には、遊技者が発射ハンドル２５２（図１参照）に触れていることが接触センサ２５４からの接触センサ信号に基づいて検知されていること、発射を停止させるための発射停止スイッチ２５５が操作されていないことを条件に、発射制御部９０２はオン状態の発射許可信号を主制御基板９２０に出力する。また、発射許可信号と発射異常信号とに基づいて主制御基板９２０は発射ソレノイド制御信号及び球送りソレノイド制御信号を発射制御部９０２に出力する。発射制御部９０２は、オン状態の球送り制御信号に基づいて球送りソレノイド３３２を作動させ、オン状態の発射ソレノイド制御信号の受信と可変抵抗器２５３の抵抗値とに基づいて発射ソレノイド３３４を作動させる。これによって、発射装置３３０から可変抵抗器２５３の抵抗値（発射ハンドル２５２の回転操作量）に応じた強さで遊技球が順次に発射される。
【０１２４】
信号中継部９０３は、初期化スイッチ９０７が押下された場合に、主制御基板９２０へオン状態の初期化信号を出力する。主制御基板９２０においては、オン状態の初期化信号の受信に応じて主制御基板９２０のＲＡＭに保存された保存情報を初期化する。なお、初期化スイッチ９０７は、必ずしも信号中継部９０３を介して主制御基板９２０に信号を出力する構成とする必要はなく、例えば、初期化スイッチ９０７を主制御基板９２０に直接搭載する等して基板ケース３７１内に初期化スイッチ９０７が収容される構成としても良く、これにより信号が伝送される区間を狙った不正な信号入力を抑止することができる。
【０１２５】
また、信号中継部９０３は、球溢れスイッチ２４９が遊技球を検出した場合に、主制御基板９２０へオン状態の球溢れ信号を出力する。主制御基板９２０においては、オン状態の球溢れ信号の検知に基づいて払出制御基板９３０に低速払出信号を出力し、低速払出信号を受信した払出制御基板９３０は、払出モータ５４２の回転速度（払出装置５４０からの遊技球の払出速度）を低速化させる。また、主制御基板９２０は、オフ状態の球溢れ信号の検知に基づいて払出制御基板９３０に高速払出信号を出力し、高速払出信号を受信した払出制御基板９３０は、払出モータ５４２の回転速度を高速化させる。
【０１２６】
電源監視基板９１０は、電源・発射制御基板９００からの電力供給状態を監視する電源監視部９１１と、電源・発射制御基板９００と主制御基板９２０との間の電力供給及び各種の信号の伝達を中継する信号中継部９１２とを含んでいる。電源監視部９１１は、停電状態への移行に応じて主制御基板９２０へ停電信号を出力するものでもあり、電源部９０１から出力される最大電圧である直流安定２４ボルトの電圧を監視し、この電圧が２２ボルト未満である状態が所定の時間だけ継続した場合に停電状態であると判断して、オン状態の停電信号を主制御基板９２０へ出力する。主制御基板９２０は、オン状態の停電信号の受信によって停電状態への移行を認識する。
【０１２７】
主制御基板９２０は、パチンコ機１００の動作を統括的に制御する。主制御基板９２０には、１チップマイコンとしてのＭＰＵ（図示せず）が搭載されている。ＭＰＵは、演算処理装置としてのＣＰＵ（図示せず）と、ＣＰＵにより実行される各種の制御プログラムや固定データを記憶したＲＯＭ（図示せず）と、制御プログラムの実行に際して一時的に各種のデータ等を記憶するＲＡＭ（図示せず）とを含んでいる。主制御基板９２０には、その他、タイマ回路（図示せず）、カウンタ回路（図示せず）、クロック発生回路（図示せず）、信号送受信回路（図示せず）等の各種回路が搭載されている。主制御基板９２０のＲＡＭは、停電状態への移行後においても電源・発射制御基板９００からのバックアップ電圧の電力供給によって内部データを維持（バックアップ）できる構成となっている。
【０１２８】
払出制御基板９３０は、主制御基板９２０からの指示に応じた払出装置５４０による遊技球の払い出し動作や遊技球貸出装置２９０の操作に応じた払出装置５４０による遊技球の貸し出し動作を制御する。払出制御基板９３０は、主制御基板９２０と同様に、ＣＰＵ（図示せず）、ＲＯＭ（図示せず）及びＲＡＭ（図示せず）を含む１チップマイコンとしてのＭＰＵ（図示せず）、タイマ回路（図示せず）、カウンタ回路（図示せず）、クロック発生回路（図示せず）、信号送受信回路（図示せず）等の各種回路が搭載されている。払出制御基板９３０は、他の装置と情報通信可能に接続する接続手段としての入出力ポートが搭載されており、例えば、主制御基板９２０及び中継装置９５０とは双方向の情報入出力通信が可能に接続され、開閉検出スイッチ１０８，１０９、貯留球スイッチ５９１、及び、払出計数スイッチ５９２とは、一方向のみの情報入力通信のみが可能に接続され、払出モータ５４２とは、一方向のみの情報出力通信のみが可能に接続されている。なお、払出制御基板９３０のＲＡＭは、主制御基板９２０のＲＡＭと同様に、停電状態において一定の期間にわたって内部データを維持可能とするバックアップ機能を有する構成としても良いし、主制御基板９２０のＲＡＭとは異なり、停電状態において内部データを維持しない構成としても良い。
【０１２９】
副制御基板９４０は、主制御基板９２０からの指示に基づいて、各種の演出装置や各種の発光装置や各種の音響装置等の動作を制御する。副制御基板９４０は、他の装置と情報通信可能に接続する接続手段としての入出力ポートが搭載されており、例えば、主制御基板９２０とは一方向のみの情報入力通信のみが可能に接続され、入力操作装置２６０とは双方向に情報通信可能に接続され、装飾図柄表示装置４７９等とは一方向の情報出力通信のみが可能に接続されている。
【０１３０】
＜各種の制御処理＞
次に、主制御基板９２０によって実行される各種の制御処理について説明する。主制御基板９２０における制御処理は、大別すると、停電状態からの復帰に伴い起動されるメイン処理と、定期的に（本形態では２ｍｓ（ミリ秒）周期で）メイン処理に割込みをかけて実行されるタイマ割込み処理とで構成されている。
【０１３１】
まず、図１１を参照して、主制御基板９２０によって実行されるメイン処理について説明する。図１１は、主制御基板９２０のメイン処理（図１１においては「主制御メイン処理」と略記）を示すフローチャートである。
【０１３２】
主制御基板９２０のメイン処理において、まず、主制御基板９２０の立ち上げや各種の情報を初期設定するための一連の制御開始処理（プログラム開始処理Ｓ１００１〜乱数初期設定処理Ｓ１０１９）が一度だけ実行され、その後は、割込みを禁止する割込み禁止処理Ｓ１０２０と、特別図柄に係る当選乱数初期値カウンタ（ＲＡＭの一部の領域）及び大当り図柄乱数初期値カウンタ（ＲＡＭの一部の領域）並びに普通図柄に係る当選乱数初期値カウンタ（ＲＡＭの一部の領域）の値を更新する乱数初期値更新処理Ｓ１０２１と、変動時間や変動パターン等を決定するための第１の変動種別カウンタ〜第４の変動種別カウンタ（ＲＡＭの一部の領域）の値を更新する変動用カウンタ更新処理Ｓ１０２２と、割込みを許可する割込み許可処理Ｓ１０２３とが繰り返し実行される。なお、割込み許可処理Ｓ１０２３の前にタイマ割込みの要求が発生した場合には、割込み許可処理Ｓ１０２３の直後にタイマ割込み処理が実行される。
【０１３３】
一連の制御開始処理において、プログラムの実行を制御するスタックポインタ（ＲＡＭの一部の領域）に初期値を設定するプログラム開始処理Ｓ１００１と、割込みモードを設定する割込みモード設定処理Ｓ１００２と、払出制御基板９３０及び副制御基板９４０等が立ち上がるまで所定の時間だけ待機する立上待機処理Ｓ１００３とが実行される。
【０１３４】
立上待機処理Ｓ１００３の後に、電源・発射制御基板９００の初期化スイッチ９０７からの初期化信号の出力状態の判定処理Ｓ１００４、停電情報（ＲＡＭの一部の領域）の値の判定処理Ｓ１００５、保存情報の記憶状態の判定処理Ｓ１００７が行われ、これらの判定結果に基づいてＲＡＭの保存情報を消去するか否かが判定される。ここで、保存情報とは、停電前の遊技の状態に復帰させるために必要な情報であって、停電前に遊技の進行に応じて更新されていたＲＡＭの一部の領域に対応し、実行中の単位遊技に関するカウンタの値や、始動入賞によって格納されたカウンタの値等が例示される。
【０１３５】
保存情報の記憶状態は、次のように判定される。まず、ＲＡＭの所定の範囲の記憶領域に対するチェックサム値を算出して（チェックサム算出処理Ｓ１００６）、その現在のチェックサム値と前回の停電状態への移行に伴い停電監視処理Ｓ１２０２（図１２参照）において算出されたチェックサム値の２の補数であるＲＡＭ判定値との排他的論理和が「０」であるか否か（判定処理Ｓ１００７）が判定され、これにより、現在のチェックサム値と停電状態への移行時のチェックサム値とが同一であるか否かが判定される。
【０１３６】
初期化信号がオン状態である場合（Ｓ１００４：Ｙ）、停電情報が停電状態への移行時に保存情報を保存して終了したことを示す所定の停電値でない場合（Ｓ１００５：Ｎ）、又は、保存情報が正常に保持されていない場合（Ｓ１００７：Ｎ）には、ＲＡＭの保存情報を消去するＲＡＭクリア処理Ｓ１００８が実行される。保存情報が正常に保持されていると判断された後（Ｓ１００７：Ｙ）、又は、ＲＡＭクリア処理Ｓ１００８が実行された後には、主制御基板９２０に接続されている各種の装置を初期化するハードウェア初期化処理Ｓ１００９が実行される。
【０１３７】
ハードウェア初期化処理Ｓ１００９の後には、停電情報が停電値であるか否かの判定処理Ｓ１０１０が実行される。停電情報が停電値である場合（Ｓ１０１０：Ｎ）には、保持情報の復帰を含め各種の情報を初期設定するＲＡＭ復帰設定処理Ｓ１０１１と、その設定完了を示す復帰コマンドが設定される（復帰コマンド出力処理Ｓ１０１２）。ＲＡＭ復帰設定処理Ｓ１０１１における保持情報の復帰によって、前回の停電状態への移行直前の制御状態に主制御基板９２０の制御状態が復帰する。
【０１３８】
一方、停電情報が停電値でない場合（Ｓ１０１０：Ｙ）には、保持情報の復帰は行わずに各種の情報が初期設定され（ＲＡＭ初期設定処理Ｓ１０１３）、その設定完了を示す初期化コマンドが出力される（初期化コマンド出力処理Ｓ１０１４）。
【０１３９】
なお、ＲＡＭ復帰設定処理Ｓ１０１１及びＲＡＭ初期設定処理Ｓ１０１３において、停電情報は停電値と異なる所定の通電値に設定され、また、前回の停電状態への移行直前において不正検知エラー等の各種のエラー状態が発生していてもそれらのエラー状態は全て解除される。また、主制御基板９２０から払出制御基板９３０及び副制御基板９４０の双方に復帰コマンドか初期化コマンドのいずれかが出力され、復帰コマンド又は初期化コマンドを受信した払出制御基板９３０及び副制御基板９４０の各々においても所定の初期化処理が実行される。
【０１４０】
立上時の状況に応じたＲＡＭの初期設定（判定処理Ｓ１００４〜初期化コマンド出力処理Ｓ１０１４）の後に、前回の停電状態への移行時に条件装置が作動していた場合には、特別遊技状態に復帰させるための準備が行われる（特別遊技状態復帰準備処理Ｓ１０１５）。具体的には、特別遊技状態復帰準備処理Ｓ１０１５においては、条件装置と役物連続作動装置の作動状態が判定され、停電状態時における遊技の状況に対応した処理が、副制御基板９４０において実行される。
【０１４１】
特別遊技状態復帰準備処理Ｓ１０１５の後には、時短状態フラグが設定されているか否かを判定することにより時短状態であるか非時短状態であるかが判定され（判定処理Ｓ１０１６）、時短状態である場合（Ｓ１０１６：Ｙ）には、時短コマンドが出力される（時短コマンド出力処理Ｓ１０１７）。一方、非時短状態である場合（Ｓ１０１６：Ｎ）には、非時短コマンドが出力される（非時短コマンド出力処理Ｓ１０１８）。その後、特別図柄に係る当選乱数カウンタ（ＲＡＭの一部の領域）の値が初期化される（乱数初期設定処理Ｓ１０１９）。
【０１４２】
次に、図１２を参照して、主制御基板９２０によって実行されるタイマ割込み処理について説明する。図１２は、主制御基板９２０によって実行されるタイマ割込み処理（図中では「主制御割込み処理」と略記）を示したフローチャートである。
【０１４３】
主制御基板９２０のタイマ割込み処理では、まず、タイマ割込みを開始させるための割込み開始処理Ｓ１２０１が実行される。具体的には、割込み制御レジスタに所定の値が設定される。これにより、本タイマ割込み以外の割込みが禁止される。その後に、パチンコ機１００の遊技の進行制御や各種センサの監視等といった実質的な制御に係る停電監視処理Ｓ１２０２〜外部情報出力処理Ｓ１２２１が順次に実行される。但し、各種の不正の検知に基づいて遊技進行が停止されている場合（Ｓ１２０７：Ｙ）には、制御信号出力処理Ｓ１２０８〜外部情報出力処理Ｓ１２２１は実行されない。最後に、次回のタイマ割込みを許可する割込み許可処理Ｓ１２２２が実行されて、今回のタイマ割込み処理が終了する。以下において、各種の主要な処理について個別に説明する。
【０１４４】
停電監視処理Ｓ１２０２においては、電源監視基板９１０の電源監視部９１１から出力されている停電信号の出力状態に基づいて停電情報（ＲＡＭの一部の領域）の値が更新される。具体的には停電信号の出力状態が３度に亘り確認され、３度ともオン状態が検出された場合に停電状態であると判定される。この判定において停電状態であると判定されなかった場合には、停電情報は通電値に維持される。
【０１４５】
一方、停電監視処理Ｓ１２０２において停電状態であると判定された場合には、以下の処理が実行される。まず、停電情報の値がＲＡＭ復帰設定処理Ｓ１０１１又はＲＡＭ初期設定処理Ｓ１０１３（図１１参照）において設定された通電値から所定の停電値に変更される。また、ＲＡＭの所定の範囲の記憶領域に対するチェックサム値を算出し、そのチェックサム値の２の補数をＲＡＭ判定値として設定する。これにより、パチンコ機１００は、遊技の進行や各種センサの監視等といった実質的な制御を行わない無限ループに入り、ＲＡＭ判定値が設定された後のＲＡＭの状態がバックアップ電力に基づいて保持される。なお、停電信号の出力状態が３度に亘り確認されるために、停電信号の受信を初めて検知してから、タイマ割込みの各処理は２回に亘り実行される。
【０１４６】
乱数更新処理Ｓ１２０３においては、特別図柄に係る当選乱数カウンタ、大当り図柄乱数カウンタ、停止パターン選択カウンタ及び普通図柄に係る当選乱数カウンタが更新される。具体的には、特別図柄に係る当選乱数カウンタの値が、規定最大値（例えば、「５７６」）と異なる値である場合には、現在値より「１」だけ大きい値に変更され、特別図柄に係る当選乱数カウンタの値が規定最大値である場合には、規定最小値（「０」）に変更される。但し、変更後の値が特別図柄に係る当選乱数カウンタに対する循環初期値と同一の値となる場合には、特別図柄に係る当選乱数カウンタの値が、特別図柄に係る当選乱数初期値カウンタと同一の値に設定され、また、循環初期値も当選乱数初期値カウンタと同一の値に設定される。
【０１４７】
大当り図柄乱数カウンタ、停止パターン選択カウンタ及び普通図柄に係る当選乱数カウンタについても、特別図柄に係る当選乱数カウンタの場合と同様にして更新される。ただし、各カウンタの規定最大値と規定最小値とにより定められる更新範囲としては各カウンタに固有の値が設定され、複数のカウンタが非同期で更新される構成とされ、各カウンタの循環初期値には各カウンタに固有の初期値カウンタが参照される。例えば、特別図柄に係る当選乱数カウンタと特別図柄に係る当選乱数初期値カウンタとは値の範囲が同一であり、大当り図柄乱数カウンタと大当り図柄乱数初期値カウンタとは値の範囲が同一であり、普通図柄に係る当選乱数カウンタと普通図柄に係る当選乱数初期値カウンタとは値の範囲が同一である。
【０１４８】
乱数初期値更新処理Ｓ１２０４においては、特別図柄に係る当選乱数初期値カウンタ、大当り図柄乱数初期値カウンタ及び普通図柄に係る当選乱数初期値カウンタが更新される。具体的には、特別図柄に係る当選乱数初期値カウンタの値が規定最大値（例えば、「５７６」）と異なる値である場合には、現在値より「１」だけ大きい値に変更され、特別図柄に係る当選乱数初期値カウンタの値が規定最大値である場合には、規定最小値（「０」）に変更される。特別図柄に係る図柄乱数初期値カウンタ及び普通図柄に係る当選乱数初期値カウンタについても、規定最大値や規定最小値がそれらのカウンタに固有の値であること以外は、特別図柄に係る当選乱数初期値カウンタの場合と同様にして更新される。
【０１４９】
変動用カウンタ更新処理Ｓ１２０５においては、変動時間や変動パターン等を決定するための第１の変動種別カウンタ〜第４の変動種別カウンタの値が更新される。具体的には、第１の変動種別カウンタの値が規定最大値（例えば、「１８７」）と異なる値である場合には、現在値より「１」だけ大きい値に変更され、第１の変動種別カウンタの値が規定最大値である場合には、規定最小値（「０」）に変更される。第２の変動種別カウンタ〜第４の変動種別カウンタについても、規定最大値や規定最小値がそれらのカウンタに固有の値であること以外は、第１の変動種別カウンタの場合と同様にして更新される。
【０１５０】
なお、特別図柄及び普通図柄に係る各当選乱数カウンタ、大当り図柄乱数カウンタ、停止パターン選択カウンタ並びに各変動種別カウンタは、必ずしも上記構成とする必要はなく、上記カウンタの少なくとも一部を他の構成としても良く、例えば、初期値カウンタを利用しないで一定の初期値から更新する構成としても良いし、プログラムを利用しないで乱数生成用ＩＣにより構成して必要に応じて値を参照する構成としても良い。
【０１５１】
遊技停止判定処理Ｓ１２０６においては、不正検知情報が不正検知値である場合には、遊技停止値に更新されると共に、遊技進行を停止させるための各種の情報が設定される。一方、不正検知情報が不正検知値でない場合や既に遊技停止値である場合には、遊技進行を停止させるための各処理は実行されずに遊技停止判定処理Ｓ１２０６は終了する。なお、不正検知情報は、不正検知処理Ｓ１２１１において各種の不正の発生が検知された場合に不正検知値に設定される。また、判定処理Ｓ１２０７においては、不正検知情報が遊技停止値であるか否かによって遊技停止中であるか否かが判定される。
【０１５２】
制御信号出力処理Ｓ１２０８においては、出力バッファに格納された制御データに基づいて、第１の特別図柄に係る特別図柄表示装置４７１、第２の特別図柄に係る特別図柄表示装置４７２及び普通図柄に係る普通図柄表示装置４７３等の各種の報知装置を制御する信号が出力される。また、出力バッファに格納された制御データに基づいて、球送りソレノイド３３２、発射ソレノイド３３４、右進入規制ソレノイド４６２、下進入規制ソレノイド４６３、上進入規制ソレノイド４６４、切換ソレノイド４６５等の各種のアクチュエータを制御する信号が出力される。
【０１５３】
スイッチ読込処理Ｓ１２０９においては、中始動入賞スイッチ４４１Ａ，４４１Ｂ、右始動入賞スイッチ４４２、下大入賞スイッチ４４３、上大入賞スイッチ４４４、役連作動スイッチ４４５、始動スイッチ４４６、非特定通路スイッチ４４７、特定通路スイッチ４４８、及び、一般入賞スイッチ４４９Ａ，４４９Ｂの各々からの信号状態が読み込まれて、各種のスイッチによる遊技球の検出状態の変化が検知される。
【０１５４】
具体的には、スイッチ読込処理Ｓ１２０９において、各種のスイッチからの信号状態が所定の時間間隔を隔てて２度に亘り入力バッファ（ＲＡＭの一部の領域）に読み込まれ、各種のスイッチからの信号ごとに、１回目に読み込まれた信号状態（以下において「第１の信号状態」と略記する）と、２回目に読み込まれた信号状態（以下において「第２の信号状態」と略記する）と、前回のタイマ割込みで検知された検出状態（以下において「前回の検出状態」と略記する）とに基づいて、各種のスイッチの検出状態の変化が検知される。そして、各スイッチに対して、前回の検出状態がオフ状態である場合において、第１の信号状態がオン状態であり、第２の信号状態がオン状態である場合には、オン状態移行と判断されて、スイッチの種類に応じた検出フラグ（ＲＡＭの一部の領域）が設定される。なお、停電監視処理Ｓ１２０２で説明したように、電源供給が停止したとしても、タイマ割込みの各処理が２回に亘り実行されるために、電源供給が停止した直後に各種のスイッチのオン状態が開始された場合であっても各種のスイッチの検出フラグを正確に設定することができる。
【０１５５】
タイマ更新処理Ｓ１２１０においては、特別図柄及び普通図柄の変動表示、各遊技状態の制御、及び、不正監視等に使用される各種のタイマ（ＲＡＭの所定の領域）が更新される。
【０１５６】
不正検知処理Ｓ１２１１においては、各種の入賞装置に強制的に遊技球を進入させたり、各種の入賞装置を強制的に作動させたりするような不正行為が検知される。具体的には、右始動入賞装置４３２、下大入賞装置４３３及び上大入賞装置４３４の強制的な進入許容姿勢への移動、加振による下大入賞装置４３３の特定通路への遊技球の誘導、電波による右始動入賞装置４３２、下大入賞装置４３３及び上大入賞装置４３４の強制的な誤作動の誘発、磁気吸着による各種の入賞装置への遊技球の誘導、右側中始動入賞装置４３１Ａ、左側中始動入賞装置４３１Ｂ、右始動入賞装置４３２、下大入賞装置４３３及び上大入賞装置４３４への異常なタイミングでの遊技球の誘導等の不正行為が行われた可能性の高い状況の発生を検知する。
【０１５７】
入賞検知応答処理Ｓ１２１２においては、遊技盤４００に設けられた各種のスイッチによる遊技球の検出に基づく制御が実行される。具体的には、右側中始動入賞スイッチ４４１Ａ（図１０参照）及び左側中始動入賞スイッチ４４１Ｂ（図１０参照）による遊技球の検出に基づいて、中始動入賞スイッチ検出フラグが設定されている場合には、中始動入賞カウンタ（ＲＡＭの所定の領域）及び第１払出カウンタ（ＲＡＭの所定の領域）が更新される。また、右始動入賞スイッチ４４２（図１０参照）による遊技球の検出に基づいて右始動入賞スイッチ検出フラグが設定されている場合には、第１払出カウンタが更新される。また、下大入賞スイッチ４４３（図１０参照）による遊技球の検出に基づいて下大入賞スイッチ検出フラグが設定されている場合や、上大入賞スイッチ４４４（図１０参照）による遊技球の検出に基づいて上大入賞スイッチ検出フラグが設定されている場合には、大入賞カウンタ（ＲＡＭの所定の領域）及び第２払出カウンタ（ＲＡＭの所定の領域）が更新される。
【０１５８】
発射制御処理Ｓ１２１３においては、発射装置３３０による遊技球の発射を制御するための発射関連情報が更新される。具体的には、球送り機構３３１を駆動する球送りソレノイド３３２の作動フラグ及び発射機構３３３を駆動する発射ソレノイド３３４の作動フラグが更新される。
【０１５９】
入力信号監視処理Ｓ１２１４においては、払出制御基板９３０を介した開閉検出スイッチ１０８（図１０参照）からの信号の出力状態に基づいて、外枠１０１（図１及び図２参照）に対して中間ブロック１０３（図１及び図２参照）が閉鎖されているか否かが検知される。また、払出制御基板９３０（図１０参照）を介した開閉検出スイッチ１０９からの信号の出力状態に基づいて、中間ブロック１０３（図２及び図３参照）に対して前ブロック１０２（図２及び図３参照）が閉鎖されているか否かが検知される。
【０１６０】
払出状態監視処理Ｓ１２１５においては、払出制御基板９３０から出力される払出制御状態を示す情報が監視され、必要に応じて、払出制御状態に応じた各種の払出状態コマンドが設定される。なお、払出状態コマンドを受信した副制御基板９４０は、払出状態コマンドの種類に応じた報知を装飾図柄表示装置４７９、左上音響装置２８１及び右上音響装置２８２等に実行させる。
【０１６１】
払出信号出力処理Ｓ１２１６においては、必要に応じて、第１払出カウンタ及び第２払出カウンタの値に基づいて各種の賞球コマンドを設定し、払出制御基板９３０に出力する。なお、第１払出カウンタ及び第２払出カウンタは、賞球コマンドの設定に応じて更新される。例えば、第１払出カウンタは、１回の入賞に相当する遊技球が検出される毎に１ずつ加算され、その入賞に基づく賞球コマンドが設定される毎に１ずつ減算される。払出制御基板９３０では、その入賞に対応する数（例えば、３個）の遊技球を払い出す制御を実行する毎に（詳細には、払い出しが完了する少し前に）、主制御基板９２０に賞球コマンドを要求し、賞球の払い出しが継続している状況においては、主制御基板９２０から更なる賞球コマンドが出力される。第２払出カウンタは、第１払出カウンタとは賞球数が異なる入賞（例えば、１３個）に対応して更新されるカウンタであり、第２払出カウンタの値に基づく賞球コマンドを払出制御基板９３０が受信した場合には、払出制御基板９３０は、その賞球コマンドに対応した数分の遊技球を払い出す制御を実行する。
【０１６２】
特別図柄関連処理Ｓ１２１７においては、第１特別図柄に係る単位遊技の権利の保留制御及び第１特別図柄に係る単位遊技の制御が実行される。具体的には、第１特別図柄に係る単位遊技の権利の保留制御において、第１特別図柄に係る特別図柄保留表示装置４７６の動作制御が実行される。また、第１特別図柄に係る単位遊技の制御において、第１特別図柄に係る特別図柄表示装置４７１の動作制御が実行され、第１特別図柄抽選において大当りに当選した場合には、下大入賞装置４３３及び上大入賞装置４３４の動作制御が更に実行される。
【０１６３】
また、特別図柄関連処理Ｓ１２１７においては、第２特別図柄に係る単位遊技の権利の保留制御及び第２特別図柄に係る単位遊技の制御が実行される。具体的には、第２特別図柄に係る単位遊技の権利の保留制御において、第２特別図柄に係る特別図柄保留表示装置４７７の動作制御が実行される。また、第２特別図柄に係る単位遊技の制御において、第２特別図柄に係る特別図柄表示装置４７２の動作制御が実行され、第２特別図柄抽選において大当りに当選した場合には、下大入賞装置４３３及び上大入賞装置４３４の動作制御が更に実行される。
【０１６４】
普通図柄関連処理Ｓ１２１８においては、普通図柄に係る単位遊技の権利の保留制御並びに普通図柄に係る単位遊技の制御が実行される。具体的には、普通図柄に係る単位遊技の権利の保留制御において、普通図柄保留表示装置４７８の動作制御が実行される。また、普通図柄に係る単位遊技の制御において、普通図柄に係る普通図柄表示装置４７３の動作制御が実行され、普通図柄抽選に当選した場合には更に右始動入賞装置４３２の動作制御が実行される。
【０１６５】
表示制御処理Ｓ１２１９においては、特別図柄関連処理Ｓ１２１７における第１特別図柄に係る特別図柄表示装置４７１、第２特別図柄に係る特別図柄表示装置４７２、第１特別図柄に係る特別図柄保留表示装置４７６及び第２特別図柄に係る特別図柄保留表示装置４７７等の動作を制御するために更新される各種の情報に基づいて、それらの装置を具体的に作動させるための出力データが合成される。合成された出力データは、次回のタイマ割込みに基づく制御信号出力処理Ｓ１２０８において各装置に出力される。
【０１６６】
モータ制御処理Ｓ１２２０においては、各種のモータの動作制御が実行される。外部情報出力処理Ｓ１２２１においては、パチンコ機１００に電気的に接続されるデータ表示装置（図示せず）や管理装置（図示せず）等の外部装置に出力する出力データが設定される。
【０１６７】
＜振分装置６００＞
次に図１３および図１４を参照して、振分装置６００の構成および動作について説明する。まず、図１３を参照して、振分装置６００の構造的構成について説明する。図１３（ａ）は、前側から見た振分装置６００の分解斜視図であり、図１３（ｂ）は、後側から見た振分装置６００の分解斜視図である。なお、図１３においては、左右の中始動入賞装置４３１Ａ，４３１Ｂと、各中始動入賞装置４３１Ａ，４３１Ｂに進入した遊技球を検出する左右の中始動入賞スイッチ４４１Ａ，４４１Ｂとを併せて図示している。また、図１３において、振分装置６００を組み立てるためのビスなどの固定部材や振分装置６００を遊技盤４００の基体４０１に取り付けるための取付部などの図示は省略している。
【０１６８】
図１３に示すように、振分装置６００は、回転部６１０と、前カバー６２０と、仕切板６３０と、振分部６４０と、裏カバー６５０と、軸６６０を備えている。
【０１６９】
前カバー６２０は、正面視において（すなわち、前側から見て）左右対称の形状に構成される樹脂部品である。前カバー６２０の上部中央には、回転部６１０における入球部６１２または入球部６１３に進入した遊技球を振分部６４０に案内する正面視Ｕ字状の振分用通路６２１が設けられている。
【０１７０】
前カバー６２０の前側には、図１３（ａ）に示すように、振分用通路６２１より下方の位置に、入球部６１２または入球部６１３に進入した遊技球を前カバー６２０の裏側へと案内する２つの開口６２２，６２３が形成されている。より詳細には、前カバー６２０の前側には、開口６２２が正面視左側に形成され、開口６２３が正面視右側に形成されている。また、前カバー６２０の前側には、開口６２２，６２３のそれぞれ下方には開口６２４および開口６２５が形成されている。
【０１７１】
開口６２４の直下には、左側中始動入賞装置４３１Ｂが、ベース板６１１から前面側に張り出して上側が入口部分として開口されたポケット状の形態で設けられている。これにより、開口６２４から排出された遊技球は、基本的に左側中始動入賞装置４３１Ｂに進入し、当該左側中始動入賞装置４３１Ｂの内部に設けられた左側中始動入賞スイッチ４４１Ｂに検出される。
【０１７２】
同様に、開口６２５の直下には、右側中始動入賞装置４３１Ａが、ベース板６１１から前面側に張り出して上側が入口部分として開口されたポケット状の形態で設けられている。これにより、開口６２５から排出された遊技球は、基本的に右側中始動入賞装置４３１Ｂに進入し、当該右側中始動入賞装置４３１Ａの内部に設けられた右側中始動入賞スイッチ４４１Ａに検出される。
【０１７３】
振分装置６００の周囲に配置される釘４１１は、図７に示すように、開口６２４の左側および開口６２５の右側において遊技球が通過可能に離間されており、それにより、開口６２４，６２５から排出された遊技球の一部が、左右いずれの中始動入賞装置４３１Ａ，４３１Ｂに進入することなく、非常に低確率で排出可能に構成される。開口６２４，６２５から排出された遊技球が、右側中始動入賞装置４３１Ａまたは左側中始動入賞装置４３１Ｂに進入することなく、釘４１１の間から排出される確率としては、例えば、略１／１００以下の確率であってもよく、略１／１０００以下の確率であることが好ましい。
【０１７４】
なお、開口６２４，６２５から排出された遊技球の一部を、左右いずれの中始動入賞装置４３１Ａ，４３１Ｂに進入させることなく、非常に低確率で排出させる構成は、本実施形態のように、釘４１１の配置によって実現することに限らず、開口６２４の左側および開口６２５の右側に遊技球が通過可能に開口された樹脂製の壁部を振分装置６００の前面側に設けることで実現してもよい。
【０１７５】
一方、前カバー６２０の裏側には、図１３（ｂ）に示すように、正面視において右上に位置する開口６２２と右下に位置する開口６２４とを繋ぐ流下通路として機能する溝部６２６が形成されるとともに、正面視において左上に位置する開口６２３と左下に位置する開口６２５とを繋ぐ流下通路として機能する溝部６２７が形成される。
【０１７６】
また、図１３（ｂ）に示すように、溝部６２６における開口６２４のやや上方となる位置には、溝部６２６の底側（すなわち、前カバー６２０の前面側）から当該溝部６２６の開口側（すなわち、振分装置６００の奥側）に向けて立設された板状の誘導部６２８が配設されている。同様に、溝部６２７における開口６２５のやや上方となる位置には、溝部６２７の底側から当該溝部６２７の開口側に向けて立設された板状の誘導部６２９が配設されている。
【０１７７】
誘導部６２８，６２９は、その上面が、いずれも、各溝部６２６，６２７の底側から開口側に向けて下方傾斜する傾斜面となっているので、開口６２２，６２３から進入して溝部６２６，６２７による流下通路を流下する遊技球は、誘導部６２８，６２９によって一旦奥側へと誘導される。
【０１７８】
振分用通路６２１の下側であって、開口６２２と開口６２３との間となる位置には、前カバー６２０の左右対称軸上に前後方向に貫通形成された貫通孔が形成される。当該貫通孔には、金属製の軸６６０が回動可能に軸通される。
【０１７９】
回転部６１０は、ベース板６１１と、ベース板６１１から前面側に張り出してベース板６１１の外周側が入口部分として開口されたポケット状の入球部６１２，６１３（図１３（ａ）参照）と、ベース板６１１の裏面側略中央に突出形成された軸穴６１４（図１３（ｂ）参照）と、壁部６１５〜６１７を備えた樹脂製部品である。
【０１８０】
回転部６１０は、後側に配置される振分部６４０の向きを前側から視認可能なように無色透明、又は、有色透明な樹脂により構成されている。また、回転部６１０の前面側に相当するベース板６１１の前面と、２つの入球部６１２，６１３の前面には、遊技機メーカー又は機種に対応した画像（例えば、星形のマーク）による装飾が塗装や印刷によって施されている。なお、回転部６１０の前面側に施す装飾は、２つの入球部６１２，６１３及びベース板６１１のいずれかに設けてもよく、また、前後方向に厚みを有する立体的な装飾を２つの入球部６１２，６１３の前面及びベース板６１１の前面のいずれかに対して前方に突出させて設けもよい。
【０１８１】
２つの入球部６１２，６１３は、遊技領域の後側の平面部分を構成する基体４０１（図３参照）の前面より前側に突出して配置される。また、２つの入球部６１２，６１３の一部としての前面部分は、遊技領域を流下して振分装置６００に進入する遊技球が当該前面部分より後側に進入可能となるように、遊技領域の前側の平面を構成する中央パネル２２０の後方板２２３（図３参照）に対面し、且つ、近接するようにして配置されている。
【０１８２】
２つの入球部６１２，６１３の入口周縁部に対して左右両側には、壁部６１５〜６１７が、軸穴６１４を中心にした円弧形状が前後に延びた板状に連続している。
【０１８３】
正面視において、右側の壁部６１５は、右側進入部Ａ３（図７参照）に入球部６１２が位置しない第１の振分状態において、右側進入部Ａ３に到達した遊技球が振分装置６００の側に進入せずに遊技領域を流下するように、右側進入部Ａ３を閉塞する。左側の壁部６１６は、左側進入部Ａ２（図７参照）に入球部６１３が位置しない第２の振分状態において、左側進入部Ａ２に到達した遊技球が振分装置６００の側に進入せずに遊技領域を流下するように、左側進入部Ａ２を閉塞する。中央の壁部６１７は、２つの入球部６１２，６１３の間を閉塞し、回転部６１０の回動中に２つの入球部６１２，６１３の間に遊技球の一部が進入しないようにして回転部６１０の動作をスムースにするように機能する。
【０１８４】
回転部６１０における２つの入球部６１２，６１３は、一方の入球部の出口部分が前カバー６２０における振分用通路６２１に接続した場合に、他方の入球部の出口部分が前カバー６２０における開口６２２または開口６２３の一方に接続するように配置されている。
【０１８５】
回転部６１０は、軸６６０の前端側を軸穴６１４に挿入することで当該軸６６０に軸着され、それにより、前カバー６２０の前方にて回動可能に取り付けられる。より詳細には、回転部６１０は、入球部６１２の出口部分が前カバー６２０における振分用通路６２１に接続する一方で、入球部６１３の出口部分が前カバー６２０における開口６２２に接続する位置（以下、この位置を「第１位置」と称す）と、入球部６１３の出口部分が振分用通路６２１に接続する一方で、入球部６１３の出口部分が開口６２３に接続する位置（以下、この位置を「第２位置」と称す）との間を、第１位置から第２位置に向かう正面視時計回りの回動、および、その逆向きとなる第２位置から第１位置に向かう正面視反時計回りの回動が可能に取り付けられる。なお、詳細は後述するが、回転部６１０は、振分部６４０が遊技球の振り分けを行う動作に同期して回動する。
【０１８６】
ベース板６１１には、回転部６１０が第１位置にある場合に、前カバー６２０における開口６２４の上方に形成された段部６２０Ａに係合する切欠部６１１Ａと、回転部６１０が第２位置にある場合に、前カバー６２０における開口６２５の上方に形成された段部６２０Ｂに係合する切欠部６１１Ｂとが形成されている。これにより、回転部６１０は、第１位置を越えて正面視反時計回りに回転することが規制されるとともに、第２位置を越えて正面視時計回りに回転することが規制される。
【０１８７】
仕切板６３０は、前カバー６２０における溝部６２６，６２７の開口側、より詳細には、溝部６２６，６２７において開口６２２および開口６２３に連通する上流側部分を覆う樹脂製の板である。仕切板６３０は、振分用通路６２１および軸６６０を避けるための凹部６３０Ａを有する正面視略Ｕ字の形状に構成される。
【０１８８】
仕切板６３０は、開口６２４または開口６２５から進入した遊技球が振分部６４０に接触することを防止する機能を有し、これにより、開口６２４または開口６２５から進入した遊技球によって振分部６４０の動作に不具合が生じることを防止できる。また、仕切板６３０は、振分用通路６２１を通過した遊技球が振分部６４０により振り分けられる際に前方に落下することを防止する機能を有し、これにより、振分部６４０により振り分けられた遊技球の流下方向を整えることができる。
【０１８９】
振分部６４０は、前面側に軸穴６４１Ａが形成された円筒状の軸部６４１と、軸部６４１の後端側に当該軸部６４１に対し３方向に放射状に延びる３つの板状のアーム６４２，６４３，６４４とを備えた樹脂製部品である。
【０１９０】
アーム６４３およびアーム６４４は、正面視（前側から見て）においてアーム６４２に対しそれぞれ左側および右側に略直交する向きに延びるよう配置される。アーム６４２とアーム６４３との間は、アーム６４２を直上方向に向けた場合に正面視において左下方向に下降傾斜する連結部６４５が設けられ、アーム６４２とアーム６４４との間は、アーム６４２を直上方向に向けた場合に正面視において右下方向に下降傾斜する連結部６４６が設けられている。
【０１９１】
振分部６４０は、軸６６０の後端側を軸穴６４１Ａに挿入することで当該軸６６０に軸着され、それにより、仕切板６３０の後方に当該前カバー６２０に対して回動可能に装着される。軸６６０の前端側には上述したように回転部６１０が軸着され、振分部６４０と軸６６０と回転部６１０とが一体化された状態で動作する。このため、振分部６４０および回転部６１０は、一方が回動した場合に他方も同時に回動し、同期して回動する。
【０１９２】
なお、上述したように、回転部６１０は第１位置を越えて正面視反時計回りに回転することが規制されているので、回転部６１０が第１位置にある場合、振分部６４０もまた、それ以上正面視反時計回りに回転することはできない。同様に、回転部６１０は第２位置を越えて正面視時計回りに回転することが規制されているので、回転部６１０が第２位置にある場合、振分部６４０もまた、それ以上正面視時計回りに回転することはできない。
【０１９３】
振分部６４０は、回転部６１０に対し、正面視において、当該回転部６１０の入球部６１２と入球部６１３との間にアーム６４２が配置されるよう軸６６０に取り付けられる（図１４（ｃ）参照）。これにより、回転部６１０が第１位置にある場合、すなわち、入球部６１２の出口部分が振分用通路６２１に接続される場合には、アーム６４２、連結部６４６、およびアーム６４４の各面により形成される凹状の球受部が振分用通路６２１に向けられる。よって、回転部６１０が第１位置にある場合、振分用通路６２１から排出された遊技球は、アーム６４２と連結部６４６とアーム６４４とから形成される凹状の球受部に進入する。当該凹部に遊技球が進入した場合、当該遊技球の自重がアーム６４４にかかることで、振分部６４０は正面視時計回りに回動し、当該遊技球を正面視右側に振り分ける。
【０１９４】
その一方で、回転部６１０が第２位置にある場合、すなわち、入球部６１３の出口部分が振分用通路６２１に接続される場合には、アーム６４２、連結部６４５、およびアーム６４３における軸部６４１とは反対側を向く各面が振分用通路６２１に向けられる。よって、回転部６１０が第２位置にある場合、振分用通路６２１から排出された遊技球は、アーム６４２と連結部６４５とアーム６４３とから形成される凹状の球受部に進入する。当該球受部に遊技球が進入した場合、当該遊技球の自重がアーム６４３にかかることで、振分部６４０は正面視反時計回りに回動し、当該遊技球を振分部６４０正面視左側に振り分ける。
【０１９５】
裏カバー６５０は、図１３（ａ）に示すように、仕切板６３０の裏側（後側）に位置して振分部６４０を収容する凹部６５１と、溝部６２６の下流側部分の裏側に位置して、振分装置６００に進入した遊技球を開口６２４に案内する流下通路を構成する凹部６５２と、溝部６２７の下流側部分の裏側に位置して、振分装置６００に進入した遊技球を開口６２５に案内する流下通路を構成する凹部６５３とを備えた樹脂製部品である。
【０１９６】
凹部６５２および凹部６５３は、いずれも、下流側が開口６２４または開口６２５に向かって（すなわち、前方に向かって）次第に傾斜が緩くなる曲線的な傾斜面を有する。よって、振分部６４０により振り分けられた遊技球、開口６２２から進入して誘導部６２８により奥側へと誘導された遊技球、または、開口６２３から進入して誘導部６２９により奥側へと誘導された遊技球は、凹部６５２または凹部６５３における傾斜面によってスムースに開口６２４または開口６２５へと流下する。
【０１９７】
次に、図１４を参照して、振分装置６００に遊技球が進入した場合における振分装置６００の動作、および、振分装置６００に進入した遊技球の流下経路について説明する。図１４（ａ）は、回転部６１０が第１位置にある振分装置６００の正面図であり、図１４（ｂ）は、回転部６１０が第２位置にある振分装置６００の正面図である。なお、図１４（ａ）および図１４（ｂ）においては、振分装置６００の周囲に配置された釘４１１を併せて図示している。
【０１９８】
また、図１４（ｃ）は、回転部６１０が第１位置にある状態（すなわち、図１４（ａ）の状態）で入球部６１２から遊技球が進入した場合における遊技球の流下経路を説明するための図であり、具体的には、裏カバー６５０を取り外した振分装置６００の背面図である。また、図１４（ｄ）は、回転部６１０が第１位置にある状態で入球部６１２から遊技球が進入した場合における遊技球の流下経路を説明するための図であり、具体的には、裏カバー６５０および仕切板６３０を取り外した振分装置６００の背面図である。
【０１９９】
振分装置６００は、釘４１１によって形成される上側進入部Ａ１に連続するように一方の入球部が開口し、左側進入部Ａ２又は右側進入部Ａ３に連続するように他方の入球部が開口する位置に配置される。図１４（ａ）に示すように、回転部６１０が第１位置にある場合、回転部６１０に形成された２つの入球部６１２，６１３のうち、入球部６１２の入口部分が上方を向き、入球部６１３の入口部分が左方を向く。よって、回転部６１０が第１位置にある場合、振分装置６００に対して上側に設けられる上側進入部Ａ１を通過する遊技球、または、振分装置６００に対して左側に設けられる左側進入部Ａ２を通過する遊技球を入球部６１２または入球部６１３から振分装置６００に進入させることが可能である。
【０２００】
また、回転部６１０が第１位置にある場合、右側進入部Ａ３に対しては、振分装置６００に設けられる遊技球の入口部分が連続せずに右側進入部Ａ３から先への遊技球の進入が回転部６１０の壁部６１５によって阻止される。このため、振分装置６００の右方を流下する遊技球を当該振分装置６００に進入させることはできない。
【０２０１】
その一方で、図１４（ｂ）に示すように、回転部６１０が第２位置にある場合、回転部６１０に形成された２つの入球部６１２，６１３のうち、入球部６１２の入口部分が右方を向き、入球部６１３の入口部分が上方を向く。よって、回転部６１０が第２位置にある場合、振分装置６００に対して上側に設けられる上側進入部Ａ１を通過する遊技球、または、振分装置６００に対して右側に設けられる右側進入部Ａ３を通過する遊技球を入球部６１２または入球部６１３から振分装置６００に進入させることが可能である。
【０２０２】
また、回転部６１０が第２位置にある場合、左側進入部Ａ２に対しては、振分装置６００に設けられる遊技球の入口部分が連続せずに左側進入部Ａ２から先への遊技球の進入が回転部６１０の壁部６１６によって阻止される。このため、振分装置６００の左方を流下する遊技球を当該振分装置６００に進入させることはできない。
【０２０３】
回転部６１０が第１位置にある第１の振分状態（図１４（ａ）の状態）で入球部６１２から遊技球が進入した場合、当該遊技球は、図１４（ｃ）に示す矢印Ｑ１の経路で振分装置６００内を流下する。つまり、入球部６１２から進入した遊技球は、振分用通路６２１を通り、アーム６４２と連結部６４６とアーム６４４とから形成される凹状の球受部に進入する。遊技球が当該球受部に進入したことで、振分部６４０は遊技球の自重によって正面視時計回り（すなわち、裏側から見て反時計回り）に回動し、それにより、遊技球は正面視右側（裏面側から見て左側）に振り分けられる。振分部６４０により正面視右側に振り分けられた遊技球は、仕切板６３０と裏カバー６５０との間を通って開口６２５まで流下して開口６２５から排出される。
【０２０４】
第１位置にある回転部６１０の入球部６１２に遊技球が進入したことで振分部６４０が正面視時計回り（すなわち、裏側から見て反時計回り）である矢印Ｂ方向に回動した場合、回転部６１０もまた、振分部６４０の回動に同期して矢印Ｂ方向（すなわち、正面視時計回りであり、裏側から見て反時計回り）に回動する。これにより、回転部６１０は、図１４（ａ）に示す第１位置から、図１４（ｂ）に示す第２位置へと移行する。
【０２０５】
これに対し、回転部６１０が第１位置にある状態で入球部６１３から遊技球が進入した場合、当該遊技球は、図１４（ｄ）に示す矢印Ｑ２の経路で振分装置６００内を流下する。つまり、入球部６１３から開口６２３を経て進入した遊技球は、前カバー６２０と仕切板６３０との間を通って誘導部６２８まで流下し、当該誘導部６２８によって奥側（裏側）へと誘導された後、開口６２４に向かって前方に流下する。
【０２０６】
回転部６１０が第１位置にある状態で入球部６１３に遊技球が進入した場合、振分部６４０が当該遊技球によって回動することはないので、回転部６１０もまた回動することはない。つまり、回転部６１０が第１位置にある状態で入球部６１３に遊技球が進入した場合、回転部６１０は第１位置のまま保持される。
【０２０７】
なお、図示はしないが、回転部６１０が第２位置にある第２の振分状態（図１４（ｂ）の状態）で入球部６１３から遊技球が進入した場合、当該遊技球は、振分用通路６２１を通り、アーム６４２と連結部６４５とアーム６４３とから形成される凹状の球受部に進入する。これにより、振分部６４０は当該球受部に進入した遊技球の自重によって正面視反時計回り（すなわち、裏側から見て時計回り）に回動するので、遊技球は正面視左側（裏面側から見て右側）に振り分けられる。
【０２０８】
振分部６４０により正面視左側に振り分けられた遊技球は、仕切板６３０と裏カバー６５０との間を通って開口６２４まで流下する。かかる場合、回転部６１０は、振分部６４０の回動に同期して正面視反時計回りに回動するので、図１４（ｂ）に示す第２位置から、図１４（ａ）に示す第１位置へと移行する。
【０２０９】
また、回転部６１０が第２位置にある状態で入球部６１２から開口６２３を経て遊技球が進入した場合、当該遊技球は、前カバー６２０と仕切板６３０との間を流下して誘導部６２９に到達し、誘導部６２９により奥側（裏側）へと誘導された後、開口６２５まで流下して開口６２５から排出される。かかる場合、振分部６４０が回動することはないので、回転部６１０もまた回動することはない。つまり、回転部６１０が第２位置にある状態で入球部６１２に遊技球が進入した場合、回転部６１０は第２位置のまま保持される。
【０２１０】
次に、以上説明したパチンコ機１００の作用及び効果を説明する。
【０２１１】
本実施形態のパチンコ機１００においては、振分部６４０が回動して遊技球を振り分ける毎に、回転部６１０が当該振分部６４０の回動に同期して回動し、それによって、振分装置６００への遊技球の入口となる入球部６１２および入球部６１３の位置が変化する。よって、振分部６４０が遊技球を振り分ける毎に、振分装置６００への遊技球の入口（すなわち、入球部６１２および入球部６１３）の位置が見た目に都度変化するので、振分部６４０により遊技球を振り分ける遊技に面白味を付加することができ、それにより、当該遊技の単調化を抑制できる。
【０２１２】
特に、回転部６１０と振分部６４０とは軸６６０の両端に各々軸着されて一体化されているので、回転部６１０を振分部６４０の回動に同期して動作させることができる。よって、振分部６４０により遊技球を振り分ける遊技の単調化を、消費電力の増大を防ぎつつ抑制することができる。
【０２１３】
また、本実施形態のパチンコ機１００においては、入球部６１２または入球部６１３のうち、いずれの入球部の入口部分が上方を向くかに応じて、振分部６４０により振り分けられた遊技球が、右側中始動入賞装置４３１Ａに進入するか（すなわち、第１特別図柄の始動入賞となるか）、左側中始動入賞装置４３１Ｂに進入するか（すなわち、第２特別図柄の始動入賞となるか）が異なる。よって、遊技者は、入球部６１２または入球部６１３のうち入口部分が上方を向いて開口する入球部に注目することで、振分部６４０が、遊技球を左右の中始動入賞装置４３１Ａ，４３１Ｂのうちいずれの始動装置の側に振り分けるかを予測することができる。
【０２１４】
従来の遊技機においては、一般的に、所定の入口から進入した遊技球が振分部によってどの振り分け先に振り分けられるかを遊技者が判断し難い構成であったのに対し、本実施形態のパチンコ機１００においては、上述のように、遊技者は、回転部６１０の見た目（より詳細には、入球部６１２および入球部６１３の各入口部分の開口向き）から振分部６４０による遊技球の振り分け先を予測できる。よって、遊技者は、上向きといった特定の方向に入口部分が開口する入球部が、どの入球部であるかに応じて期待の度合い、特に、第１特別図柄抽選または第２特別図柄抽選のいずれの抽選が行われるかに対する期待の度合いを変動させながら遊技球の発射操作を行うことができる。従って、この点においても、振分部６４０により遊技球を振り分ける遊技の単調化を抑制できる。
【０２１５】
また、回転部６１０におけるベース板６１１の前面側に装飾が施されて後側に配置される振分部６４０が視認し難くても、回転部６１０の見た目（より詳細には、入球部６１２および入球部６１３の各入口部分の開口向き）から振分部６４０による遊技球の振り分け先を予測することができる。例えば、回転部６１０におけるベース板６１１の前面側に後方側が視認し難くなる濃色の装飾を施して、当該ベース板６１１を介して振分部６４０が視認し難くなって遊技球の振り分け先の確認が難しくなった場合であっても、遊技者は、回転部６１０の見た目から振分部６４０による遊技球の振り分け先を予測することができる。このため、回転部６１０の装飾について色や形状の制限を少なくして遊技機メーカーや機種に対応した装飾の自由度を高めることができ、振分部６４０により遊技球を振り分ける遊技の単調化を好適に抑制することができる。
【０２１６】
また、本実施形態のパチンコ機１００においては、遊技者は、上述したように、特別遊技状態において、遊技球が下大入賞装置４３３または上大入賞装置４３４に進入するよう右打ち遊技手法による遊技を行う。遊技盤４００における右側の遊技領域には、第２特別図柄に係る始動装置である右始動入賞装置４３２が設けられているので、特別遊技状態においては第２特別図柄に係る単位遊技の権利が保留され易いが、第２特別図柄に係る単位遊技の権利の保留は最大４回までと制限されているので、右打ち遊技手法による遊技を行っている間に、遊技球が右始動入賞装置４３２に進入した第２特別図柄に係る単位遊技の権利が発生したとしても、保留されている権利が最大（すなわち、４回）に達していれば、発生した権利を保留することができず、当該権利を無駄にしてしまう。
【０２１７】
これに対し、本実施形態のパチンコ機１００においては、回転部６１０を第２位置とすることで、右打ち遊技手法により発射した遊技球を入球部６１２に進入させることができる。回転部６１０が第２位置にある場合に入球部６１２に進入した遊技球は、右側中始動入賞装置４３１Ａに進入して第１特別図柄に係る単位遊技の権利を発生させることができるので、右打ち遊技手法による遊技を行っている間に、第２特別図柄に係る単位遊技の権利ばかりが発生して当該権利を無駄にすることを抑制できる。
【０２１８】
また、本実施形態のパチンコ機１００においては、回転部６１０が第１位置にある場合に入球部６１３に進入した遊技球は、振分部６４０による振り分けに供されることなく、左側中始動入賞装置４３１Ｂに進入できる。同様に、回転部６１０が第２位置にある場合に入球部６１２に進入した遊技球は、振分部６４０による振り分けに供されることなく、右側中始動入賞装置４３１Ａに進入できる。
【０２１９】
よって、遊技者は、左打ち遊技手法または右打ち遊技手法の遊技をある程度の期間に亘って続ける必要がある場合などの必要に応じて、入球部６１２または入球部６１３のうち、入口部分が左方または右方を向く入球部を狙うことで、回転部６１０の位置（すなわち、入球部６１２および入球部６１３の各入口部分の開口向き）を維持できるので、回転部６１０の位置が変化したことで実行中の遊技手法により発射される遊技球が振分装置６００に進入し難くなる状況を抑制できる。
【０２２０】
＜第２実施形態＞
次に図１５および図１６を参照して、第２実施形態について説明する。第２実施形態のパチンコ機１００においては、上述した実施形態（以下、「第１実施形態」と称す）の振分装置６００に代えて、振分装置７００が配設されている。なお、以下の説明において、第１実施形態における構成と同一の構成については同一の符号を付して説明を省略する。
【０２２１】
第１実施形態における振分装置６００は、入球部６１２または入球部６１３のうち、入口部分が上方を向く（すなわち、出口部分が振分用通路６２１に接続する）入球部に遊技球が入球した場合には、入球部６１２および入球部６１３の各入口部分の向きが変化する一方で、他方の、入口部分が左方または右方を向いた（すなわち、出口部分が開口６２２または開口６２３に接続する）入球部に遊技球が入球した場合には、入球部６１２および入球部６１３の各入口部分の向きが保持される（変化しない）構成であった。
【０２２２】
これに対し、第２実施形態における振分装置７００は、入球部６１２，６１３の各入口部分の向きにかかわらず、入球部６１２または入球部６１３のいずれから遊技球が進入した場合にも入球部６１２および入球部６１３の各入口部分の向きが変化するよう構成される。
【０２２３】
まず、図１５を参照して、振分装置７００の構造的構成について説明する。図１５（ａ）は、前側から見た振分装置７００の分解斜視図であり、図１５（ｂ）は、後側から見た振分装置７００の分解斜視図である。なお、図１５においては、左右の中始動入賞装置４３１Ａ，４３１Ｂと、各中始動入賞装置４３１Ａ，４３１Ｂに進入した遊技球を検出する左右の中始動入賞スイッチ４４１Ａ，４４１Ｂとを併せて図示している。また、図１５において、振分装置７００を組み立てるためのビスなどの固定部材や振分装置６００を遊技盤４００の基体４０１に取り付けるための取付部などの図示は省略している。
【０２２４】
振分装置７００は、振分装置６００と同様の各部６１０〜６６０（すなわち、回転部６１０、前カバー６２０、仕切板６３０、振分部６４０、裏カバー６５０、および軸６６０）に加え、前カバー６２０と仕切板６３０との間に配設される振分方向変更部６７０を備えている。
【０２２５】
なお、振分装置７００においては、振分方向変更部６７０が追加されたことで、前カバー６２０の形状（例えば、溝部６２６，６２７の周壁の形状）や仕切板６３０における凹部６３０Ａの形状などが、振分方向変更部６７０を動作可能かつ収容可能な形状に変更されている。
【０２２６】
振分方向変更部６７０は、開口６２２または開口６２３から進入した遊技球によって作動し、それにより、振分部６４０が遊技球の振り分けを行わないにもかかわらず当該振分部６４０を回動させて、当該振分部６４０による遊技球の振り分け方向を変更させる。
【０２２７】
振分方向変更部６７０は、図１５（ａ）または図１５（ｂ）に示すように、軸部６７１と、軸部６７１を挿通可能な開口を中央に有する板状の円盤部６７２，６７３と、各円盤部６７２，６７３から放射状にそれぞれ延設される第１レバー部６７４，６７５と、各円盤部６７２，６７３から第１レバー部６７４，６７５とは異なる向きの放射状にそれぞれ延設される第２レバー部６７６，６７７とを備えている。振分方向変更部６７０は、前カバー６２０に形成された支持部（図示せず）に軸部６７１が水平方向に軸止されることで取り付けられる。
【０２２８】
円盤部６７２は、その中央の開口に軸部６７１の一端側（より詳細には、振分方向変更部６７０の取り付け状態における正面視右側）が挿入されて軸部６７１に対し回動可能に軸支される。円盤部６７３は、その中央の開口に軸部６７１の他端側（より詳細には、振分方向変更部６７０の取り付け状態における正面視左側）が挿入されて軸部６７１に対し円盤部６７２の回動とは独立して回動可能に軸支される。
【０２２９】
円盤部６７２から延びる第１レバー部６７４は、円盤部６７２に固着されるアーム部と、当該アーム部に対し、振分方向変更部６７０の取り付け状態における正面視右側（すなわち、図１５（ａ）における矢印Ｒ方向）から見て反時計回りの方向に屈曲する爪部とを備えている。
【０２３０】
円盤部６７２から延びる第２レバー部６７６は、円盤部６７２に固着される幅広のアーム部と、当該アーム部に対し、振分方向変更部６７０の取り付け状態における正面視右側（すなわち、矢印Ｒ方向）から見て時計回りの方向に屈曲する幅広の爪部とを備えている。
【０２３１】
第２レバー部６７６のアーム部は、振分方向変更部６７０の取り付け状態における正面視右側から見て第１レバー部６７４のアーム部に対し略直交して下方に延びている。これにより、第１レバー部６７４が振分部６４０のアーム６４３に当接可能である一方、第２レバー部６７６が、開口６２２から振分装置７００内に進入して流下する遊技球に当接可能となる。
【０２３２】
第１レバー部６７４は、振分用通路６２１を経てアーム６４２と連結部６４５とアーム６４３とから形成される凹状の球受部に進入した遊技球によって振分部６４０が正面視反時計回り（すなわち、裏側から見て時計回り）に回動した場合に、当該第１レバー部６７４の爪部が振分部６４０のアーム６４３により押し下げられた位置まで下降した待機位置に配置される。
【０２３３】
つまり、第１レバー部６７４は、振分用通路６２１を通過した遊技球を振分部６４０が正面視左側（裏面側から見て右側）に振り分けた場合に待機位置に配置され、振分方向変更部６７０の取り付け状態における正面視右側（すなわち、矢印Ｒ方向）から見て軸部６７１の周りを時計回りの方向に回動可能に作動を待機した状態となっている。
【０２３４】
第１レバー部６７４が待機位置に配置された状態では、第２レバー部６７６は、開口６２２から振分装置７００内に進入して流下する遊技球が当接可能な待機位置に配置されている。この第２レバー部６７６が待機位置に配置された状態で、開口６２２から振分装置７００内に遊技球が進入すると、当該遊技球が第２レバー部６７６に当接して第２レバー部６７６が後方側へと移動して作動した作動状態へ移行する。すなわち、第２レバー部６７６は、振分方向変更部６７０の取り付け状態における正面視右側（すなわち、矢印Ｒ方向）から見て軸部６７１の周りを反時計回りの方向に回動する。
【０２３５】
第１レバー部６７４および第２レバー部６７６は、円盤部６７２を介して一体的に樹脂成形された１つの部品によって構成されている。このため、一方のレバー部が作動した場合に、他方のレバー部が、円盤部６７２を介して当該一方のレバー部の動きに同期して作動する。つまり、第１レバー部６７４が振分部６４０の回動によって振分方向変更部６７０の取り付け状態における正面視右側（すなわち、矢印Ｒ方向）から見て軸部６７１の周りを時計回りの方向に回動（作動）した場合、第２レバー部６７６もまた第１レバー部６７４と同方向（すなわち、矢印Ｒ方向）から見て同方向に回動する。
【０２３６】
同様に、第２レバー部６７６が開口６２２から進入した遊技球によって振分方向変更部６７０の取り付け状態における正面視右側から見て軸部６７１の周りを反時計回りの方向に回動（作動）した場合、第１レバー部６７４もまた第２レバー部６７６と同方向から見て同方向に回動する。
【０２３７】
第２レバー部６７６が開口６２２から進入した遊技球によって作動した場合、第１レバー部６７４は、第２レバー部６７６の動きに同期して作動して、振分部６４０のアーム６４３を下側から押し上げる。これにより、振分部６４０は、正面視時計回り（すなわち、裏側から見て反時計回り）に回動する。
【０２３８】
円盤部６７３から延びる第１レバー部６７５および第２レバー部６７７は、それぞれ上述した第１レバー部６７４および第２レバー部６７６と左右対称の形状に構成される。また、第２レバー部６７７のアーム部は、振分方向変更部６７０の取り付け状態における正面視右側から見て第１レバー部６７５のアーム部に対し略直交して下方に延びている。これにより、第１レバー部６７５が振分部６４０のアーム６４４に当接可能である一方、第２レバー部６７７が、開口６２３から振分装置７００内に進入して流下する遊技球に当接可能となる。
【０２３９】
第１レバー部６７５は、振分用通路６２１を経てアーム６４２と連結部６４６とアーム６４４とから形成される凹状の球受部に進入した遊技球によって振分部６４０が正面視時計回り（すなわち、裏側から見て反時計回り）に回動した場合に、振分部６４０のアーム６４４によって当該第１レバー部６７５の爪部が押し下げられた位置まで下降した待機位置に配置される。
【０２４０】
つまり、第１レバー部６７５は、振分用通路６２１を通過した遊技球を振分部６４０が正面視右側（裏面側から見て左側）に振り分けた場合に待機位置に配置され、振分方向変更部６７０の取り付け状態における正面視右側（すなわち、図１５（ａ）における矢印Ｒ方向）から見て軸部６７１の周りを時計回りの方向に回動可能に作動を待機した状態となっている。
【０２４１】
第１レバー部６７５が待機位置に配置された状態では、第２レバー部６７７は、開口６２３から振分装置７００内に進入して流下する遊技球が当接可能な待機位置に配置されている。この第２レバー部６７７が待機位置に配置された状態で、開口６２３から振分装置７００内に遊技球が進入すると、当該遊技球が第２レバー部６７７に当接して第２レバー部６７７が後方側へと移動して作動した作動状態へ移行する。すなわち、第２レバー部６７７は、振分方向変更部６７０の取り付け状態における正面視右側（すなわち、矢印Ｒ方向）から見て軸部６７１の周りを反時計回りの方向に回動する。
【０２４２】
第１レバー部６７５および第２レバー部６７７は、円盤部６７３を介して一体的に樹脂成形された１つの部品によって構成されている。このため、一方のレバー部が作動した場合に、他方のレバー部が、円盤部６７３を介して当該一方のレバー部の動きに同期して作動する。つまり、第１レバー部６７５が振分部６４０の回動によって振分方向変更部６７０の取り付け状態における正面視右側（すなわち、矢印Ｒ方向）から見て軸部６７１の周りを時計回りの方向に回動（作動）した場合、第２レバー部６７７もまた第１レバー部６７５と同方向（すなわち、矢印Ｒ方向）から見て同方向に回動する。
【０２４３】
同様に、第２レバー部６７７が開口６２３から進入した遊技球によって振分方向変更部６７０の取り付け状態における正面視右側から見て軸部６７１の周りを反時計回りの方向に回動（作動）した場合、第１レバー部６７５もまた第２レバー部６７７と同方向から見て同方向に回動する。
【０２４４】
第２レバー部６７７が開口６２３から進入した遊技球によって作動した場合、第１レバー部６７５は、第２レバー部６７７の動きに同期して作動して、振分部６４０のアーム６４４を下側から押し上げる。これにより、振分部６４０は、正面視反時計回り（すなわち、裏側から見て時計回り）に回動する。
【０２４５】
なお、第１レバー部６７４と第２レバー部６７６の回動範囲（すなわち、これらのレバー部６７４，６７６が設けられた円盤部６７２の回動範囲）、および、第１レバー部６７５と第２レバー部６７７の回動範囲（すなわち、これらのレバー部６７５，６７７が設けられた円盤部６７３の回動範囲）は、第１レバー部６７４，６７５または第２レバー部６７６，６７７が仕切板６３０に当接することで制限される。これにより、第２レバー部６７６および第２レバー部６７６は、いずれも、開口６２２または開口６２３から進入した遊技球が当接可能な位置に配置される。
【０２４６】
次に、図１６を参照して、振分装置７００に遊技球が進入した場合における振分装置７００の動作、および、振分装置７００に進入した遊技球の流下経路について説明する。図１６（ａ）は、回転部６１０が第１位置にある振分装置７００の正面図であり、図１６（ｂ）は、回転部６１０が第２位置にある振分装置７００の正面図である。なお、図１６（ａ）および図１６（ｂ）においては、振分装置７００の周囲に配置された釘４１１を併せて図示している。
【０２４７】
また、図１６（ｃ）は、回転部６１０が第１位置にある状態（すなわち、図１６（ａ）の状態）で入球部６１２から遊技球が進入した場合における遊技球の流下経路を説明するための図であり、具体的には、裏カバー６５０を取り外した振分装置７００の背面図である。また、図１６（ｄ）は、回転部６１０が第１位置にある状態で入球部６１２から遊技球が進入した場合における遊技球の流下経路を説明するための図であり、具体的には、裏カバー６５０および仕切板６３０を取り外した振分装置７００の背面図である。なお、図１６（ｃ）及び図１６（ｄ）には、裏側から見て左側の第１レバー部６７５が振分部６４０を押し上げて作動した状態を図示し、図１６（ｄ）においては、開口６２２から進入して流下する遊技球Ｐを参考のために図示している。
【０２４８】
正面視における振分装置７００の外観は、第１実施形態における振分装置６００と同じである。例えば、図１６（ａ）に示すように、回転部６１０が第１位置にある場合、入球部６１２の入口部分は上方を向き、入球部６１３の入口部分は左方を向く。よって、回転部６１０が第１位置にある場合、振分装置７００に対する上側から矢印Ａ１の経路で流下する遊技球、または、振分装置７００に対する左側から矢印Ａ２の経路で流下する遊技球を入球部６１２または入球部６１３から振分装置７００に進入させることが可能である。その一方で、回転部６１０が第１位置にある場合、振分装置７００の右方を流下する遊技球を当該振分装置７００に進入させることはできない。
【０２４９】
これに対し、図１６（ｂ）に示すように、回転部６１０が第２位置にある場合、入球部６１２の入口部分は右方を向き、入球部６１３の入口部分は上方を向く。よって、回転部６１０が第２位置にある場合、振分装置７００に対して上側に設けられる上側進入部Ａ１を通過する遊技球、または、振分装置７００に対して右側に設けられる右側進入部Ａ３を通過する遊技球を入球部６１２または入球部６１３から振分装置７００に進入させることが可能である。
【０２５０】
また、回転部６１０が第２位置にある場合、左側進入部Ａ２に対しては、振分装置６００に設けられる遊技球の入口部分が連続せずに左側進入部Ａ２から先への遊技球の進入が回転部６１０の壁部によって阻止される。このため、振分装置７００の左方を流下する遊技球を当該振分装置７００に進入させることはできない。
【０２５１】
振分装置７００において、回転部６１０が第１位置にある第１の振分状態（図１６（ａ）の状態）で入球部６１２から遊技球が進入した場合、当該遊技球は、振分装置６００と同様、図１６（ｃ）に示す矢印Ｑ１の経路で振分装置７００内を流下する。つまり、かかる場合、振分部６４０は遊技球の自重によって正面視時計回り（すなわち、裏側から見て反時計回り）である矢印Ｂ方向に回動し、それにより、遊技球は振分部６４０により正面視右側（裏面側から見て左側）に振り分けられ、開口６２５まで流下する。
【０２５２】
第１位置にある回転部６１０の入球部６１２に遊技球が進入したことで振分部６４０が矢印Ｂ方向に回動した場合、回転部６１０もまた、振分部６４０の回動に同期して矢印Ｂ方向（すなわち、正面視時計回りであり、裏側から見て反時計回り）に回動する。これにより、回転部６１０は、図１６（ａ）に示す第１位置から、図１６（ｂ）に示す第２位置へと移行する。
【０２５３】
このように、第１位置にある回転部６１０の入球部６１２に遊技球が進入したことで振分部６４０が矢印Ｂ方向に回動した場合、振分方向変更部６７０の第１レバー部６７５の爪部が振分部６４０のアーム６４４によって下方に押し下げられた位置にて振分部６４０に接触している。すなわち、第１レバー部６７５は、正面視右側（裏面側から見て左側）である矢印Ｒ方向から見て軸部６７１（図１５参照）の周りを時計回りの方向に最大限回動した待機位置に配置されている。第２レバー部６７７は、第１レバー部６７５の動きに同期して回動するので、第１レバー部６７５と同方向から見て同方向に最大限回動した待機位置に配置され、第２位置にある回転部６１０の入球部６１２から開口６２３を経て進入した遊技球が当接可能な位置に配置される。
【０２５４】
回転部６１０が第１位置にある第１の振分状態で入球部６１３に遊技球が進入した場合、当該遊技球は、図１６（ｄ）に示す矢印Ｑ２の経路で振分装置７００内を流下する。つまり、入球部６１３から開口６２２を経て進入した遊技球は、前カバー６２０と仕切板６３０との間を通って誘導部６２８まで流下し、当該誘導部６２８によって奥側（裏側）へと誘導された後、開口６２４に向かって前方に流下する。
【０２５５】
このとき、図１６（ｄ）に示すように、誘導部６２８へ向けて流下する遊技球（例えば、遊技球Ｐ）は、振分方向変更部６７０の第２レバー部６７６に当接し、第２レバー部６７６を後方側（図１６（ｄ）における紙面手前側）へと押し退ける。これにより、第２レバー部６７６は、後方側へと移動して作動した作動状態へ移行し、正面視右側（裏面側から見て左側）である矢印Ｒ方向から見て軸部６７１（図１５参照）の周りを反時計回りの方向に回動（作動）する。第１レバー部６７４は、第２レバー部６７６の動きに同期して作動し、第１レバー部６７４と同方向から見て同方向に回動する。
【０２５６】
第１レバー部６７４が矢印Ｒ方向から見て軸部６７１の周りを反時計回りの方向に回動すると、当該第１レバー部６７４によって振分部６４０のアーム６４３が下側から押し上げられる。これにより、振分部６４０は、正面視反時計回り（すなわち、裏側から見て時計回り）である矢印Ｂ方向に回動する。
【０２５７】
このように、振分装置７００においては、回転部６１０が第１位置にある状態で入球部６１３から開口６２２を経て遊技球が進入した場合もまた、振分用通路６２１に通じる入球部６１２に遊技球が進入した場合と同様、回転部６１０が第１位置から第２位置へと移行する。
【０２５８】
また、遊技球が開口６２２から進入したことで振分部６４０によって振り分けられずに流下する場合であっても、振分部６４０による遊技球の振り分け方向が振分方向変更部６７０によって変更される。
【０２５９】
なお、図示はしないが、回転部６１０が第２位置にある状態（すなわち、図１６（ｂ）の状態）で入球部６１３に遊技球が進入した場合、振分部６４０は、当該遊技球の自重によって正面視反時計回り（すなわち、裏側から見て時計回り）に回動し、それにより、遊技球は振分部６４０により正面視左側（裏面側から見て右側）に振り分けられ、開口６２５まで流下する。
【０２６０】
第２位置にある回転部６１０の入球部６１３に遊技球が進入したことで振分部６４０が正面視反時計回り（すなわち、裏側から見て時計回り）に回動した場合、回転部６１０もまた、振分部６４０の回動に同期して正面視反時計回り（すなわち、裏側から見て時計回り）に回動する。これにより、回転部６１０は、図１６（ｂ）に示す第２位置から、図１６（ａ）に示す第１位置へと移行する。
【０２６１】
このように、第２位置にある回転部６１０の入球部６１３に遊技球が進入したことで振分部６４０が正面視反時計回り（すなわち、裏側から見て時計回り）に回動した場合、振分方向変更部６７０の第１レバー部６７４の爪部が振分部６４０のアーム６４３によって下方に押し下げられた位置にて振分部６４０に接触し、第１レバー部６７４は、正面視右側（裏面側から見て左側）である矢印Ｒ方向から見て軸部６７１（図１５参照）の周りを時計回りの方向に最大限回動した待機位置に配置されている。第２レバー部６７６は、第１レバー部６７４の動きに同期して作動し、第１レバー部６７４と同方向から見て同方向に回動し、第１位置にある回転部６１０の入球部６１３から開口６２２を経て進入した遊技球が当接可能な位置に配置される。
【０２６２】
一方、回転部６１０が第２位置にある状態で入球部６１２から開口６２３を経て遊技球が進入した場合、当該遊技球は、前カバー６２０と仕切板６３０との間を通って誘導部６２９まで流下し、当該誘導部６２９によって奥側（裏側）へと誘導された後、開口６２５に向かって前方に流下する。
【０２６３】
このとき、誘導部６２９へ向けて流下する遊技球は、振分方向変更部６７０の第２レバー部６７７に当接し、第２レバー部６７７を後方側（図１６（ｄ）における紙面手前側）へと押し退ける。これにより、第２レバー部６７７は、後方側へと移動して作動した作動状態へ移行し、正面視右側（裏面側から見て左側）である矢印Ｒ方向から見て軸部６７１（図１５参照）の周りを反時計回りの方向に回動（作動）する。第１レバー部６７５は、第２レバー部６７７の動きに同期して作動し、第２レバー部６７７と同方向から見て同方向に回動する。
【０２６４】
第１レバー部６７５が矢印Ｒ方向から見て軸部６７１の周りを反時計回りの方向に回動すると、当該第１レバー部６７５によって振分部６４０のアーム６４４が下側から押し上げられる。これにより、振分部６４０は、正面視時計回り（すなわち、裏側から見て反時計回り）に回動する。
【０２６５】
このように、振分装置７００においては、回転部６１０が第２位置にある状態で入球部６１２から開口６２３を経て遊技球が進入した場合もまた、振分用通路６２１に通じる入球部６１３に遊技球が進入した場合と同様、回転部６１０が第２位置から第１位置へと移行する。
【０２６６】
また、遊技球が開口６２３から進入したことで振分部６４０によって振り分けられずに流下する場合であっても、振分部６４０による遊技球の振り分け方向が振分方向変更部６７０によって変更される。
【０２６７】
次に、以上説明した第２実施形態の振分装置７００を備えるパチンコ機１００の作用及び効果を説明する。
【０２６８】
第２実施形態のパチンコ機１００においては、振分部６４０が遊技球を振り分け回動する毎に、当該振分部６４０の回動に同期して回転部６１０を回動させることができるだけでなく、開口６２２または開口６２３から進入した遊技球によって振分方向変更部６７０を作動させることで、回転部６１０を回動させることができる。
【０２６９】
つまり、本実施形態のパチンコ機１００によれば、入球部６１２または入球部６１３のうち、振分用通路６２１に連通する上側進入部Ａ１を通過して振分装置７００に遊技球が進入した場合に限らず、開口６２２または開口６２３に連通する左側進入部Ａ２及び右側進入部Ａ３を通過して振分装置７００に遊技球が進入した場合であっても、振分装置７００への遊技球の入口となる入球部６１２および入球部６１３の位置を変化させることができる。
【０２７０】
よって、回転部６１０が第１位置であるか第２位置であるかにかかわらず、入球部６１２および入球部６１３のいずれに遊技球を進入させても回転部６１０を変化させることができ、それにより、振分装置７００への遊技球の入口（すなわち、入球部６１２および入球部６１３）の位置が見た目に都度変化するので、振分部６４０により遊技球を振り分ける遊技に面白味が付加され、当該遊技の単調化を抑制できる。
【０２７１】
特に、回転部６１０を作動させる振分方向変更部６７０は、溝部６２６または溝部６２７を流下する遊技球によって機械的に作動させることができるとともに、回転部６１０は、作動した振分方向変更部６７０の動きに機械的に連動して回動する。よって、振分部６４０により遊技球を振り分ける遊技の単調化を、消費電力の増大を防ぎつつ抑制することができる。
【０２７２】
＜第３実施形態＞
次に図１７および図１８を参照して、第３実施形態について説明する。第３実施形態のパチンコ機１００においては、上述した第１実施形態の振分装置６００に代えて、振分装置８００が配設されている。なお、以下の説明において、第１実施形態における構成と同一の構成については同一の符号を付して説明を省略する。
【０２７３】
第１実施形態のパチンコ機１００においては、振分装置６００の入球部６１２，６１３に進入した遊技球が左側中始動入賞装置４３１Ｂまたは右側中始動入賞装置４３１Ａに入球（入賞）できる構成であった。
【０２７４】
これに対し、第３実施形態のパチンコ機１００においては、右側中始動入賞装置４３１Ａまたは左側中始動入賞装置４３１Ｂへの入球を可能にする入口として、振分装置８００の回転部６１０に設けられた入球部６１２，６１３に加え、入口８０１，８０２を振分装置８００の下部における左右両側に設けている。そして、入口８０１，８０２の各入口部分には、当該入口８０１，８０２への遊技球の進入確率をその姿勢に応じて変化させる左右の可動片６８８，６８９を設け、可動片６８８，６８９の姿勢を振分部６４０による遊技球の振り分けに連動して変化させる。
【０２７５】
まず、図１７を参照して、振分装置８００の構造的構成について説明する。図１７（ａ）は、前側から見た振分装置８００の分解斜視図であり、図１７（ｂ）は、後側から見た振分装置８００の分解斜視図である。なお、図１７においては、左右の中始動入賞装置４３１Ａ，４３１Ｂと、各中始動入賞装置４３１Ａ，４３１Ｂに進入した遊技球を検出する左右の中始動入賞スイッチ４４１Ａ，４４１Ｂとを併せて図示している。また、図１７において、振分装置８００を組み立てるためのビスなどの固定部材や振分装置６００を遊技盤４００の基体４０１に取り付けるための取付部などの図示は省略している。
【０２７６】
振分装置８００は、振分装置６００と同様の各部６１０〜６６０（すなわち、回転部６１０、前カバー６２０、仕切板６３０、振分部６４０、裏カバー６５０、および軸６６０）に加え、前カバー６２０と仕切板６３０との間に配設される進入規制機構６８０を備えている。
【０２７７】
なお、振分装置８００においては、進入規制機構６８０が追加されたことで、前カバー６２０における裏側（背面側）には、当該進入規制機構６８０の軸部６８４を回動可能に軸支するための軸穴１６２１が設けられている。また、前カバー６２０の形状（例えば、開口６２４，６２５から下端までの長さや、溝部６２６，６２７の周壁の形状）や仕切板６３０における凹部６３０Ａの形状などが、振分方向変更部６７０を動作可能かつ収容可能な形状に変更されている。
【０２７８】
進入規制機構６８０は、振分部６４０の回動（すなわち、遊技球の振り分け）に連動して作動し、入口８０１，８０２（図１８（ａ）および（ｂ）参照）の入口部分に配置された左右の可動片６８８，６８９を各々独立して進入許容姿勢と進入禁止姿勢との間で移行させる。
【０２７９】
進入規制機構６８０は、図１７（ａ）または図１７（ｂ）に示すように、第１リンク部６８１と、第２リンク部６８２と、左アーム６８３と、軸部６８４と、右アーム６８５と、左可動片作動部６８６と、右可動片作動部６８７と、左可動片６８８と、右可動片６８９と、左可動片回動軸６９１と、右可動片回動軸６９２とを備えている。
【０２８０】
第１リンク部６８１は、仕切板６３０より前側（前カバー６２０側）において振分部６４０のアーム６４４に対し略平行となるよう、その一端側が振分部６４０の軸部６４１に固着される。第１リンク部６８１における固着されない他端側、および、第２リンク部６８２における上端側には共通するピン軸が軸装され、それにより、各リンク部６８１，６８２が前後方向を中心にして相対的に回動可能に連結される。
【０２８１】
軸部６８４は、その一端側が前カバー６２０の軸穴１６２１に挿入されることで前後方向を中心にして前カバー６２０に回動可能に軸支される。軸部６８４における他端側には、略水平方向に延びる左アーム６８３および右アーム６８５の一端側が連続している。左アーム６８３における軸部６８４に近い一端側、および、第２リンク部６８２における下端側には共通するピン軸が軸装され、それにより、左アーム６８３と第２リンク部６８２とが前後方向を中心にして相対的に回動可能に連結される。
【０２８２】
左アーム６８３における他端側（すなわち、軸部６８４から離れる端側）は、左可動片作動部６８６における内側面（すなわち、軸部６８４を向く側の面）の後方側に形成された凹部６８６Aの内部に進入する長さに形成される。左可動片作動部６８６の前端側には、側面視U字状の作動部６８６Bが形成され、当該作動部６８６Bは、左可動片６８８から後方に突出する棒状の突出部６８８Ａ（図１７（ａ）参照）を把持する。
【０２８３】
左可動片作動部６８６の外側面には、凹部６８６Aより前方であり、かつ、作動部６８６Bより後方となる位置に軸部６８６Ｃ（図１７（ｂ）参照）が突設される。軸部６８６Ｃは、遊技盤４００に固定された支持部材（図示せず）に回動可能に軸支される。
【０２８４】
左可動片６８８における突出部６８８Ａより左側には、左可動片回動軸６９１を挿通するための軸穴が設けられている。左可動片６８８は、当該軸穴に左可動片回動軸６９１を挿入することで回動可能に軸支される。左可動片回動軸６９１の他端側（左可動片６８８から離れる端側）は、遊技盤４００に固定された支持部材（図示せず）に固着される。
【０２８５】
左可動片６８８には、当該左可動片６８８が開いた状態（図１８（ｂ）に示す状態）において正面視右方向へと左可動片回動軸６９１に対して放射状に延びるレバー部６８８Ｂが設けられている。
【０２８６】
右アーム６８５における他端側（すなわち、軸部６８４から離れる端側）は、右可動片作動部６８７における内側面（すなわち、軸部６８４を向く側の面）の後方側に形成された凹部６８７Aに収容されて固定される。右可動片作動部６８７の前端側には、側面視U字状の作動部６８７Bが形成され、当該作動部６８７Bは、右可動片６８９から後方に突出する棒状の突出部（左可動片６８８における突出部６８８Ａに相当する部位）を把持する。
【０２８７】
右可動片作動部６８７の外側面には、凹部６８７Aより前方であり、かつ、作動部６８７Bより後方となる位置に軸部６８７Ｃ（図１７（ａ）参照）が突設される。軸部６８７Ｃは、遊技盤４００に固定された、進入規制機構６８０を支持するための支持部材（図示せず）に回動可能に軸支される。
【０２８８】
右可動片６８９における突出部より右側には、右可動片回動軸６９２を挿通するための軸穴が設けられている。右可動片６８９は、当該軸穴に右可動片回動軸６９２を挿入することで回動可能に軸支される。右可動片回動軸６９２の他端側（右可動片６８９から離れる端側）は、遊技盤４００に固定された支持部材（図示せず）に固着される。
【０２８９】
右可動片６８９には、当該右可動片６８９が開いた状態（図１８（ａ）に示す状態）において正面視左方向へと右可動片回動軸６９２に対して放射状に延びるレバー部６８９Ｂが設けられている。
【０２９０】
上述のように構成される進入規制機構６８０によれば、例えば、遊技球がアーム６４２と連結部６４５とアーム６４３とから形成される凹状の球受部に進入したことで、振分部６４０が正面視反時計回りに回動した場合、当該回動によって第１リンク部６８１が第２リンク部６８２を引き上げる。
【０２９１】
第２リンク部６８２が引き上げられると、それに連動して左アーム６８３が引き上げられるので、左アーム６８３によって左可動片作動部６８６の後側に上方向の力が作用し、それにより、左可動片作動部６８６は、軸部６８６Ｃを中心としてその後側が上昇する方向に回動する。当該回動の結果、作動部６８６Ｂの位置が下降し、作動部６８６Ｂにより動力が伝達される突出部６８８Ａが引き下げられる。
【０２９２】
突出部６８８Ａが引き下げられたことで、左可動片回動軸６９１を中心とする正面視反時計回りの力が左可動片６８８に作用する。よって、左可動片６８８は、左可動片回動軸６９１の周りを正面視反時計回りに回動し、それにより、進入規制姿勢から進入許容姿勢に移行する。左可動片６８８が進入許容姿勢である場合、入口８０１（図１８参照）は遊技球が進入可能に開放されているので、遊技球は入口８０１から進入することができる。
【０２９３】
左可動片６８８が進入許容姿勢である場合に入口８０１から進入した遊技球は、開口６２４から排出された遊技球と同様、基本的に、左側中始動入賞装置４３１Ｂに進入して、当該左側中始動入賞装置４３１Ｂの内部に設けられた左側中始動入賞スイッチ４４１Ｂに検出される。
【０２９４】
一方、第２リンク部６８２の引き上げに連動して左アーム６８３が引き上げられると、右アーム６８５が軸部６８４を中心として正面視時計回りに回動するので、右アーム６８５によって右可動片作動部６８７の後側に下方向の力が作用し、それにより、右可動片作動部６８７は、軸部６８７Ｃを中心としてその後側が下降する方向に回動する。当該回動の結果、作動部６８７Ｂの位置が上昇するので、作動部６８７Ｂにより動力が伝達される右可動片６８９の突出部（図示せず）が引き上げられる。
【０２９５】
右可動片６８９の突出部が引き上げられたことで、右可動片回動軸６９２を中心とする正面視反時計回りの力が右可動片６８９に作用する。よって、右可動片６８９が進入許容姿勢にある場合、当該右可動片６８９は、右可動片回動軸６９２の周りを正面視反時計回りに回動し、それにより、進入許容姿勢から進入規制姿勢に移行する。
【０２９６】
右可動片６８９が進入規制姿勢である場合、入口８０２（図１８参照）は遊技球の進入ができないよう狭窄されて（または閉鎖されて）いるので、遊技球は入口８０２から進入することができない。なお、右可動片６８９が進入規制姿勢にある場合、右可動片回動軸６９２を中心とする正面視反時計回りの力が右可動片６８９に作用したとしても、右可動片６８９の姿勢は変化することなく進入規制姿勢のまま維持される。
【０２９７】
また、進入規制機構６８０によれば、例えば、遊技球がアーム６４２と連結部６４６とアーム６４４とから形成される凹状の球受部に進入したことで、振分部６４０が正面視時計回りに回動した場合、当該回動によって第１リンク部６８１が第２リンク部６８２を押し下げる。
【０２９８】
第２リンク部６８２が押し下げられると、それに連動して左アーム６８３が押し下げられるので、左アーム６８３によって左可動片作動部６８６の後側に下方向の力が作用し、それにより、左可動片作動部６８６は、軸部６８６Ｃを中心としてその後側が下降する方向に回動する。当該回動の結果、作動部６８６Ｂの位置が上昇するので、作動部６８６Ｂにより動力が伝達される左可動片６８８の突出部６８８Ａが引き上げられる。
【０２９９】
突出部６８８Ａが引き上げられたことで、左可動片回動軸６９１を中心とする正面視時計回りの力が左可動片６８８に作用する。よって、左可動片６８８が進入許容姿勢にある場合、当該左可動片６８８は、左可動片回動軸６９１の周りを正面視時計回りに回動し、それにより、進入許容姿勢から進入規制姿勢に移行する。
【０３００】
左可動片６８８が進入規制姿勢である場合、入口８０１（図１８参照）は遊技球の進入ができないよう狭窄されて（または閉鎖されて）いるので、遊技球は入口８０１から進入することができない。なお、左可動片６８８が進入規制姿勢にある場合、左可動片回動軸６９１を中心とする正面視時計回りの力が左可動片６８８に作用したとしても、左可動片６８８の姿勢は変化することなく進入規制姿勢のまま維持される。
【０３０１】
一方、第２リンク部６８２の押し下げに連動して左アーム６８３が押し下げられると、右アーム６８５が軸部６８４を中心として正面視反時計回りに回動するので右アーム６８５によって右可動片作動部６８７の後側に上方向の力が作用し、それにより、右可動片作動部６８７は、軸部６８７Ｃを中心としてその後側が上昇する方向に回動する。当該回動の結果、作動部６８７Ｂの位置が下降するので、作動部６８７Ｂにより動力が伝達される右可動片６８９の突出部が引き下げられる。
【０３０２】
右可動片６８９の突出部が引き下げられたことで、右可動片回動軸６９２を中心とする正面視時計回りの力が右可動片６８９に作用する。よって、右可動片６８９は、右可動片回動軸６９２の周りを正面視時計回りに回動し、それにより、進入規制姿勢から進入許容姿勢に移行する。右可動片６８９が進入許容姿勢である場合、入口８０２（図１８参照）は遊技球が進入可能に開放されているので、遊技球は入口８０２から進入することができる。
【０３０３】
右可動片６８９が進入許容姿勢である場合に入口８０２から進入した遊技球は、開口６２５から排出された遊技球と同様、基本的に、右側中始動入賞装置４３１Ａに進入して、当該右側中始動入賞装置４３１Ａの内部に設けられた右側中始動入賞スイッチ４４１Ａに検出される。
【０３０４】
なお、振分装置８００の周囲に配置される釘４１１は、図１８（ａ）および図１８（ｂ）に示すように、開口６２５と右側中始動入賞装置４３１Ａとの間における右側と、開口６２４と左側中始動入賞装置４３１Ｂとの間における左側とにおいて遊技球が通過可能に離間されており、それにより、開口６２４，６２５から排出された遊技球、および、入口８０１，８０２から進入した遊技球の一部が、左右いずれの中始動入賞装置４３１Ａ，４３１Ｂに進入することなく、非常に低確率（例えば、略１／１００以下の確率であり、好ましくは、略１／１０００以下の確率）で排出される。
【０３０５】
このとき、開口６２４，６２５から排出された遊技球、および、入口８０１，８０２から進入した遊技球の一部を、左右いずれの中始動入賞装置４３１Ａ，４３１Ｂに進入させることなく、非常に低確率で排出させる構成は、開口６２５と右側中始動入賞装置４３１Ａとの間における右側と、開口６２４と左側中始動入賞装置４３１Ｂとの間における左側とに遊技球が通過可能に開口された樹脂製の壁部を振分装置８００の前面側に設けることで実現してもよい。
【０３０６】
左可動片６８８が進入許容姿勢である場合に入口８０１から遊技球が進入した場合、当該遊技球が左可動片６８８のレバー部６８８Ｂに当接し、それにより、左可動片回動軸６９１を中心とする正面視時計回りの力が左可動片６８８に作用する。これにより、左可動片６８８は、左可動片回動軸６９１の周りを正面視時計回りに回動し、進入許容姿勢から進入規制姿勢に移行する。
【０３０７】
また、右可動片６８９が進入許容姿勢である場合に入口８０２から遊技球が進入した場合、当該遊技球が右可動片６８９のレバー部６８９Ｂに当接し、右可動片回動軸６９２を中心とする正面視反時計回りの力が右可動片６８９に作用する。これにより、右可動片６８９は、右可動片回動軸６９２の周りを正面視反時計回りに回動し、進入許容姿勢から進入規制姿勢に移行する。
【０３０８】
次に、図１８を参照して、振分装置８００に遊技球が進入した場合における振分装置８００の動作、および、振分装置８００に進入した遊技球の流下経路について説明する。図１８（ａ）は、回転部６１０が第１位置にある振分装置８００の正面図であり、図１８（ｂ）は、回転部６１０が第２位置にある振分装置８００の正面図である。
【０３０９】
なお、図１８（ａ）および図１８（ｂ）においては、図面の理解を容易にする目的で、進入規制機構６８０における左右の可動片６８８，６８９および左右の可動片回動軸６９１，６９２以外の部分を省略している。また、図１８（ａ）および図１８（ｂ）においては、振分装置８００の周囲に配置された釘４１１を併せて図示している。
【０３１０】
また、図１８（ｃ）は、回転部６１０が第１位置にある第１の振分状態（図１８（ａ）の状態）で入球部６１２に遊技球が進入した場合における遊技球の流下経路を説明するための図であり、具体的には、裏カバー６５０および仕切板６３０を取り外した振分装置８００の背面図である。
【０３１１】
振分装置８００は、釘４１１によって形成される上側進入部Ａ１に連続するように一方の入球部が開口し、左側進入部Ａ２又は右側進入部Ａ３に連続するように他方の入球部が開口する位置に配置される。図１８（ａ）に示すように、振分装置８００において、回転部６１０が第１位置にある場合には、第１実施形態の振分装置６００と同様、入球部６１２の入口部分は上方を向き、入球部６１３の入口部分は左方を向く。よって、回転部６１０が第１位置にある場合、振分装置８００に対して上側に設けられる上側進入部Ａ１を通過する遊技球、または、振分装置８００に対して左側に設けられる左側進入部Ａ２を通過する遊技球を入球部６１２または入球部６１３から振分装置８００に進入させることが可能である。
【０３１２】
振分装置６００の下部右側には、振分装置８００に対して下部右側から振分装置６００内に遊技球が進入可能な進入部（図１８（ａ）の矢印Ａ４を付した経路で振分装置６００内に進入可能な遊技球の入口部であり、以下、右下側進入部Ａ４ともいう）が釘４１１と右可動片６８９とによって形成されている。
【０３１３】
回転部６１０が第１位置にある場合には、アーム６４２と連結部６４６とアーム６４４とから形成される凹状の球受部が振分用通路６２１を経た遊技球を受け入れ可能に配置された状態であるので、左右の可動片６８８，６８９のうち、右可動片６８９が進入規制機構６８０によって進入許容姿勢となり得る。よって、回転部６１０が第１位置にある場合に、右可動片６８９が進入許容姿勢である場合には、振分装置８００に対して下部右側に設けられる右下側進入部Ａ４を通過する遊技球を入口８０２から進入させることができる。
【０３１４】
これに対し、図１８（ｂ）に示すように、振分装置８００において、回転部６１０が第２位置にある場合もまた、第１実施形態の振分装置６００と同様、入球部６１２の入口部分は右方を向き、入球部６１３の入口部分は上方を向く。よって、回転部６１０が第２位置にある場合、振分装置８００に対して上側に設けられる上側進入部Ａ１を通過する遊技球、または、振分装置８００に対して右側に設けられる右側進入部Ａ２を通過する遊技球を入球部６１２または入球部６１３から振分装置８００に進入させることが可能である。
【０３１５】
振分装置６００の下部左側には、振分装置８００に対して下部左側から振分装置６００内に遊技球が進入可能な進入部（図１８（ｂ）の矢印Ａ５を付した経路で振分装置６００内に進入可能な遊技球の入口部であり、以下、左下側進入部Ａ５ともいう）が釘４１１と右可動片６８９とによって形成されている。
【０３１６】
回転部６１０が第２位置にある場合には、アーム６４２と連結部６４５とアーム６４３とから形成される凹状の球受部が振分用通路６２１を経た遊技球を受け入れ可能に配置された状態であるので、左右の可動片６８８，６８９のうち、左可動片６８８が進入規制機構６８０によって進入許容姿勢となり得る。よって、回転部６１０が第２位置にある場合に、左可動片６８８が進入許容姿勢である場合には、振分装置８００に対して下部左側に設けられる左下側進入部Ａ５を通過する遊技球を入口８０１から進入させることができる。
【０３１７】
振分装置８００において、回転部６１０が第１位置にある状態（すなわち、図１８（ａ）の状態）で入球部６１２に遊技球が進入した場合、当該遊技球は、振分装置６００と同様、図１８（ｃ）に示す矢印Ｑ１の経路で振分装置８００内を流下する。つまり、かかる場合、振分部６４０は遊技球の自重によって正面視時計回り（すなわち、裏側から見て反時計回り）である矢印Ｂ方向に回動し、それにより、遊技球は振分部６４０により正面視右側（裏面側から見て左側）に振り分けられ、開口６２５まで流下する。
【０３１８】
第１位置にある回転部６１０の入球部６１２に遊技球が進入したことで振分部６４０が矢印Ｂ方向に回動した場合、回転部６１０もまた、振分部６４０の回動に同期して矢印Ｂ方向（すなわち、正面視時計回りであり、裏側から見て反時計回り）に回動する。これにより、回転部６１０は、図１８（ａ）に示す第１位置から、図１８（ｂ）に示す第２位置へと移行する。
【０３１９】
第１位置にある回転部６１０の入球部６１２に遊技球が進入したことで振分部６４０が矢印Ｂ方向に回動した場合、進入規制機構６８０が作動して、左可動片６８８が正面視反時計回り（すなわち、裏側から見て時計回り）である矢印Ｃ１方向に回動する。これにより、左可動片６８８は、進入規制姿勢から進入許容姿勢に移行する。
【０３２０】
また、振分部６４０が矢印Ｂ方向に回動した場合、右可動片６８９が進入許容姿勢であれば、当該右可動片６８９は、正面視反時計回り（すなわち、裏側から見て時計回り）である矢印Ｃ２方向に回動する。これにより、右可動片６８９は、進入許容姿勢から進入規制姿勢に移行する。
【０３２１】
なお、図示はしないが、回転部６１０が第２位置にある状態（すなわち、図１８（ｂ）の状態）で入球部６１３に遊技球が進入した場合、振分部６４０は、振分装置６００と同様、アーム６４２と連結部６４５とアーム６４３とから形成される凹状の球受部に進入した遊技球の自重によって正面視反時計回り（すなわち、裏側から見て時計回り）に回動し、それにより、遊技球は振分部６４０により正面視左側（裏面側から見て右側）に振り分けられ、開口６２４まで流下する。
【０３２２】
第２位置にある回転部６１０の入球部６１３に遊技球が進入したことで振分部６４０が正面視反時計回り（すなわち、裏側から見て時計回り）に回動した場合、回転部６１０もまた、振分部６４０の回動に同期して正面視反時計回りに回動する。これにより、回転部６１０は、図１８（ｂ）に示す第２位置から、図１８（ａ）に示す第１位置へと移行する。
【０３２３】
第２位置にある回転部６１０の入球部６１３に遊技球が進入したことで振分部６４０が正面視反時計回り（すなわち、裏側から見て時計回り）に回動した場合、進入規制機構６８０が作動して、右可動片６８９が正面視時計回り（すなわち、裏側から見て反時計回り）に回動する。これにより、右可動片６８９は、進入規制姿勢から進入許容姿勢に移行する。
【０３２４】
また、振分部６４０が正面視反時計回り（すなわち、裏側から見て時計回り）に回動した場合、左可動片６８８が進入許容姿勢であれば、当該左可動片６８８は、正面視時計回り（すなわち、裏側から見て反時計回り）に回動する。これにより、左可動片６８８は、進入許容姿勢から進入規制姿勢に移行する。
【０３２５】
なお、回転部６１０が第１位置にある状態で入球部６１３に遊技球が進入した場合、当該遊技球は、前カバー６２０と仕切板６３０との間を通って誘導部６２８まで流下し、当該誘導部６２８によって奥側（裏側）へと誘導された後、開口６２４に向かって前方に流下する。よって、かかる場合、回転部６１０は第１位置のまま保持される。
【０３２６】
一方、回転部６１０が第２位置にある状態で入球部６１２に遊技球が進入した場合、当該遊技球は、前カバー６２０と仕切板６３０との間を流下して誘導部６２９に到達し、誘導部６２９により奥側（裏側）へと誘導された後、開口６２５まで流下して開口６２５から排出される。よって、かかる場合、回転部６１０は第２位置のまま保持される。
【０３２７】
次に、以上説明した第３実施形態の振分装置８００を備えるパチンコ機１００の作用及び効果を説明する。
【０３２８】
第３実施形態のパチンコ機１００においては、振分部６４０が遊技球を振り分け回動した場合に、当該振分部６４０の回動に同期して回転部６１０が回動するだけでなく、左可動片６８８または右可動片６８９の一方が当該振分部６４０の回動に連動して進入許容姿勢に移行する。よって、振分部６４０が遊技球を振り分ける毎に、振分装置６００への遊技球の入口（すなわち、入球部６１２および入球部６１３）の位置だけでなく、左右の可動片６８８，６８９の姿勢も都度変化するので、振分部６４０により遊技球を振り分ける遊技に面白味を付加することができ、それにより、当該遊技の単調化を抑制できる。
【０３２９】
特に、左右の可動片６８８，６８９の姿勢を変化させる進入規制機構６８０は、振分部６４０の回動に機械的に連動して動作させることができるので、振分部６４０により遊技球を振り分ける遊技の単調化を、消費電力の増大を防ぎつつ抑制することができる。
【０３３０】
また、本実施形態のパチンコ機１００においては、振分部６４０の回動によって回転部６１０が第１位置から第２位置に移行した場合には、入球部６１２が右方を向き、左可動片６８８が進入許容姿勢に移行する。一方、振分部６４０の回動によって回転部６１０が第２位置から第１位置に移行した場合には、入球部６１３が左方を向き、右可動片６８９が進入許容姿勢に移行する。
【０３３１】
これにより、遊技者は、回転部６１０が第１位置から第２位置に移行した場合には、右打ち遊技手法により遊技球を発射することで入球部６１２に遊技球を進入させ易くすることができ、左打ち遊技手法により遊技球を発射することで左側の入口８０１から遊技球を進入させ易くることができる。一方、回転部６１０が第２位置から第１位置に移行した場合には、左打ち遊技手法により遊技球を発射することで入球部６１３に遊技球を進入させ易くすることができ、右打ち遊技手法により遊技球を発射することで右側の入口８０２から遊技球を進入させ易くすることができる。よって、遊技球の打ち出し方にバリエーションができるので、通常遊技状態中などにおいて遊技が単調になることを抑制できる。
【０３３２】
特に、回転部６１０が第１位置である場合に入球部６１３から進入した遊技球は、第２特別図柄に係る始動装置である左側中始動入賞装置４３１Ｂに進入させることができ、入口８０１から進入した遊技球は、第１特別図柄に係る始動装置である右側中始動入賞装置４３１Ａに進入させることができる。同様に、回転部６１０が第２位置である場合に入球部６１２から進入した遊技球は、第１特別図柄に係る始動装置である右側中始動入賞装置４３１Ａに進入させることができ、入口８０２から進入した遊技球は、第２特別図柄に係る始動装置である左側中始動入賞装置４３１Ｂに進入させることができる。よって、遊技者は、第１特別図柄に係る始動装置（右側中始動入賞装置４３１Ａ）、または、第２特別図柄に係る始動装置（左側中始動入賞装置４３１Ｂ）のうち、遊技球が効率よく進入するなどの遊技者が所望する中始動入賞装置への進入部を狙って遊技球を左右に打ち分けることができる。
【０３３３】
また、本実施形態のパチンコ機１００においては、遊技者は、上述したように、特別遊技状態において、遊技球が下大入賞装置４３３または上大入賞装置４３４に進入するよう右打ち遊技手法による遊技を行う。遊技盤４００における右側の遊技領域には、第２特別図柄に係る始動装置である右始動入賞装置４３２が設けられているので、特別遊技状態においては第２特別図柄に係る単位遊技の権利が保留され易いが、第２特別図柄に係る単位遊技の権利の保留は最大４回までと制限されているので、右打ち遊技手法による遊技を行っている間に、遊技球が右始動入賞装置４３２に進入した第２特別図柄に係る単位遊技の権利が発生したとしても、保留されている権利が最大（すなわち、４回）に達していれば、発生した権利を保留することができず、当該権利を無駄にしてしまう。
【０３３４】
これに対し、本実施形態のパチンコ機１００においては、回転部６１０が第１位置であっても第２位置であっても、右打ち遊技手法により発射した遊技球を入球部６１２または入口８０２のいずれかに進入させることができる。入球部６１２および入口８０２から進入した遊技球は、右側中始動入賞装置４３１Ａに進入して第１特別図柄に係る単位遊技の権利を発生させるので、右打ち遊技手法による遊技を行っている間に、第２特別図柄に係る単位遊技の権利ばかりが発生して当該権利を無駄にすることを抑制できる。
【０３３５】
また、本実施形態のパチンコ機１００においては、振分部６４０の回動に連動して進入許容姿勢に移行した可動片６８８，６８９は、入口８０１，８０２から遊技球が進入した場合にレバー部６８８Ｂ，６８９Ｂが作動して再び進入規制姿勢に移行する。よって、入口８０１，８０２に進入可能な遊技球を、左可動片６８８または右可動片６８９が進入許容姿勢に移行する毎に１球ずつと限定することができる。入球部６１２，６１３のうち、開口６２２または開口６２３に連通する入球部は、振分部６４０が遊技球の振り分けによって回動しない限り、遊技球の進入が常時可能であるので、かかる入球部に対する入口８０１，８０２の差別化を図ることができる。
【０３３６】
また、左右の可動片６８８，６８９の姿勢を変化させる進入規制機構６８０は、振分部６４０の回動に機械的に連動して動作されるので、振分部６４０により遊技球を振り分ける遊技の単調化を、消費電力の増大を防ぎつつ抑制することができる。
【０３３７】
なお、本発明は、上記実施形態に限られることはなく、例えば、以下に記載するように変形して実施しても良い。この場合に、以下に記載する各構成を上記実施形態に対して適用しても良く、以下に記載する複数の構成を組み合わせて上記実施形態に対して適用しても良い。
【０３３８】
（１）上記各実施形態においては、振分装置６００，７００，８００への遊技球の入口として、回転部６１０に２つの入球部６１２，６１３を設ける構成としたが、振分装置への入口となる回転部６１０の入球部は２つに限られる必要はなく、３つ以上の入球部を設ける構成としてもよい。
【０３３９】
（２）上記各実施形態においては、回転部６１０の回転によって入球部６１２，６１３が回転することで当該入球部６１２，６１３位置が変化する構成としたが、入球部６１２，６１３の開口向きを同じにして板材などに並べ、当該板材を振分部６４０の回動を直線運動に変換することで左右方向に変化させ、一方の入球部を振分用通路６２１と同様に機能する振分通路に連通させ、他方の入球部を開口６２２，６２３と同様に機能する開口に連通させる構成としてもよい。
【０３４０】
（３）上記各実施形態においては、左右に回動する振分部６４０を用いて、遊技領域に設けられる進入部から進入した遊技球を左右の通路（溝部６２６，６２７）に振り分ける構成としたが、遊技球を振り分ける先の構成としては、通路に限らず、ステージやクルーンなどであってもよいし、また、右始動入賞装置４３２や大入賞装置４３３，４３４など、所定の抽選に当選した場合に進入確率が高められる入賞装置の内部に、振分装置６００，７００，８００のいずれかを設けて、入賞装置に進入した遊技球が進入部を通じて振分部６４０に到達して複数の振り分け先に振り分けられるようにしてもよく、例えば、非特定通路と、非特定通路より遊技者にとって有利な特定通路とに振り分けられるようにしてもよい。
【０３４１】
（４）上記実施形態においては、振分部６４０が左右の通路（溝部６２６，６２７）のいずれかに遊技球を１球ずつ交互に振り分ける構成としたが、振分部による振り分け先となる通路は、複数であれば、３以上であってもよいし、また、必ずしも遊技球を１球ずつ別の振り分け先に振り分ける必要はなく、予め定めた複数の数の遊技球が１の振り分け先に振り分けられた場合に、別の振り分け先に遊技球を振り分けるようにしてもよい。
【０３４２】
（５）上記各実施形態においては、振分部６４０による振り分け先の通路（溝部６２６，６２７）の先には右側中始動入賞装置４３１Ａまたは左側中始動入賞装置４３１Ｂが設けられており、振分部６４０によっていずれの通路に振り分けられたとしても始動入賞が生じる構成であった。
【０３４３】
これに対し、振分部６４０による振り分け先の通路の少なくとも一部が、始動入賞を発生することなく、遊技者に特典を付与する有利領域に案内する通路であってもよい。例えば、振分部６４０による振り分け先の通路が、抽選条件を成立させることなく一定数の遊技球が賞球として払い出される入賞口に通じる通路としてもよいし、遊技者に有利な遊技状態が付与される特定通路としてもよい。
【０３４４】
あるいは、振分部６４０による振り分け先の通路のうち、始動入賞が生じる通路を一部に限り、当該一部の通路以外の通路が、進入した遊技球を遊技領域に排出する通路や、回収排出通路（図示せず）に案内する通路であってもよい。
【０３４５】
（６）上記各実施形態においては、振分部６４０は、遊技球の自重を利用して機械的に回動することで遊技球を振り分ける構成としたが、振分部６４０による遊技球の振り分けは、モータなどの動力を用いて制御的に軸６２１回動させることで行う構成としてもよい。
【０３４６】
（７）上記各実施形態では、回転部６１０と振分部６４０とを軸６６０の両端に各々軸着することで、回転部６１０が振分部６４０と一体的に回動する構成としたが、回転部６１０と振分部６４０とが機械的に連動して動作するようにしてもよいし、又は、モータなどの動力を用いて、回転部６１０を、振分部６４０の回動とは独立して回動させる構成としてもよい。かかる場合、振分部６４０の回動方向を検出可能なセンサや、振分部６４０が溝部６２６または溝部６２７に振り分けた遊技球を検出可能なセンサなど、振分部６４０が遊技球を左または右側に振り分けたことを検出可能なセンサを設け、これらのセンサによる検出結果に基づいて、回転部６１０を回動させる構成としてもよい。
【０３４７】
（８）上記第２実施形態では，開口６２２または開口６２３から進入した遊技球で振分方向変更部６７０を作動させることで機械的に振分部６４０を回動させ、当該振分部６４０による振り分け先を変更する構成とした。振分方向変更部６７０を設ける必要は必ずしもない。例えば、開口６２２または開口６２３から進入した遊技球を検出可能なセンサを設け、当該センサによる検出結果に基づいて、モータなどの動力を用いて振分部６４０を回動させる構成としてもよい。
【０３４８】
（９）上記第３実施形態では、振分部６４０の回動（すなわち、振分部６４０による遊技球の振り分け）に機械的に連動して進入規制機構６８０を動作させ、それにより、左右の可動片６８８，６８９の姿勢を変化させる構成とした。進入規制機構６８０を設ける必要は必ずしもない。例えば、振分部６４０の回動方向を検出可能なセンサや、振分部６４０が溝部６２６または溝部６２７に振り分けた遊技球を検出可能なセンサなど、振分部６４０が遊技球を左または右側に振り分けたことを検出可能なセンサを設け、これらのセンサによる検出結果に基づいて、モータなどの動力を用いて左右の可動片６８８，６８９の姿勢を変化させる構成としてもよい。
【０３４９】
（１０）上記第３実施形態では、左右の可動片６８８，６８９が進入許容姿勢である場合に入口８０１，８０２から遊技球が進入した場合に、当該遊技球によって各可動片６８８，６８９のレバー部６８８Ｂ，６８９Ｂが作動することで、進入許容姿勢であった可動片６８８，６８９が進入規制姿勢に移行する構成とした。これに代えて、入口８０１，８０２を通過した遊技球を検出可能なセンサを設け、当該センサによる検出結果に基づいて、モータなどの動力を用いて左右の可動片６８８，６８９の姿勢を進入規制姿勢に移行させる構成としてもよい。
【０３５０】
また、左右の可動片６８８，６８９の姿勢変化が、振分部６４０が回動した場合にのみ変化するものとし、入口８０１，８０２から遊技球が進入しても可動片６８８，６８９の姿勢は変化しない構成としてもよい。
【０３５１】
（１１）上記第３実施形態では、回転部６１０が第１位置にあって入球部６１３の入口部分が左方を向く場合に、右可動片６８９が進入許容姿勢とされ、回転部６１０が第２位置にあって入球部６１２の入口部分が右方を向く場合に、左可動片６８８が進入許容姿勢とされる構成であった。つまり、左右の可動片６８８，６８９のうち、進入許容姿勢となる可動片の側が、入球部６１２，６１３のうち、振分用通路６２１に連通しない方（すなわち、開口６２２または開口６２３に連通する方）の入球部の入口部分が向く方向と左右方向において逆方向となる構成とした。
【０３５２】
これに代えて、左右の可動片６８８，６８９のうち、進入許容姿勢となる可動片の側が、入球部６１２，６１３のうち、振分用通路６２１に連通しない方の入球部の入口部分が向く方向と左右方向において同じ方向となるよう構成してもよい。
【０３５３】
かかる変形例によれば、回転部６１０が第１位置である場合には、入球部６１３または入口８０１のいずれから進入した遊技球も第２特別図柄に係る始動装置である左側中始動入賞装置４３１Ｂに進入させることができる。同様に、回転部６１０が第２位置である場合には、入球部６１２または入口８０２のいずれから進入した遊技球も第１特別図柄に係る始動装置である右側中始動入賞装置４３１Ａに進入させることができる。よって、左打ち遊技手法による遊技を行う場合には、左側中始動入賞装置４３１Ｂに進入可能な入口が増えるとともに、右打ち遊技手法による遊技を行う場合には、右側中始動入賞装置４３１Ａに進入可能な入口が増えるので、左側中始動入賞装置４３１Ｂまたは右側中始動入賞装置４３１Ａへの進入確率が向上するので、左側中始動入賞装置４３１Ｂまたは右側中始動入賞装置４３１Ａへの遊技球の進入を効率的に行うことができる。
【０３５４】
（１２）上記各実施形態においては、開口６２４の直下に左側中始動入賞装置４３１Ｂを設け、開口６２５の直下に右側中始動入賞装置４３１Ａを設ける構成とした。つまり、振分部６４０により正面視左側に振り分けられた遊技球が第２特別図柄に係る始動装置（すなわち、左側中始動入賞装置４３１Ｂ）に進入し、振分部６４０により正面視右側に振り分けられた遊技球が第１特別図柄に係る始動装置（すなわち、右側中始動入賞装置４３１Ａ）に進入する構成とした。これに代えて、開口６２４の直下に右側中始動入賞装置４３１Ｂと同様の第１特別図柄に係る始動装置を設け、開口６２５の直下に左側中始動入賞装置４３１Ａと同様の第２特別図柄に係る始動装置を設ける構成としてもよい。
【０３５５】
なお、上記第２実施形態の振分装置７００においては、内部への遊技球の進入確率を変化させる右進入規制機構４５２を備えた右始動入賞装置４３２と、振分装置７００と、始動入賞装置及び始動入賞スイッチの組合せとして、以下のように構成することは好ましい。すなわち、進入規制機構４５２を備えた右始動入賞装置４３２に遊技球が進入し易い遊技状態（時短状態）において右始動入賞装置４３２に遊技球が進入し易い右打ち遊技手法によって、振分装置７００の進入部のうち遊技球が進入し易くなる右側進入部Ａ３に進入した遊技球は、右始動入賞装置４３２に係る第２特別図柄の始動入賞と同一の第２特別図柄の始動入賞を発生させ、振分装置７００において右側進入部Ａ３とは反対側の左側進入部Ａ２に進入した遊技球は、第１特別図柄の始動入賞を発生させるようにすることが好ましい。これにより、右打ち遊技手法を終えて左打ち遊技手法に戻して通常遊技状態を開始する際に、右打ち遊技手法において入賞が多く発生することで保留が最大となり易い第２特別図柄の始動入賞とは別の第１特別図柄の始動入賞を発生し易くすることができるので、早期に遊技を開始しても無駄な始動入賞の発生を少なくすることができる。
【０３５６】
（１３）上記第１実施形態においては、右始動入賞装置４３２や上下の大入賞装置４３３，４３４を中央構造体４２０の右側に配置し、中央構造体４２０に対する左右の領域を非対称な構成としたが、中央構造体に対する左右の遊技領域が対称、または、実質的に対象に構成されていてもよい。
【０３５７】
図１９は、中央構造体に対する左右の遊技領域が実質的に対称に構成される遊技盤の一例としての遊技盤４００Ｘの正面図である。なお、図１９において、遊技盤４００Ｘに配設される中央構造体４２０Ｘなど一部構造物の外形を簡略的に描いている。以下の説明において、第１実施形態における遊技盤４００の構成と同一の構成については同一の符号を付して説明を省略する。
【０３５８】
図１９に示すように、基体４０１の概ね中央に配置される中央構造体４２０Ｘの左右にはそれぞれ入球口が形成されており、いずれかの入球口に遊技球が進入すると、当該遊技球は中央構造体４２０Ｘに形成された球通路（図示せず）を通って中央構造体４２０Ｘにおける下側に形成されたステージ４２２に案内される。
【０３５９】
ステージ４２２の略中央の奥側に開口４２２Ａが形成され、ステージ４２２を転動する遊技球が開口４２２Ａに進入した場合には、当該遊技球は、図示されない通路を通り、入口部分が上方を向く入球部６１２または入球部６１３の上方に形成された開口４０６から排出される。よって、ステージ４２２を転動して開口４２２Ａに進入した遊技球は、矢印Ａ１方向に流下し、入球部６１２または入球部６１３のうち、入口部分が上方を向く入球部に進入し得る。
【０３６０】
遊技盤４００Ｘにおいては、振分装置６００の右側に、右始動入賞装置４３２と同様に機能する右始動入賞装置４３２Ｘが配設され、振分装置６００の下側に、下大入賞装置４３３と同様に機能する大入賞装置４３３Ｘが配設される。また、右側中始動入賞装置の右側には、２つの一般入賞装置４３９Ｂが設けられ、左側中始動入賞装置の左側には、２つの一般入賞装置４３９Ａが配設されている。また、遊技盤４００Ｘにおいては、役連作動装置４３５と始動装置４３６とを兼ねるゲート状の装置が中央構造体４２０Ｘに対し右側に設けられている。
【０３６１】
図１９に示すように、遊技盤４００Ｘは、中央構造体４２０Ｘに対する左右の遊技領域が実質的に対称に構成される。かかる遊技盤４００Ｘに振分装置６００を設けることで、左打ち遊技手法と右打ち遊技手法とのいずれの発射操作によっても、振分装置７００の上側進入部Ａ１に遊技球を進入させることができるので、左打ち遊技手法と右打ち遊技手法とを異ならせた場合における上側進入部Ａ１への遊技球の進入確率の差を少なくすることができる。このため、通常遊技状態においても、左打ち遊技手法と右打ち遊技手法とを積極的に切り替えて、遊技者の所望する進入部を狙って積極的に操作手法を切り替え易い遊技性を提供することができる。例えば、遊技者は、入口部分が左方または右方を向く入球部（入球部６１２または入球部６１３）を狙って、左打ち遊技手法または右打ち遊技手法を行い、始動入賞の発生が少なくなったと感じた場合など自身の気が向いたときに、左打ち遊技手法と右打ち遊技手法とを適宜切り替えて遊技を行い易くすることができる。よって、遊技者は、左打ち遊技手法と右打ち遊技手法とを変えることで自身の気分を変えることができ、遊技者が遊技に対する飽きを覚え難くすることができ、長くに亘り遊技を継続させることができる。
【０３６２】
（１４）上記第１〜第３実施形態のパチンコ機１００においては、右側進入部Ａ３から振分装置７００に進入した遊技球が、右始動入賞装置４３２への入賞に基づく第２特別図柄の始動入賞とは抽選が異なる第１特別図柄の始動入賞を発生させる右側中始動入賞装置４３１Ａへの入賞を発生させる構成について説明したが、これに限らず、振分装置７００から振り分けられた遊技球が同一の抽選を受ける始動入賞装置の入賞を発生させるように、例えば、右側中始動入賞装置４３１Ａ及び右側中始動入賞スイッチ４４１Ａの組合せと同一の構成を、左側中始動入賞装置４３１Ｂ及び左側中始動入賞スイッチ４４１Ｂの組合せに代えて適用してもよい。
【０３６３】
（１５）上記各実施形態では、振分装置６００，７００，８００の回転部６１０に対して、上側進入部Ａ１、右側進入部Ａ２、左側進入部Ａ３の３箇所から遊技球が進入可能な場合について説明したが、進入部の数についても、上記した数に限らず、異なる数としてもよく、例えば、各実施形態の振分装置６００，７００，８００に対して上側進入部Ａ１は備えるものの、右側進入部Ａ２と左側進入部Ａ３とのいずれか又は両方を備えないように少なくともいずれかの進入部を釘４１１などによって遊技球が常時進入不能なように閉塞してもよい。
【０３６４】
（１６）上記各実施形態では、振分装置６００，７００，８００の回転部６１０に対して、上側進入部Ａ１から遊技球が進入した場合に、振分部６４０が振り分け先を必ず変更する場合について説明したが、これに限らず、上側進入部Ａ１から遊技球が進入した場合に振分部６４０が振り分け先を変更しないようにしてもよく、例えば、上側進入部Ａ１以外の進入部（例えば、左側進入部Ａ２又は右側進入部Ａ３）へ遊技球が進入した場合には振分方向変更部６７０が振分部６４０に作用して振り分け先を変更するように動作し、上側進入部Ａ１へ遊技球が進入した場合には、振分部６４０が振り分け先を変更しないで、進入前の状態を維持するようにしてもよい。
【０３６５】
（１７）本発明を上記実施形態とは異なるタイプのパチンコ機等に実施しても良い。例えば、一度大当りすると、それを含めて複数回（例えば２回、３回）大当り状態が発生するまで、大当り期待値が高められるようなパチンコ機として実施しても良い。また、大当り図柄が表示された後に、所定の領域に球が入賞することを必要条件として特別遊技状態となるパチンコ機として実施しても良い。また、球が循環する封入式のパチンコ機に実施しても良い。さらに、パチンコ機以外にも、アレンジボール型パチンコ、雀球等の各種遊技機として実施するようにしても良い。また、パチンコ機に限定されることはなく、スロットマシンに適用しても良く、パチンコ機とスロットマシンとを融合した形式のパロット等の遊技機に適用しても良い。
【０３６６】
＜上記実施形態から抽出される発明＞
以下、上記した実施形態から抽出される発明群の特徴について、必要に応じて課題及び効果等を示しつつ説明する。なお以下においては、理解の容易のため、上記各実施形態において対応する構成を括弧書き等で適宜示すが、この括弧書き等で示した具体的構成に限定されるものではない。また、各特徴に記載した用語の意味や例示等は、同一の文言にて記載した他の特徴に記載した用語の意味や例示として適用しても良い。
【０３６７】
＜特徴１０＞
所定の振分用進入部（上側進入部Ａ１）から進入した遊技球の振り分け先を変更する振分手段であって、複数の前記振り分け先のうち所定の第１の振り分け先に遊技球を振り分ける第１の振分状態にて前記所定の振分用進入部から遊技球が進入した場合に、前記複数の振り分け先のうち所定の第２の振り分け先に遊技球を振り分ける第２の振分状態に移行するよう動作する振分手段（振分部６４０）と、
前記所定の振分用進入部を含む少なくとも１以上の進入部（上側進入部Ａ１、左側進入部Ａ２、右側進入部Ａ３）から遊技球を進入可能とする、第１の入口（入球部６１３）と第２の入口（入球部６１２）とを含む複数の入口を有し、前記振分手段と共に動作する可動部であって、動作した場合に前記複数の入口の位置が機械的に移動することで前記複数の入口の少なくともいずれかから遊技球を進入可能とする可動部（回転部６１０）と、を備え、
前記振分手段が前記第１の振分状態である場合に前記可動部が前記第１の振分状態に対応した第１の入口配置状態（回転部６１０が第１位置にある状態）とされ、
当該第１の入口配置状態において前記所定の振分用進入部から前記第１の入口に遊技球が進入した場合に、前記振分手段が前記第２の振分状態に移行し、前記可動部が、前記振分手段と共に動作して前記第２の振分状態に対応した第２の入口配置状態（回転部６１０が第２位置にある状態）に移行することを特徴とする遊技機。
【０３６８】
遊技機の代表例としてパチンコ機がある。従来の典型的なパチンコ機において、遊技領域に設けられた始動口に入球した場合に、その入球に応じて抽選を行い、当該抽選において大当りに当選した場合に、特別遊技状態となって多数の遊技球が入賞口へ入球可能となる構成が知られている。近年では、複数の振り分け先のいずれかに遊技球を振り分ける振分手段を設け、所定の入口から進入した遊技球を当該振分手段の振分状態に応じて複数の始動口（例えば、２つの始動口）のいずれかに振り分ける遊技機が知られている（例えば、特開２０１６−２２１４７号公報参照）。
【０３６９】
しかしながら、上記従来の遊技機のように、振分手段を用いて遊技球の振り分けを行う遊技機については未だ改良の余地があった。例えば、一般的な遊技機における振分手段は、単に、所定の入口から進入した遊技球を複数の振り分け先のいずれかに振り分ける構成であるため、当該振分手段によって遊技球を振り分ける遊技を遊技者が単調に感じてしまうことがあった。
【０３７０】
これに対し、特徴１０に記載の遊技機であれば、所定の振分用進入部から進入した遊技球の振り分け先を変更する振分手段を備え、当該振分手段は、複数の振り分け先のうち所定の第１の振り分け先に遊技球を振り分ける第１の振分状態にて所定の振分用進入部から遊技球が進入した場合には、当該複数の振り分け先のうち所定の第２の振り分け先に遊技球を振り分ける第２の振分状態に移行するよう動作する。
【０３７１】
一方、所定の振分用進入部を含む少なくとも１以上の進入部から遊技球を進入可能とする複数の入口を有する可動部は、振分手段と共に動作するよう構成され、動作した場合に複数の入口の位置が機械的に移動することで当該複数の入口の少なくともいずれかから遊技球を進入可能とする。つまり、振分手段が動作して当該振分手段による振り分け先が変更された場合には、可動部が振分手段と共に動作して複数の入口の位置が機械的に移動する。よって、可動部における複数の入口の配置が見た目に変化するので、振分手段によって遊技球を振り分ける遊技に面白味を付加することができ、かつ、振り分け先の変更を分かりやすく遊技者に示すことができるので、遊技者に積極的な発射操作を促して遊技の単調化を抑制できる。
【０３７２】
なお、特徴１０に記載の遊技機において、可動部における複数の入口は、振分手段が第１の振分状態である場合には、当該複数の入口のうち第１の入口が所定の方向に開口して所定の振分用進入部から遊技球を進入可能とし、振分手段が第２の振分状態である場合には、当該複数の入口のうち第２の入口が所定の方向に開口して所定の振分用進入部から遊技球を進入可能としてもよい。これにより、遊技者は、可動部における複数の入口のうち所定の方向に開口する入口に注目することで、振分手段の振分状態を容易に判別できる。すなわち、従来の遊技機においては、一般的に、所定の入口から進入した遊技球が振分手段によってどの振り分け先に振り分けられるかを遊技者が判断し難い構成であったのと比較して、遊技者は、可動部の見た目によって振分手段による遊技球の振り分け先を予測できる。よって、遊技者は、所定の方向に開口する入口がどの入口であるかに応じて期待の度合いを変動させながら発射操作を行うことができ、振分手段によって遊技球を振り分ける遊技の単調化を抑制できる。
【０３７３】
また、特徴１０に記載の遊技機において「振分手段と共に動作する可動部」は、振分手段の動作に連動して可動部が動作するものであってもよいし、振分手段と可動部とが一体化されていることで可動部が振分手段と共に動作（同期）するものであってもよいし、振分手段が動作した場合に、当該動作に基づきモータなどの動力により可動部が振分手段とは独立して動作するものであってもよい。
【０３７４】
＜特徴１１＞
特徴１０に記載の遊技機であって
前記振分手段が前記第１の振分状態である場合に前記所定の振分用進入部から前記第１の入口に進入して当該振分手段によって前記第１の振り分け先に振り分けられた遊技球が流下する第１の流下通路（溝部６２６）の下流側に設けられて、該第１の流下通路を流下する遊技球が進入した場合に所定の特典が付与される第１入球口（左側中始動入賞装置４３１Ｂ）と、
前記振分手段が前記第２の振分状態である場合に前記所定の振分用進入部から前記第２の入口に進入して当該振分手段によって前記第２の振り分け先に振り分けられた遊技球が流下する流下通路であって前記第１の流下通路とは異なる第２の流下通路（溝部６２７）の下流側に設けられて、該第２の流下通路を流下する遊技球が進入した場合に前記所定の特典とは異なる特典、または、特典を付与することなく遊技球を排出する第２入球口（右側中始動入賞装置４３１Ａ）と、を備えていることを特徴とする遊技機。
【０３７５】
特徴１１に記載の遊技機であれば、振分手段が第１の振分状態である場合に所定の振分用進入部から第１の入口に進入して当該振分手段によって第１の振り分け先に振り分けられた遊技球が、第１の流下通路を流下して第１の入球口に進入した場合には、所定の特典が付与される。その一方で、振分手段が第２の振分状態である場合に所定の振分用進入部から第２の入口に進入して当該振分手段により第２の振り分け先に振り分けられた遊技球が、第１の流下通路とは異なる第２の流下通路を流下して第２の入球口に進入した場合には、前記所定の特典とは異なる特典が付与される、または、特典を付与することなく遊技球が排出される。よって、振分手段による遊技球の振り分け先に応じて特典の付与状況が異なるので、遊技者は、所定の方向に開口する入口がどの入口であるかに応じて、獲得できる特典に対する期待の度合いを変動させながら発射操作を行うことができ、当該振分手段によって遊技球を振り分ける遊技の単調化を好適に抑制できる。
【０３７６】
なお、特徴１１における「特典」としては、抽選条件、抽選確率、抽選に当選した場合に発生する特別遊技状態、遊技球の払出数などが例示される。また、「所定の特典とは異なる特典」とは、複数の特典が付与される場合において全ての特典が互いに異なることに限らず、複数の特典が付与される場合において少なくとも一部の特典が互いに異なっていればよい。
【０３７７】
＜特徴１２＞
特徴１０または１１に記載の遊技機であって
前記振分手段は、該振分手段が前記第１の振分状態である場合、前記所定の振分用進入部から進入した遊技球によって機械的に動作することで前記第２の振分状態に移行するよう構成され、
前記振分手段と前記可動部との間に設けられて、当該振分手段の動作に対して当該可動部の動作を機械的に連動または同期させる連結手段（軸６６０）を備えていることを特徴とする遊技機。
【０３７８】
特徴１２に記載の遊技機であれば、振分手段は、該振分手段が第１の振分状態である場合、所定の振分用進入部から進入した遊技球によって機械的に動作することで第２の振分状態に移行する。振分手段と可動部との間には、振分手段の動作に対して当該可動部の動作を機械的に連動または同期させる連結手段が設けられているので、振分手段の機械的な動作を機械的に連動または同期させて可動部を動作させることができるので、振分手段によって遊技球を振り分ける遊技の単調化を、消費電力の増大を防ぎつつ抑制できる。
【０３７９】
＜特徴２０＞
所定の振分用進入部（上側進入部Ａ１）から進入した遊技球の振り分け先を変更する振分手段であって、複数の前記振り分け先のうち所定の第１の振り分け先に遊技球を振り分ける第１の振分状態から、前記複数の振り分け先のうち所定の第２の振り分け先に遊技球を振り分ける第２の振分状態に移行するよう動作する振分手段（振分部６４０）と、
遊技球を進入可能とする第１の入口（入球部６１３）と、前記所定の振分用進入部とは別の進入部（左側進入部Ａ２）から遊技球を進入可能とする第２の入口（入球部６１２）とを含む複数の入口を有し、前記振分手段と共に動作する可動部であって、動作した場合に前記複数の入口の位置が機械的に移動することで前記複数の入口の少なくともいずれかから遊技球を進入可能とする可動部（振分装置７００の回転部６１０）と、を備え、
前記振分手段が前記第１の振分状態である場合に前記可動部が前記第１の振分状態に対応した第１の入口配置状態（回転部６１０が第１位置にある状態）とされ、
当該第１の入口配置状態において前記別の進入部から前記第２の入口に遊技球が進入した場合に、前記振分手段が前記第２の振分状態に移行し、前記可動部が、前記振分手段と共に動作して前記第２の振分状態に対応した第２の入口配置状態（回転部６１０が第２位置にある状態）に移行することを特徴とする遊技機。
【０３８０】
遊技機の代表例としてパチンコ機がある。従来の典型的なパチンコ機において、遊技領域に設けられた始動口に入球した場合に、その入球に応じて抽選を行い、当該抽選において大当りに当選した場合に、特別遊技状態となって多数の遊技球が入賞口へ入球可能となる構成が知られている。近年では、複数の振り分け先のいずれかに遊技球を振り分ける振分手段を設け、所定の入口から進入した遊技球を当該振分手段の振分状態に応じて複数の始動口（例えば、２つの始動口）のいずれかに振り分ける遊技機が知られている（例えば、特開２０１６−２２１４７号公報参照）。
【０３８１】
しかしながら、上記従来の遊技機のように、振分手段を用いて遊技球の振り分けを行う遊技機については未だ改良の余地があった。例えば、一般的な遊技機における振分手段は、単に、所定の入口から進入した遊技球を複数の振り分け先のいずれかに振り分ける構成であるため、当該振分手段によって遊技球を振り分ける遊技を遊技者が単調に感じてしまうことがあった。
【０３８２】
これに対し、特徴２０に記載の遊技機であれば、所定の振分用進入部から進入した遊技球の振り分け先を変更する振分手段を備え、当該振分手段は、複数の振り分け先のうち所定の第１の振り分け先に遊技球を振り分ける第１の振分状態から、当該複数の振り分け先のうち所定の第２の振り分け先に遊技球を振り分ける第２の振分状態に移行するよう動作する。
【０３８３】
一方、遊技球を進入可能とする第１の入口と、前記所定の振分用進入部とは別の進入部から遊技球を進入可能とする第２の入口とを含む複数の入口を有する可動部は、振分手段と共に動作するよう構成され、動作した場合に複数の入口の位置が機械的に移動する。つまり、振分手段が動作して当該振分手段による振り分け先が変更された場合には、可動部が振分手段と共に動作して複数の入口の位置が機械的に移動する。よって、可動部における複数の入口の配置が見た目に変化するので、振分手段によって遊技球を振り分ける遊技に面白味を付加することができ、かつ、振り分け先の変更を分かりやすく遊技者に示すことができるので、遊技者に積極的な発射操作を促して遊技の単調化を抑制できる。
【０３８４】
また、可動部は、振分手段が第１の振分状態である場合に、振分手段の振り分け先を変更する所定の振分用進入部とは別の進入部から遊技球を進入可能とする第２の入口に遊技球が進入した場合に動作する。このため、振分手段によって振り分けが行われることにならない遊技球によって振分手段の振り分け先が変更される状況であっても、その変更を、可動部の動作によって複数の入口の配置を見た目に変化させて遊技者に提示することができる。よって、振分手段によって遊技球を振り分ける遊技に面白味を付加し、かつ、振り分け先の変更を分かりやすく遊技者に示すことができるので、遊技者に積極的な発射操作を促して遊技の単調化を抑制できる。
【０３８５】
なお、特徴２０において「振分手段と共に動作する可動部」は、振分手段の動作に連動して可動部が動作するものであってもよいし、振分手段と可動部とが一体化されていることで可動部が振分手段と共に動作（同期）するものであってもよいし、振分手段が動作した場合に、当該動作に基づきモータなどの動力により可動部が振分手段とは独立して動作するものであってもよい。
【０３８６】
＜特徴２１＞
特徴２０に記載の遊技機であって、
前記第１の入口は、前記所定の振分用進入部と前記別の進入部とを含む２以上の進入部（上側進入部Ａ１、左側進入部Ａ２、右側進入部Ａ３）から遊技球を進入可能とし、
前記第１の入口配置状態において、前記所定の振分用進入部から前記第１の入口に遊技球が進入するか、又は前記別の進入部から前記第２の入口に遊技球が進入した場合に、前記振分手段が前記第２の振分状態に移行し、前記可動部が、前記振分手段と共に動作して前記第２の振分状態に対応した第２の入口配置状態（回転部６１０が第２位置にある状態）に移行することを特徴とする遊技機。
【０３８７】
特徴２０に記載の遊技機であれば、可動部は、振分手段が第１の振分状態である場合に、振分手段の振り分け先を変更する所定の振分用進入部から遊技球を進入可能とする第１の入口に遊技球が進入した場合にも動作する。このため、振分手段によって振り分けが行われることとなる遊技球によって振分手段の振り分け先が変更される状況についても、その変更を、可動部の動作によって複数の入口の配置を見た目に変化させて遊技者に提示することができる。よって、振分手段によって遊技球を振り分ける遊技に面白味を付加し、かつ、振り分け先の変更をより確実に遊技者に示すことができるので、遊技者に積極的な発射操作を一層促して遊技の単調化を抑制できる。
【０３８８】
＜特徴２２＞
特徴２０又は２１に記載の遊技機であって、
前記振分手段が前記第１の振分状態である場合に前記第２の入口から前記別の進入部から進入した遊技球によって機械的に動作することで、前記振分手段を前記第１の振分状態から前記第２の振分状態に移行させる動作手段（振分方向変更部６７０）を備え、
前記可動部は、前記振分手段が前記第１の振分状態である場合に前記第１の入口に遊技球が進入した場合には前記振分手段と共に動作するとともに、前記振分手段が前記第１の振分状態である場合に前記第２の入口に遊技球が進入した場合にも前記振分手段と共に動作することを特徴とする遊技機。
【０３８９】
特徴２２に記載の遊技機であれば、振分手段が第１の振分状態である場合に第２の入口から遊技球が進入した場合にも、振分手段が当該遊技球によって動作手段により機械的に動作される。よって、第１の入口または第２の入口のいずれに遊技球を進入させても振分手段による遊技球の振り分け先を変化させることができるので、単に、所定の振分用進入部から進入した遊技球を振り分ける構成に比べて、振分手段によって遊技球を振り分ける遊技の単調化を抑制できる。また、動作手段による振分手段の動作は遊技球によって機械的に行われるので、振分手段によって遊技球を振り分ける遊技の単調化を、消費電力の増大を防ぎつつ抑制できる。
【０３９０】
＜特徴２３＞
特徴２０から２２のいずれかに記載の遊技機であって、
前記振分手段が前記第１の振分状態である場合に前記所定の振分用進入部から前記第１の入口に進入して当該振分手段によって前記第１の振り分け先に振り分けられた遊技球が流下する第１の流下通路（溝部６２６）の下流側に設けられて、該第１の流下通路を流下する遊技球が進入した場合に所定の特典が付与される第１入球口（左側中始動入賞装置４３１Ｂ）と、
前記振分手段が前記第１の振分状態である場合に前記別の進入部から前記第２の入口に進入した遊技球が流下する流下通路であって、前記第１の流下通路とは異なる第２の流下通路（溝部６２７）の下流側に設けられて、該第２の流下通路を流下する遊技球が進入した場合に前記所定の特典とは異なる特典、または、特典を付与することなく遊技球を排出する第２入球口（右側中始動入賞装置４３１Ａ）と、を備えていることを特徴とする遊技機。
【０３９１】
特徴２３に記載の遊技機であれば、振分手段が第１の振分状態である場合に所定の振分用進入部から第１の入口に進入して当該振分手段によって第１の振り分け先に振り分けられた遊技球が、第１の流下通路を流下し第１の入球口に進入した場合には、所定の特典が付与される。その一方で、振分手段が第１の振分状態である場合に別の進入部から第２の入口に進入した遊技球が第２の流下通路を流下し第２の入球口に進入した場合には、所定の特典とは異なる特典が付与されるか、または、特典を付与することなく遊技球が排出される。
【０３９２】
よって、振分手段が同じ振分状態（すなわち、第１の振分状態）である場合に、第１の入口または第２の入口のいずれに入口が進入するかに応じて特典の付与状況が異なるので、遊技者は、獲得できる特典に対する期待の度合いを変動させながらいずれかの入口を狙って発射操作を行うことができるので、当該振分手段によって遊技球を振り分ける遊技の単調化を好適に抑制できる。
【０３９３】
なお、特徴２３における「特典」としては、抽選条件、抽選確率、抽選に当選した場合に発生する特別遊技状態、遊技球の払出数などが例示される。また、「所定の特典とは異なる特典」とは、複数の特典が付与される場合において全ての特典が互いに異なることに限らず、複数の特典が付与される場合において少なくとも一部の特典が互いに異なっていればよい。
【０３９４】
＜特徴２４＞
特徴２０から２３のいずれかに記載の遊技機であって、
前記振分手段は、該振分手段が前記第１の振分状態である場合、前記所定の振分用進入部から進入した遊技球によって機械的に動作することで前記第２の振分状態に移行するよう構成され、
前記振分手段と前記可動部との間に設けられて、当該振分手段の動作に対して当該可動部の動作を機械的に連動または同期させる連結手段（軸６６０）を備えていることを特徴とする遊技機。
【０３９５】
特徴２４に記載の遊技機であれば、振分手段は、該振分手段が第１の振分状態である場合、所定の振分用進入部から進入した遊技球によって機械的に動作することで第２の振分状態に移行する。振分手段と可動部との間には、振分手段の動作に対して当該可動部の動作を機械的に連動または同期させる連結手段が設けられているので、振分手段の機械的な動作を機械的に連動または同期させて可動部を動作させることができるので、振分手段によって遊技球を振り分ける遊技の単調化を、消費電力の増大を防ぎつつ抑制できる。
【０３９６】
＜特徴３０＞
所定の振分用進入部（上側進入部Ａ１）から進入した遊技球の振り分け先を変更する振分手段であって、複数の前記振り分け先のうち所定の第１の振り分け先に遊技球を振り分ける第１の振分状態にて前記所定の振分用進入部から遊技球が進入した場合に、前記複数の振り分け先のうち所定の第２の振り分け先に遊技球を振り分ける第２の振分状態に移行するよう動作する振分手段（振分部６４０）と、
前記所定の振分用進入部から前記振分手段に進入した遊技球が流下可能な前記第１の振り分け先と前記第２の振り分け先に設けられる複数の流下通路と、
該複数の流下通路のいずれかに通じる進入部（入口８０１、入口８０２）に設けられて、前記振分手段と共に動作可能であって、前記進入部への遊技球の進入を許容する進入許容姿勢と、該進入許容姿勢と比べて前記進入部への遊技球の進入を規制する進入規制姿勢とを切り替え可能な進入可動部（左可動片８６８、右可動片８６９）と、を備え、
前記振分手段が前記第１の振分状態であり、前記進入可動部が前記進入規制姿勢をとっている状態において、前記第１の入口に遊技球が進入した場合に、前記振分手段が前記第２の振分状態に移行し、前記進入可動部が前記進入許容姿勢に移行することを特徴とする遊技機。
【０３９７】
遊技機の代表例としてパチンコ機がある。従来の典型的なパチンコ機において、遊技領域に設けられた始動口に入球した場合に、その入球に応じて抽選を行い、当該抽選において大当りに当選した場合に、特別遊技状態となって多数の遊技球が入賞口へ入球可能となる構成が知られている。近年では、複数の振り分け先のいずれかに遊技球を振り分ける振分手段を設け、所定の入口から進入した遊技球を当該振分手段の振分状態に応じて複数の始動口（例えば、２つの始動口）のいずれかに振り分ける遊技機が知られている（例えば、特開２０１６−２２１４７号公報参照）。
【０３９８】
しかしながら、上記従来の遊技機のように、振分手段を用いて遊技球の振り分けを行う遊技機については未だ改良の余地があった。例えば、一般的な遊技機における振分手段は、単に、所定の入口から進入した遊技球を複数の振り分け先のいずれかに振り分ける構成であるため、当該振分手段によって遊技球を振り分ける遊技を遊技者が単調に感じてしまうことがあった。
【０３９９】
これに対し、特徴３０に記載の遊技機であれば、所定の振分用進入部に進入した遊技球の振り分け先を変更する振分手段を備え、当該振分手段は、複数の振り分け先のうち所定の第１の振り分け先に遊技球を振り分ける第１の振分状態にて所定の振分用進入部に遊技球が進入した場合には、当該複数の振り分け先のうち所定の第２の振り分け先に遊技球を振り分ける第２の振分状態に移行するよう動作する。
【０４００】
複数の進入通路に進入した遊技球が流下可能な複数の流下通路のいずれかに通じる進入部の入口部分には進入可動部が設けられる。進入可動部は、振分手段が第１の振分状態である場合に所定の振分用進入部から遊技球が進入して第２の振分状態に移行する場合に当該振分手段と共に動作して、進入部への遊技球の進入を規制する進入規制姿勢から、進入部への遊技球の進入を許容する進入許容姿勢に切り替わるよう構成される。
【０４０１】
これにより、第１振分状態にある振分手段が動作して当該振分手段による振り分け先が変更された場合、複数の流下通路のいずれかに通じる進入部の入口部分に設けられた進入可動部が、振分手段と共に動作して進入規制姿勢から進入許容姿勢に切り替わるので、遊技球を進入部から流下通路に進入させることが可能となる。そして、振分手段の振り分け先が変更される状況は、進入可動部が進入許容姿勢に切り替わる遊技者にとって有利となる動作によって遊技者に提示することができる。よって、振分手段によって遊技球を振り分ける遊技に面白味を付加し、かつ、振り分け先の変更を分かりやすく遊技者に示すことができるので、遊技者に積極的な発射操作を促して遊技の単調化を抑制できる。
【０４０２】
なお、特徴３０に記載の遊技機において「振分手段と共に動作する進入可動部」は、振分手段の動作に連動して動作するものであってもよいし、振分手段と一体化されていることで振分手段と共に動作（同期）するものであってもよいし、振分手段が動作した場合に、当該動作に基づきモータなどの動力によって、振分手段とは独立して動作するものであってもよい。
【０４０３】
＜特徴３１＞
特徴３０に記載の遊技機であって、
少なくとも１以上の進入部（上側進入部Ａ１、左側進入部Ａ２、右側進入部Ａ３）から遊技球を進入可能とする、第１の入口（入球部６１３）と第２の入口（入球部６１２）とを含む複数の入口を有し、前記振分手段と共に動作する可動部であって、動作した場合に前記複数の入口の位置が機械的に移動することで前記複数の入口の少なくともいずれかから遊技球を進入可能とする入口可動部（回転部６１０）を備え、
前記振分手段が前記第１の振分状態であって前記進入可動部が前記進入規制姿勢をとっている状態において前記入口可動部が前記第１の振分状態に対応した第１の入口配置状態（回転部６１０が第１位置にある状態）とされ、
当該第１の入口配置状態において前記複数の入口のうち予め定めた少なくとも１以上の入口に遊技球が進入した場合に、前記振分手段が前記第２の振分状態に移行し、前記入口可動部が、前記振分手段と共に動作して前記第２の振分状態に対応した第２の入口配置状態（回転部６１０が第２位置にある状態）に移行することを特徴とする遊技機。
【０４０４】
特徴３１に記載の遊技機であれば、複数の入口を有する入口可動部は、振分手段と共に動作するよう構成され、動作した場合に複数の入口の位置が機械的に移動することで当該複数の入口の少なくともいずれかから遊技球が進入可能とされる。つまり、振分手段が動作して当該振分手段による振り分け先が変更された場合には、入口可動部が振分手段と共に動作して複数の入口の位置が機械的に移動する。よって、入口可動部における複数の入口の配置が見た目に変化するので、振分手段によって遊技球を振り分ける遊技に面白味を付加することができ、かつ、振り分け先の変更をより確実に遊技者に示すことができるので、遊技の単調化を一層抑制できる。
【０４０５】
なお、特徴３１に記載の遊技機において「振分手段と共に動作する入口可動部」は、振分手段の動作に連動して動作するものであってもよいし、振分手段と一体化されていることで振分手段と共に動作（同期）するものであってもよいし、振分手段が動作した場合に、当該動作に基づきモータやソレノイドなどの駆動手段を制御することによって、振分手段とは独立して動作するものであってもよい。
【０４０６】
＜特徴３２＞
特徴３１に記載の遊技機であって、
前記入口可動部は、前記振分手段が前記第１の振分状態から前記第２の振分状態に移行した場合に、前記複数の入口のうち第１の入口（入球部６１３）が第１の方向に開口して前記所定の振分用進入部に連通するとともに、前記複数の入口のうち第２の入口（入球部６１２）が正面視左または右側を少なくとも向く第２の方向に開口して前記所定の進入部とは異なる進入部に連通し、
前記進入可動部は、正面視左または右側のうち前記第２の方向とは異なる側を少なくとも向く第３の方向に開口された前記進入部の入口に設けられて、前記振分手段が前記第１の振分状態から前記第２の振分状態に移行した場合に前記進入許容姿勢に切り替わることを特徴とする遊技機。
【０４０７】
特徴３２に記載の遊技機であれば、振分手段が第１の振分状態から第２の振分状態に移行した場合、入口可動部における複数の入口のうち、第１の入口が第１の方向に開口して所定の振分用進入部に連通するとともに、第２の入口が正面視左または右側を少なくとも向く第２の方向に開口して所定の振分部とは異なる進入部に連通する。
【０４０８】
一方、進入可動部は、正面視左または右側のうち第２の方向とは異なる側を少なくとも向く第３の方向に開口された進入部の入口部分に設けられて、振分手段が第１の振分状態から第２の振分状態に移行した場合に、進入許容姿勢に切り替わる。
【０４０９】
これにより、振分手段が第１の振分状態から第２の振分状態に移行した場合には、第２の入口、または、進入可動部が進入許容姿勢となった進入部のうち、一方に対し、正面視左側から遊技球を進入させることができるとともに、他方に対し、正面視右側から遊技球を進入させることができる。よって、遊技者は、遊技球を左右に打ち分けることで、第２の入口、または、進入可動部が進入許容姿勢となった進入部に遊技球を進入させることができる。よって、遊技球の打ち出し方にバリエーションができるので、遊技が単調になることを抑制できる。
【０４１０】
＜特徴３３＞
特徴３２に記載の遊技機であって、
遊技球が進入した場合に所定の特典が付与される第１入球口（左側中始動入賞装置４３１Ｂ）と、
遊技球が進入した場合に前記所定の特典とは異なる特典、または、特典を付与することなく遊技球を排出する第２入球口（右側中始動入賞装置４３１Ａ）と、を備え、
前記振分手段が前記第１の振分状態から前記第２の振分状態に移行したことで前記第２の方向に開口する前記第２の入口に遊技球が進入した場合、当該遊技球は前記第１入球口に進入し、
前記振分手段が前記第１の振分状態から前記第２の振分状態に移行したことで前記進入可動部が前記進入許容姿勢に切り替わった前記進入部に遊技球が進入した場合、当該遊技球は前記第２入球口に進入することを特徴とする遊技機。
【０４１１】
特徴３３に記載の遊技機であれば、振分手段が第１の振分状態から第２の振分状態に移行したことで第２の方向に開口する第２の入口に遊技球が進入した場合、当該遊技球は第１入球口に進入する。一方、振分手段が第１の振分状態から第２の振分状態に移行したことで進入可動部が進入許容姿勢に切り替わった進入部に遊技球が進入した場合、当該遊技球は第２入球口に進入する。第１入球口は、遊技球が進入した場合に所定の特典が付与され、第２入球口は、遊技球が進入した場合に前記所定の特典とは異なる特典、または、特典を付与することなく遊技球を排出するので、遊技者は、第１入球口または第２入球口のうち、遊技球の進入を所望する入球口を狙って遊技球を左右に打ち分けることができる。
【０４１２】
なお、特徴３２における「特典」としては、抽選条件、抽選確率、抽選に当選した場合に発生する特別遊技状態、遊技球の払出数などが例示される。また、「所定の特典とは異なる特典」とは、複数の特典が付与される場合において全ての特典が互いに異なることに限らず、複数の特典が付与される場合において少なくとも一部の特典が互いに異なっていればよい。
【０４１３】
＜特徴３４＞
特徴３１から３３のいずれかに記載の遊技機であって、
前記入口可動部は、前記振分手段が前記第１の振分状態から前記第２の振分状態に移行した場合に、前記複数の入口のうち第１の入口（入球部６１３）が第１の方向に開口して前記所定の振分用進入部に連通するとともに、前記複数の入口のうち第２の入口（入球部６１２）が正面視左または右側を少なくとも向く第２の方向に開口して前記複数の進入通路のうち前記所定の振分用進入部とは異なる進入部に連通し、
前記進入可動部は、正面視左または右側のうち前記第２の方向と同じ側を少なくとも向く第３の方向に開口された前記進入部の入口部分に設けられて、前記振分手段が前記第１の振分状態から前記第２の振分状態に移行した場合に前記進入許容姿勢に切り替わることを特徴とする遊技機。
【０４１４】
特徴３４に記載の遊技機であれば、振分手段が第１の振分状態から第２の振分状態に移行した場合、入口可動部における複数の入口のうち、第１の入口が第１の方向に開口して所定の振分用進入部に連通するとともに、第２の入口が正面視左または右側を少なくとも向く第２の方向に開口して所定の振分用進入部とは異なる進入部に連通する。
【０４１５】
一方、進入可動部は、正面視左または右側のうち第２の方向と同じ側を少なくとも向く第３の方向に開口された進入部の入口部分に設けられて、振分手段が第１の振分状態から第２の振分状態に移行した場合に、進入許容姿勢に切り替わる。
【０４１６】
これにより、振分手段が第１の振分状態から第２の振分状態に移行した場合には、遊技者は、左右に遊技球を打ち分けることなく、第２の入口、または、進入可動部が進入許容姿勢となった進入部に遊技球を進入させることができる。よって、遊技の打ち出し方を一定にし易くすることができるので、第２の入口、または、進入可動部が進入許容姿勢となった進入部に遊技球を進入させるための遊技を効率的に行うことができる。
【０４１７】
＜特徴３５＞
特徴３４に記載の遊技機であって、
遊技球が進入した場合に所定の特典が付与される第１入球口（左側中始動入賞装置４３１Ｂ）を備え、
前記振分手段が前記第１の振分状態から前記第２の振分状態に移行したことで前記第２の方向に開口する前記第２の入口に遊技球が進入した場合、および、前記振分手段が前記第１の振分状態から前記第２の振分状態に移行したことで前記進入可動部が前記進入許容姿勢に切り替わった前記進入部に遊技球が進入した場合、いずれの場合も当該遊技球は前記第１入球口に進入することを特徴とする遊技機。
【０４１８】
特徴３５に記載の遊技機であれば、振分手段が第１の振分状態から第２の振分状態に移行したことで第２の方向に開口する第２の入口に遊技球が進入した場合、および、振分手段が第１の振分状態から第２の振分状態に移行したことで進入可動部が進入許容姿勢に切り替わった進入部に遊技球が進入した場合のいずれについても、進入した遊技球は第１入球口に進入する。よって、第１入球口に遊技球を進入させるための入口が増えるので、第１入球口への進入確率が向上し、第１入球口への遊技球の進入を効率的に行うことができる。
【０４１９】
＜特徴３６＞
特徴３０から３５のいずれかに記載の遊技機であって、
前記進入可動部は、当該進入可動部が設けられた前記進入部から所定数の遊技球が進入した場合に、前記進入許容姿勢から前記進入規制姿勢に切り替わるように動作することを特徴とする遊技機。
【０４２０】
特徴３５に記載の遊技機であれば、進入可動部が設けられた進入部から遊技球が進入した場合に、当該進入可動部が進入許容姿勢から進入規制姿勢に切り替えられるので、進入部から進入可能な遊技球を、進入可動部が進入許容姿勢に移行毎に所定数ずつと限定し易くすることができる。これにより、振分手段の振分状態が変更されない限り遊技球の進入が常時可能な第２の入口に対する進入部の差別化を図ることができる。
【０４２１】
＜特徴３７＞
特徴３０から３６のいずれかに記載の遊技機であって、
前記振分手段は、該振分手段が前記第１の振分状態である場合、前記所定の振分用進入部から進入した遊技球によって機械的に動作することで前記第２の振分状態に移行するよう構成され、
前記振分手段の動作に対して前記進入可動部の動作を機械的に連動させる連結手段（進入規制機構６８０）を備えていることを特徴とする遊技機。
【０４２２】
特徴３６に記載の遊技機であれば、振分手段は、該振分手段が第１の振分状態である場合、所定の振分用進入部から進入した遊技球によって機械的に動作することで第２の振分状態に移行する。振分手段の動作に対して進入可動部の動作を機械的に連動させる連結手段が設けられているので、振分手段の機械的な動作を機械的に連動させて可動部を動作させることができるので、振分手段によって遊技球を振り分ける遊技の単調化を、消費電力の増大を防ぎつつ抑制できる。
【０４２３】
なお、特徴１０〜３７に記載の少なくとも１つの特徴を他のいずれか又は複数の特徴に組み合わせて適用しても良い。以下には、上記した各特徴を適用し得る遊技機の基本構成を示す。
【０４２４】
パチンコ機：遊技者が操作する発射操作手段と、その発射操作手段の操作に基づいて遊技球を発射する遊技球発射手段と、その発射された遊技球を所定の遊技領域に導く通路部と、遊技領域内に配置された各遊技部品とを備え、それら各遊技部品のうち所定の通過部を遊技球が通過した場合に遊技者に特典を付与する遊技機。
【０４２５】
スロットマシン等の回胴式遊技機：始動操作手段の操作に基づき周回体の回転を開始させ、停止操作手段の操作に基づき周回体の回転を停止させ、その停止後の絵柄に応じて遊技者に特典を付与する遊技機。
【産業上の利用可能性】
【０４２６】
以上のように、この発明は、弾球遊技機等の遊技機に適している。
【符号の説明】
【０４２７】
１００…遊技機、４３１Ａ…右側中始動入賞装置、４３１Ｂ…左側中始動入賞装置、６１０…回転部、６１２，６１３…入球部、６２１…振分用通路、６２６，６２７…溝部、６４０…振分部、６６０…軸、６７０…振分方向変更部、６８６…左可動片、６８９…右可動片
【図１】
2018102720.tif 000003
【図２】
2018102720.tif 000004
【図３】
2018102720.tif 000005
【図４】
2018102720.tif 000006
【図５】
2018102720.tif 000007
【図６】
2018102720.tif 000008
【図７】
2018102720.tif 000009
【図８】
2018102720.tif 000010
【図９】
2018102720.tif 000011
【図１０】
2018102720.tif 000012
【図１１】
2018102720.tif 000013
【図１２】
2018102720.tif 000014
【図１３】
2018102720.tif 000015
【図１４】
2018102720.tif 000016
【図１５】
2018102720.tif 000017
【図１６】
2018102720.tif 000018
【図１７】
2018102720.tif 000019
【図１８】
2018102720.tif 000020
【図１９】
2018102720.tif 000021